(57)【要約】  本発明は、無線ローカルエリアネットワーク（WLAN）においてチャネルを示すための方法および装置を開示する。送信局は、物理プロトコルデータユニット（PPDU）を生成および送信する。PPDUは、プリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。このように、無線ローカルエリアネットワークにおける周波数領域の不連続チャネルが示され、利用可能なデータ送信チャネルが改善され、システムスループットが向上する。
2019510400.tif 000002
【特許請求の範囲】
【請求項１】
無線ローカルエリアネットワーク（WLAN）においてチャネルを示す方法であって、
物理プロトコルデータユニット（PPDU）を生成するステップであって、前記PPDUがプリアンブルフィールドおよびデータフィールドを含み、前記プリアンブルフィールドの高効率信号フィールド（HE-SIG-A）が、帯域幅識別子およびチャネル結合識別子を含み、前記チャネル結合識別子が、データ送信チャネルが周波数領域において連続的であるかどうかを示すために使用される、ステップと、
前記PPDUを送信するステップと、
を含む方法。
【請求項２】
前記チャネル結合識別子が第1の値である場合、前記データ送信チャネルは、前記周波数領域において連続的であり、または、
前記チャネル結合識別子が第2の値である場合、前記データ送信チャネルは、前記周波数領域において複数の不連続チャネルを含む、請求項1に記載の方法。
【請求項３】
前記チャネル結合識別子が前記第1の値であり、かつ前記帯域幅識別子が第1の値である場合、前記データ送信チャネルは、1次20MHzチャネルを含み、
前記チャネル結合識別子が前記第1の値であり、かつ前記帯域幅識別子が第2の値である場合、前記データ送信チャネルは、1次20MHzチャネルおよび2次20MHzチャネルを含み、
前記チャネル結合識別子が前記第1の値であり、かつ前記帯域幅識別子が第3の値である場合、前記データ送信チャネルは、1次20MHzチャネル、2次20MHzチャネル、および2次40MHzチャネルを含み、
前記チャネル結合識別子が前記第1の値であり、かつ前記帯域幅識別子が第4の値である場合、前記データ送信チャネルは、1次20MHzチャネル、2次20MHzチャネル、2次40MHzチャネル、および2次80MHzチャネルを含み、
前記チャネル結合識別子が前記第2の値であり、かつ前記帯域幅識別子が第1の値である場合、前記データ送信チャネルは、1次20MHzおよび2次40MHzチャネルを含み、
前記チャネル結合識別子が前記第2の値であり、かつ前記帯域幅識別子が第2の値である場合、前記データ送信チャネルは、1次20MHzチャネルおよび2次80MHzチャネルを含み、
前記チャネル結合識別子が前記第2の値であり、かつ前記帯域幅識別子が第3の値である場合、前記データ送信チャネルは、1次20MHzチャネル、2次20MHzチャネル、および2次80MHzチャネルを含み、または、
前記チャネル結合識別子が前記第2の値であり、かつ前記帯域幅識別子が第4の値である場合、前記データ送信チャネルは、1次20MHzチャネル、2次40MHzチャネル、および2次80MHzチャネルを含む、請求項2に記載の方法。
【請求項４】
前記帯域幅識別子が第1の値である場合、前記データ送信チャネルは、1次20MHzチャネルを含み、
前記帯域幅識別子が第2の値である場合、前記データ送信チャネルは、1次20MHzチャネルおよび2次20MHzチャネルを含み、
前記帯域幅識別子が第3の値であり、かつ前記チャネル結合識別子が前記第1の値である場合、前記データ送信チャネルは、1次20MHzチャネル、2次20MHzチャネル、および2次40MHzチャネルを含み、
前記帯域幅識別子が第3の値であり、かつ前記チャネル結合識別子が前記第2の値である場合、前記データ送信チャネルは、1次20MHzチャネルおよび2次40MHzチャネルを含み、
前記帯域幅識別子が第4の値であり、かつ前記チャネル結合識別子が前記第1の値である場合、前記データ送信チャネルは、1次20MHzチャネル、2次20MHzチャネル、2次40MHzチャネル、および2次80MHzチャネルを含み、または、
前記帯域幅識別子が第4の値であり、かつ前記チャネル結合識別子が前記第2の値である場合、前記データ送信チャネルは、1次20MHzチャネル、2次40MHzチャネル、および2次80MHzチャネルを含む、請求項2に記載の方法。
【請求項５】
前記帯域幅識別子が第1の値である場合、前記データ送信チャネルは、1次20MHzチャネルを含み、
前記帯域幅識別子が第2の値である場合、前記データ送信チャネルは、1次20MHzチャネルおよび2次20MHzチャネルを含み、
前記帯域幅識別子が第3の値であり、かつ前記チャネル結合識別子が前記第1の値である場合、前記データ送信チャネルは、1次20MHzチャネル、2次20MHzチャネル、および2次40MHzチャネルを含み、
前記帯域幅識別子が第3の値であり、かつ前記チャネル結合識別子が前記第2の値である場合、前記データ送信チャネルは、1次20MHzチャネルおよび2次40MHzチャネルを含み、
前記帯域幅識別子が第4の値であり、かつ前記チャネル結合識別子が前記第1の値である場合、前記データ送信チャネルは、1次20MHzチャネル、2次20MHzチャネル、2次40MHzチャネル、および2次80MHzチャネルを含み、または、
前記帯域幅識別子が第4の値であり、かつ前記チャネル結合識別子が前記第2の値である場合、前記データ送信チャネルは、1次20MHzチャネルおよび2次80MHzチャネルを含む、請求項2に記載の方法。
【請求項６】
前記帯域幅識別子が第1の値である場合、前記データ送信チャネルは、1次20MHzチャネルを含み、
前記帯域幅識別子が第2の値である場合、前記データ送信チャネルは、1次20MHzチャネルおよび2次20MHzチャネルを含み、
前記帯域幅識別子が第3の値であり、かつ前記チャネル結合識別子が前記第1の値である場合、前記データ送信チャネルは、1次20MHzチャネル、2次20MHzチャネル、および2次40MHzチャネルを含み、
前記帯域幅識別子が第3の値であり、かつ前記チャネル結合識別子が前記第2の値である場合、前記データ送信チャネルは、1次20MHzチャネルおよび2次40MHzチャネルを含み、
前記帯域幅識別子が第4の値であり、かつ前記チャネル結合識別子が前記第1の値である場合、前記データ送信チャネルは、1次20MHzチャネル、2次20MHzチャネル、2次40MHzチャネル、および2次80MHzチャネルを含み、または、
前記帯域幅識別子が第4の値であり、かつ前記チャネル結合識別子が前記第2の値である場合、前記データ送信チャネルは、1次20MHzチャネル、2次20MHzチャネル、および2次80MHzチャネルを含む、請求項2に記載の方法。
【請求項７】
前記帯域幅識別子が第1の値である場合、前記データ送信チャネルは、1次20MHzチャネルを含み、
前記帯域幅識別子が第2の値である場合、前記データ送信チャネルは、1次20MHzチャネルおよび2次20MHzチャネルを含み、
前記帯域幅識別子が第3の値であり、かつ前記チャネル結合識別子が前記第1の値である場合、前記データ送信チャネルは、1次20MHzチャネル、2次20MHzチャネル、および2次40MHzチャネルを含み、
前記帯域幅識別子が第3の値であり、かつ前記チャネル結合識別子が前記第2の値である場合、前記データ送信チャネルは、1次20MHzチャネルおよび2次40MHzチャネルを含み、または、
前記帯域幅識別子が第4の値である場合、前記データ送信チャネルは、1次20MHzチャネル、2次20MHzチャネル、2次40MHzチャネル、および2次80MHzチャネルを含む、請求項2に記載の方法。
【請求項８】
無線ローカルエリアネットワーク（WLAN）においてチャネルを示す装置であって、
物理プロトコルデータユニット（PPDU）を生成するように構成されたベースバンド回路であって、前記PPDUがプリアンブルフィールドおよびデータフィールドを含み、前記プリアンブルフィールドの高効率信号フィールド（HE-SIG-A）が、帯域幅識別子およびチャネル結合識別子を含み、前記チャネル結合識別子が、データ送信チャネルが周波数領域において連続的であるかどうかを示すために使用される、ベースバンド回路と、
前記PPDUを送信するように構成された無線周波数回路と、
を含む装置。
【請求項９】
前記チャネル結合識別子が第1の値である場合、前記データ送信チャネルは、前記周波数領域において連続的であり、または、
前記チャネル結合識別子が第2の値である場合、前記データ送信チャネルは、前記周波数領域において複数の不連続チャネルを含む、請求項8に記載の装置。
【請求項１０】
前記チャネル結合識別子が前記第1の値であり、かつ前記帯域幅識別子が第1の値である場合、前記データ送信チャネルは、1次20MHzチャネルを含み、
前記チャネル結合識別子が前記第1の値であり、かつ前記帯域幅識別子が第2の値である場合、前記データ送信チャネルは、1次20MHzチャネルおよび2次20MHzチャネルを含み、
前記チャネル結合識別子が前記第1の値であり、かつ前記帯域幅識別子が第3の値である場合、前記データ送信チャネルは、1次20MHzチャネル、2次20MHzチャネル、および2次40MHzチャネルを含み、
前記チャネル結合識別子が前記第1の値であり、かつ前記帯域幅識別子が第4の値である場合、前記データ送信チャネルは、1次20MHzチャネル、2次20MHzチャネル、2次40MHzチャネル、および2次80MHzチャネルを含み、
前記チャネル結合識別子が前記第2の値であり、かつ前記帯域幅識別子が第1の値である場合、前記データ送信チャネルは、1次20MHzおよび2次40MHzチャネルを含み、
前記チャネル結合識別子が前記第2の値であり、かつ前記帯域幅識別子が第2の値である場合、前記データ送信チャネルは、1次20MHzチャネルおよび2次80MHzチャネルを含み、
前記チャネル結合識別子が前記第2の値であり、かつ前記帯域幅識別子が第3の値である場合、前記データ送信チャネルは、1次20MHzチャネル、2次20MHzチャネル、および2次80MHzチャネルを含み、または、
前記チャネル結合識別子が前記第2の値であり、かつ前記帯域幅識別子が第4の値である場合、前記データ送信チャネルは、1次20MHzチャネル、2次40MHzチャネル、および2次80MHzチャネルを含む、請求項9に記載の装置。
【請求項１１】
前記帯域幅識別子が第1の値である場合、前記データ送信チャネルは、1次20MHzチャネルを含み、
前記帯域幅識別子が第2の値である場合、前記データ送信チャネルは、1次20MHzチャネルおよび2次20MHzチャネルを含み、
前記帯域幅識別子が第3の値であり、かつ前記チャネル結合識別子が前記第1の値である場合、前記データ送信チャネルは、1次20MHzチャネル、2次20MHzチャネル、および2次40MHzチャネルを含み、
前記帯域幅識別子が第3の値であり、かつ前記チャネル結合識別子が前記第2の値である場合、前記データ送信チャネルは、1次20MHzチャネルおよび2次40MHzチャネルを含み、
前記帯域幅識別子が第4の値であり、かつ前記チャネル結合識別子が前記第1の値である場合、前記データ送信チャネルは、1次20MHzチャネル、2次20MHzチャネル、2次40MHzチャネル、および2次80MHzチャネルを含み、または、
前記帯域幅識別子が第4の値であり、かつ前記チャネル結合識別子が前記第2の値である場合、前記データ送信チャネルは、1次20MHzチャネル、2次40MHzチャネル、および2次80MHzチャネルを含む、請求項9に記載の装置。
【請求項１２】
前記帯域幅識別子が第1の値である場合、前記データ送信チャネルは、1次20MHzチャネルを含み、
前記帯域幅識別子が第2の値である場合、前記データ送信チャネルは、1次20MHzチャネルおよび2次20MHzチャネルを含み、
前記帯域幅識別子が第3の値であり、かつ前記チャネル結合識別子が前記第1の値である場合、前記データ送信チャネルは、1次20MHzチャネル、2次20MHzチャネル、および2次40MHzチャネルを含み、
前記帯域幅識別子が第3の値であり、かつ前記チャネル結合識別子が前記第2の値である場合、前記データ送信チャネルは、1次20MHzチャネルおよび2次40MHzチャネルを含み、
前記帯域幅識別子が第4の値であり、かつ前記チャネル結合識別子が前記第1の値である場合、前記データ送信チャネルは、1次20MHzチャネル、2次20MHzチャネル、2次40MHzチャネル、および2次80MHzチャネルを含み、または、
前記帯域幅識別子が第4の値であり、かつ前記チャネル結合識別子が前記第2の値である場合、前記データ送信チャネルは、1次20MHzチャネルおよび2次80MHzチャネルを含む、請求項9に記載の装置。
【請求項１３】
前記帯域幅識別子が第1の値である場合、前記データ送信チャネルは、1次20MHzチャネルを含み、
前記帯域幅識別子が第2の値である場合、前記データ送信チャネルは、1次20MHzチャネルおよび2次20MHzチャネルを含み、
前記帯域幅識別子が第3の値であり、かつ前記チャネル結合識別子が前記第1の値である場合、前記データ送信チャネルは、1次20MHzチャネル、2次20MHzチャネル、および2次40MHzチャネルを含み、
前記帯域幅識別子が第3の値であり、かつ前記チャネル結合識別子が前記第2の値である場合、前記データ送信チャネルは、1次20MHzチャネルおよび2次40MHzチャネルを含み、
前記帯域幅識別子が第4の値であり、かつ前記チャネル結合識別子が前記第1の値である場合、前記データ送信チャネルは、1次20MHzチャネル、2次20MHzチャネル、2次40MHzチャネル、および2次80MHzチャネルを含み、または、
前記帯域幅識別子が第4の値であり、かつ前記チャネル結合識別子が前記第2の値である場合、前記データ送信チャネルは、1次20MHzチャネル、2次20MHzチャネル、および2次80MHzチャネルを含む、請求項9に記載の装置。
【請求項１４】
前記帯域幅識別子が第1の値である場合、前記データ送信チャネルは、1次20MHzチャネルを含み、
前記帯域幅識別子が第2の値である場合、前記データ送信チャネルは、1次20MHzチャネルおよび2次20MHzチャネルを含み、
前記帯域幅識別子が第3の値であり、かつ前記チャネル結合識別子が前記第1の値である場合、前記データ送信チャネルは、1次20MHzチャネル、2次20MHzチャネル、および2次40MHzチャネルを含み、
前記帯域幅識別子が第3の値であり、かつ前記チャネル結合識別子が前記第2の値である場合、前記データ送信チャネルは、1次20MHzチャネルおよび2次40MHzチャネルを含み、または、
前記帯域幅識別子が第4の値である場合、前記データ送信チャネルは、1次20MHzチャネル、2次20MHzチャネル、2次40MHzチャネル、および2次80MHzチャネルを含む、請求項9に記載の装置。
【発明の詳細な説明】
【技術分野】
【０００１】
本出願は、2016年2月6日に中国特許庁に提出された「METHOD AND APPARATUS FOR INDICATING CHANNEL IN WIRELESS LOCAL AREA NETWORK」と題する中国特許出願第201610084191.3号、2016年3月7日に中国特許庁に提出された「METHOD AND APPARATUS FOR INDICATING CHANNEL IN WIRELESS LOCAL AREA NETWORK」と題する中国特許出願第201610128055.X号、および2016年5月24日に中国特許庁に提出された「METHOD AND APPARATUS FOR INDICATING CHANNEL IN WIRELESS LOCAL AREA NETWORK」と題する中国特許出願第201610353330.8号の優先権を主張するものであり、これらは参照によりその全体が本明細書に組み込まれる。
【０００２】
本発明は、通信技術の分野に関し、特に、無線ローカルエリアネットワークにおいてチャネルを示す方法および装置に関する。
【背景技術】
【０００３】
無線ローカルエリアネットワーク（Wireless Local Area Network、略してWLAN）標準が進化するにつれて、WLANシステムは、より高い帯域幅を使用することによってより高速となる。標準では、通常20MHzが基本帯域幅単位として使用される。802.11aでは20MHzの帯域幅が使用される。帯域幅は802.11nでは40MHzに広がり、802.11acでは80MHzおよび160MHzに広がる。帯域幅が20MHzより大きい場合、1つの20MHzチャネルは1次20MHzチャネルであり、残りの20MHzチャネルは2次チャネルである。現行の標準では、局がチャネルにアクセスするときには、1次20MHzチャネルを含める必要がある。つまり、1次20MHzチャネルが占有されている場合、他のチャネルがアイドル状態であってもそのチャネルは使用できない。現行の標準で定義されているチャネル帯域幅には、20MHz、40MHz、80MHz、および160（80＋80）MHzの4つのモードがある。
【０００４】
次世代のWLAN標準802.11axでは、集中的な導入シナリオが主に検討されており、検討の重点は、ピークスループットの上昇からスペクトル効率の向上に変わっている。例えば、図1に示すように、802.11nをサポートする局と802.11axをサポートする局が集中的に配置されるシナリオのように、異なるWLAN標準をサポートする局が集中的に共存するシナリオの場合、図1の各チャネルは20MHzの帯域幅を有し、802.11n局は20MHzの帯域幅を使用して送信を行い、802.11n局によって行われる狭帯域送信中にスペクトルが切断され、それにより802.11ax局が利用可能なチャネルが不連続になる。
【０００５】
しかし、既存のWLAN標準は、周波数領域における不連続なチャネルの表示には不十分である。
【発明の概要】
【課題を解決するための手段】
【０００６】
そこで、本発明は、周波数領域において不連続なチャネルを示す問題を解決するために、無線ローカルエリアネットワークにおいてチャネルを示す方法および装置を提供する。
【０００７】
一態様によれば、本発明は、無線ローカルエリアネットワーク（WLAN）においてチャネルを示す方法を提供する。チャネルを示す方法は、アクセスポイントと局との間のダウンリンクに適用される。チャネルを示す方法は、アクセスポイントによって実行され、アクセスポイントと複数の局との間のダウンリンクマルチユーザ送信シナリオに適用される。チャネルを示す方法では、まず、物理プロトコルデータユニット（PPDU）が生成される。PPDUは、プリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。その後、PPDUが送信される。
【０００８】
具体的には、チャネル結合識別子が第1の値である場合、データ送信チャネルは周波数領域において連続的であり、またはチャネル結合識別子が第2の値である場合、データ送信チャネルは周波数領域に複数の不連続チャネルを含む。
【０００９】
可能な実施例では、チャネル結合識別子が第1の値であり、帯域幅識別子が第1の値である場合、データ送信チャネルは1次20MHzチャネルを含み、チャネル結合識別子が第1の値であり、帯域幅識別子が第2の値である場合、データ送信チャネルは1次20MHzチャネルおよび2次20MHzチャネルを含み、チャネル結合識別子が第1の値であり、帯域幅識別子が第3の値である場合、データ送信チャネルは1次20MHzチャネル、2次20MHzチャネル、および2次40MHzチャネルを含み、チャネル結合識別子が第1の値であり、帯域幅識別子が第4の値である場合、データ送信チャネルは1次20MHzチャネル、2次20MHzチャネル、2次40MHzチャネル、および2次80MHzチャネルを含み、チャネル結合識別子が第2の値であり、帯域幅識別子が第1の値である場合、データ送信チャネルは1次20MHzおよび2次40MHzチャネルを含み、チャネル結合識別子が第2の値であり、帯域幅識別子が第2の値である場合、データ送信チャネルは1次20MHzチャネルおよび2次80MHzチャネルを含み、チャネル結合識別子が第2の値であり、帯域幅識別子が第3の値である場合、データ送信チャネルは1次20MHzチャネル、2次20MHzチャネル、および2次80MHzチャネルを含み、またはチャネル結合識別子が第2の値であり、帯域幅識別子が第4の値である場合、データ送信チャネルは1次20MHzチャネル、2次40MHzチャネルおよび2次80MHzチャネルを含む。
【００１０】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネル、2次40MHzチャネルおよび2次80MHzチャネルを含む。
【００１１】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネルおよび2次80MHzチャネルを含む。
【００１２】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネル、2次20MHzチャネルおよび2次80MHzチャネルを含む。
【００１３】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、または帯域幅識別子が第4の値である場合、データ送信チャネルは1次20MHzチャネル、2次20MHzチャネル、2次40MHzチャネルおよび2次80MHzチャネルを含む。
【００１４】
別の態様によれば、本発明は、無線ローカルエリアネットワーク（WLAN）においてチャネルを示す装置を提供する。チャネルを示す装置はアクセスポイントであり、アクセスポイントと複数の局との間のダウンリンクマルチユーザ送信シナリオに適用される。チャネルを示すための装置は、ベースバンド回路と無線周波数回路とを含む。ベースバンド回路は、物理プロトコルデータユニット（PPDU）を生成するように構成される。PPDUはプリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。無線周波数回路は、PPDUを送信するように構成される。
【００１５】
具体的には、チャネル結合識別子が第1の値である場合、データ送信チャネルは周波数領域において連続的であり、またはチャネル結合識別子が第2の値である場合、データ送信チャネルは周波数領域に複数の不連続チャネルを含む。
【００１６】
可能な実施例では、チャネル結合識別子が第1の値であり、帯域幅識別子が第1の値である場合、データ送信チャネルは1次20MHzチャネルを含み、チャネル結合識別子が第1の値であり、帯域幅識別子が第2の値である場合、データ送信チャネルは1次20MHzチャネルおよび2次20MHzチャネルを含み、チャネル結合識別子が第1の値であり、帯域幅識別子が第3の値である場合、データ送信チャネルは1次20MHzチャネル、2次20MHzチャネル、および2次40MHzチャネルを含み、チャネル結合識別子が第1の値であり、帯域幅識別子が第4の値である場合、データ送信チャネルは1次20MHzチャネル、2次20MHzチャネル、2次40MHzチャネル、および2次80MHzチャネルを含み、チャネル結合識別子が第2の値であり、帯域幅識別子が第1の値である場合、データ送信チャネルは1次20MHzおよび2次40MHzチャネルを含み、チャネル結合識別子が第2の値であり、帯域幅識別子が第2の値である場合、データ送信チャネルは1次20MHzチャネルおよび2次80MHzチャネルを含み、チャネル結合識別子が第2の値であり、帯域幅識別子が第3の値である場合、データ送信チャネルは1次20MHzチャネル、2次20MHzチャネル、および2次80MHzチャネルを含み、またはチャネル結合識別子が第2の値であり、帯域幅識別子が第4の値である場合、データ送信チャネルは1次20MHzチャネル、2次40MHzチャネルおよび2次80MHzチャネルを含む。
【００１７】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネル、2次40MHzチャネルおよび2次80MHzチャネルを含む。
【００１８】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネルおよび2次80MHzチャネルを含む。
【００１９】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネル、2次20MHzチャネルおよび2次80MHzチャネルを含む。
【００２０】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、または帯域幅識別子が第4の値である場合、データ送信チャネルは1次20MHzチャネル、2次20MHzチャネル、2次40MHzチャネルおよび2次80MHzチャネルを含む。
【００２１】
上述の解決策から、本発明の実施形態は、無線ローカルエリアネットワーク（WLAN）においてチャネルを示すための方法および装置を提供することが分かる。送信局は物理プロトコルデータユニット（PPDU）を生成および送信し、PPDUはプリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。このように、無線ローカルエリアネットワークにおける周波数領域の不連続チャネルが示され、利用可能なデータ送信チャネルが改善され、システムスループットが向上する。
【図面の簡単な説明】
【００２２】
【図１】802.11n局と802.11ax局とが混在するチャネル割り当て図である。
【図２】本発明によるシステムの適用シナリオ図である。
【図３ａ】本発明によるシステムのチャネル割り当て図である。
【図３ｂ】本発明によるシステムの別のチャネル割り当て図である。
【図４】本発明によるシステムの物理プロトコルデータユニットのフレーム構造を示す図である。
【図５】本発明によるシステムの物理プロトコルデータユニットのHE-SIG-Bのフレーム構造を示す図である。
【図６】物理プロトコルデータユニットのHE-SIG-Bのリソースユニットを20MHzの帯域幅に割り当てる図である。
【図７】物理プロトコルデータユニットのHE-SIG-Bのリソースユニットを40MHzの帯域幅に割り当てる図である。
【図８】物理プロトコルデータユニットのHE-SIG-Bのリソースユニットを80MHzの帯域幅に割り当てる図である。
【図９】物理プロトコルデータユニットのHE-SIG-Bのリソースユニットを160MHzの帯域幅に割り当てる図である。
【図１０】本発明の実施形態1による方法のフローチャートである。
【図１１】本発明の実施形態1による実施例1のチャネル表示図である。
【図１２】本発明の実施形態1による実施例2のチャネル表示図である。
【図１３】本発明の実施形態1による実施例3のチャネル表示図である。
【図１４】本発明の実施形態1による実施例4のチャネル表示図である。
【図１５】本発明の実施形態1による実施例5のチャネル表示図である。
【図１６】本発明の実施形態1による実施例6のチャネル表示図である。
【図１７ａ】本発明の実施形態1による実施例7の第1のチャネル表示図である。
【図１７ｂ】本発明の実施形態1による実施例7の第2のチャネル表示図である。
【図１８ａ】本発明の実施形態1による実施例8の第1のチャネル表示図である。
【図１８ｂ】本発明の実施形態1による実施例8の第2のチャネル表示図である。
【図１８ｃ】本発明の実施形態1による実施例8の第3のチャネル表示図である。
【図１８ｄ】本発明の実施形態1による実施例8の第4のチャネル表示図である。
【図１９】本発明の実施形態1による実施例9のチャネル表示図である。
【図２０ａ】本発明の実施形態1による実施例10の第1のチャネル表示図である。
【図２０ｂ】本発明の実施形態1による実施例10の第2のチャネル表示図である。
【図２０ｃ】本発明の実施形態1による実施例10の第3のチャネル表示図である。
【図２０ｄ】本発明の実施形態1による実施例10の第4のチャネル表示図である。
【図２１】本発明の実施形態2による方法のフローチャートである。
【図２２】本発明の実施形態2によるチャネル表示図である。
【図２３】本発明の実施形態3によるチャネル表示図である。
【図２４】本発明の実施形態4による装置を示す図である。
【図２５】本発明の実施形態7によるチャネル表示図である。
【図２６】本発明の実施形態8によるチャネル表示図1である。
【図２７】本発明の実施形態8によるチャネル表示図2である。
【発明を実施するための形態】
【００２３】
本発明の実施形態は、WLAN（Wireless Local Area Network、無線ローカルエリアネットワーク）に適用することができる。無線ローカルエリアネットワークは、複数の基本サービスセット（Basic Service Set、略してBSS）を含むことができる。基本サービスセット内のネットワークノードは、局（Station、略してSTA）であり、局はアクセスポイント局（Access Point、略してAP）および非アクセスポイント局（None Access Point Station、略して非AP STA）を含む。各基本サービスセットは、1つのAPおよびAPに関連する複数の非AP STAを含むことができる。
【００２４】
アクセスポイント局（Access Point、略してAP）は、無線アクセスポイント、ホットスポットなどとも呼ばれる。APは、モバイルユーザが有線ネットワークにアクセスするアクセスポイントであり、主に自宅や建物およびキャンパス内に配置される。一般的なカバレッジ半径は、数十または数百メートルである。もちろん、APは屋外に配置されてもよい。APは、有線ネットワークおよび無線ネットワークを接続するブリッジに相当し、主に、さまざまな無線ネットワーククライアントどうしを接続し、無線ネットワークをイーサネット（登録商標）に接続するように構成されている。現在、APが主に使用している標準は、IEEE（Institute of Electrical and Electronics Engineers、米国電気電子学会）802.11シリーズである。具体的には、APは、Wi-Fi（Wireless Fidelity、ワイヤレスフィデリティ）チップを有する端末装置またはネットワーク装置であってもよい。任意選択的に、APは、802.11ax標準をサポートする装置であってもよい。
【００２５】
非アクセスポイント局（None Access Point Station、略してNon-AP STA）は、無線通信チップ、無線センサ、または無線通信端末であってもよく、無線通信端末にはWi-Fi通信機能をサポートする携帯電話、Wi-Fi通信機能をサポートするタブレットコンピュータ、Wi-Fi通信機能をサポートするセットトップボックス、Wi-Fi通信機能をサポートするスマートテレビ、Wi-Fi通信機能をサポートするスマートウェアラブル装置、またはWi-Fi通信機能をサポートするコンピュータなどが含まれる。任意選択的に、局は802.11ax標準をサポートすることができる。
【００２６】
図2は、一般的なWLAN配置シナリオのシステムの概略図である。このシステムには、1つのAPと3つのSTAとが含まれる。APは、STA1、STA2、STA3と別個に通信する。APおよびSTA1〜3の各々は、第1の局または第2の局として使用されてもよい。
【００２７】
WLANにおけるチャネル分割が図3aに示され、チャネルに番号が付けられ、番号0〜7の各々が1つの20MHzチャネルを表すことに留意されたい。0チャネルは、1次20MHzチャネルを表す。1チャネルは、2次20MHzチャネルを表す。0チャネルおよび1チャネルは、1次40MHzチャネルを形成する。2チャネルおよび3チャネルは、第2の40MHzチャネルを形成する。0チャネル、1チャネル、2チャネル、および3チャネルは、1次80MHzチャネルを形成する。4チャネル、5チャネル、6チャネル、および7チャネルは、2次80MHzチャネルを形成する。4チャネルは5チャネルに隣接する。5チャネルは6チャネルに隣接する。6チャネルは7チャネルに隣接する。
【００２８】
現行のWLAN標準では、マルチチャネル合成ルールにおいて、一意な20MHzは1次20MHzチャネルであり、1次20MHzチャネルの左または右の隣接20MHzは2次20MHzチャネルであることに留意されたい（左または右の20MHzがランダムに選択されてもよいが、一方のみが選択され得る。さらに、左のものは下にあるように記述されてもよく、右のものは上にあるように記述されてもよい。左または下にあるということは、周波数が1次20MHzチャネルの周波数よりも低く、右または上にあるということは、周波数が1次20MHzチャネルの周波数より高いことを示す）。1次20MHzチャネルおよび2次20MHzチャネルは、1次40MHzチャネルを形成する。1次40MHzチャネルの左または右に隣接する40MHzは、2次40MHzチャネルであり（左または右の40MHzがランダムに選択されてもよいが、一方のみが選択され得る）、1次40MHzチャネルおよび2次40MHzチャネルは、1次80MHzチャネルを形成する。1次80MHzチャネルの左または右の80MHzは、2次80MHzチャネルである（左または右の80MHzがランダムに選択されてもよいが、一方のみが選択され得る）。1次80MHzチャネルが2次80MHzチャネルに隣接する場合、1次80MHzチャネルおよび2次80MHzチャネルは160MHzチャネルを形成する。1次80MHzチャネルが2次80MHzチャネルに隣接しない場合、1次80MHzチャネルおよび2次80MHzチャネルは（80＋80）MHzチャネルを形成する。
【００２９】
前述の規則に基づいて、チャネル0〜7は、図3bに示す複数の方法で配置されてもよい。さらに、2次40MHzの2つの20MHzチャネルおよび2次80MHzの4つの20MHzチャネルは、左から右に、または右から左に番号を付けることができる。これは、本発明において限定的でない。説明の便宜上、本発明のすべての実施形態において、WLANにおけるチャネル分割のために、0チャネルが1次20MHzチャネルとして使用される。
【００３０】
本発明の実施形態におけるデータフレームは可能な802.11axデータフレームであり、WLAN内のデータフレームは一般にPPDU（Physical Protocol Data Unit、物理プロトコルデータユニット）である。図4に示すように、PPDUは、プリアンブルフィールドおよびデータフィールドを含み、プリアンブルフィールドは、レガシープリアンブルフィールドおよび高効率プリアンブルフィールドを含む。レガシープリアンブルフィールド（Legacy Preamble）は、既存のWLAN標準装置と互換性があり、L-STF（Legacy Short Training Field、レガシーショートトレーニングフィールド）、L-LTF（Legacy Long Training Field、レガシーロングトレーニングフィールド）、L-SIG（Legacy Signaling Field、レガシーシグナリングフィールド）、RL-SIG（Repeated Legacy Signaling Field、リピーテッドレガシーシグナリングフィールド）を含む。レガシープリアンブルフィールドの後に高効率信号フィールドA（High Efficiency Signal Field A、略してHE-SIG-A）、高効率信号フィールドB（High Efficiency Signal Field B、略してHE-SIG-B）、およびOther HE Preambleが続く。なお、Other HE Preambleは、1つのフィールドまたは複数のフィールドの組み合わせであり、特に特定のフィールドに限定されない。Other HE Preambleフィールドの後に、データフィールド（Data）が続く。さらに可能なWLAN標準では、標準名やフィールド名などは他の名称に置き換えられてもよく、本発明の保護範囲を限定するものではない。さらに、データフレームの説明は、後続の実施形態にも適用可能である。
【００３１】
HE-SIG-Bフィールドは、各20MHzチャネルで別々に符号化されることに留意されたい。符号化構造は図5に示されており、共通ブロックフィールドとユーザ固有フィールドとを含む。
【００３２】
共通ブロックフィールドは、周波数領域RU割り当て情報、MU-MIMOに割り当てられたRU、およびMU-MIMOに含まれるユーザ数など、リソース割り当てに関する情報を含む。ユーザ固有フィールドは、複数のユーザブロックフィールドを含む。各ユーザブロックフィールドは、2つの局のデータを分析するために必要な情報を含む。共通ブロックフィールドのRU割り当てシグナリングによって示されるユーザフィールドの量が奇数である場合、最後のユーザブロックフィールドは、1つの局のみに関する情報を含むことができる。
【００３３】
20MHzについては、図6を参照されたい。図7に示すように、40MHzのPPDUの場合、同一の局データを有する20MHzで、局の共通ブロックフィールドおよびユーザ固有フィールドが送信される。
【００３４】
80MHzのPPDUについて、共通ブロックフィールドおよびユーザ固有フィールドの周波数マッピングを図8に示す。周波数によって上から下に配置される第1の20MHzチャネルおよび第3の20MHzチャネル上のHE-SIG-Bの内容は同じである。これらのチャネルで搬送される情報はHE-SIG-B1であり、HE-SIG-B1は、A242またはC242の少なくとも一部のサブキャリアを占有するすべての局のシグナリング情報を含む。同様に、周波数によって上から下に配置される第2の20MHzチャネルおよび第4の20MHzチャネル上のHE-SIG-Bの内容は同じである。これらのチャネルで搬送される情報はHE-SIG-B2であり、HE-SIG-B2は、B242またはD242の少なくとも一部のサブキャリアを占有するすべての局のシグナリング情報を含む。
【００３５】
160MHzのPPDUについて、共通ブロックフィールドおよびユーザ固有フィールドの周波数マッピングを図9に示す。周波数によって上から下に配置される第1の20MHzチャネルおよび第3の20MHzチャネル、第5の20MHzチャネル、および第7の20MHzチャネル上のHE-SIG-Bの内容は同じである。これらのチャネルで搬送される情報は、HE-SIG-B1であり、HE-SIG-B1は、A1-242、C1-242、A2-242、またはC2-242の少なくとも一部のサブキャリアを占めるすべての局のシグナリング情報を含む。同様に、周波数によって上から下に配置される第2の20MHzチャネル、第4の20MHzチャネル、第6の20MHzチャネル、および第8の20MHzチャネル上のHE-SIG-Bの内容は同じである。これらのチャネル上で搬送される情報は、HE-SIG-B2であり、HE-SIG-B2は、B1-242、D1-242、B2-242、またはD2-242の少なくとも一部のサブキャリアを占有するすべての局のシグナリング情報を含む。
【００３６】
説明の便宜上、PPDUの記述はすべての実施形態に適用可能である。
【００３７】
実施形態1
本発明の実施形態1は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。図10は、チャネルを示す方法の例示的なブロック図である。具体的な手順は次のとおりである。
【００３８】
ステップ101：物理プロトコルデータユニット（PPDU）を生成し、ここでPPDUはプリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。
【００３９】
ステップ102：PPDUを送信する。
【００４０】
具体的には、チャネル結合識別子（Channel Bonding、略してCB）は少なくとも1ビットを含み、以下では例として1ビットを使用して説明する。チャネル結合識別子が第1の値である場合、データ送信チャネルは周波数領域において連続的であり、またはチャネル結合識別子が第2の値である場合、データ送信チャネルは周波数領域に複数の不連続チャネルを含む。
【００４１】
なお、チャネル結合識別子の第1の値および第2の値は、本発明において限定されていない。第1の値は「0」であり、第2の値は「1」である。第1の値は「1」であり、第2の値は「0」である。上記の2つの場合は、どちらも本発明の保護範囲にある。説明の便宜上、第1の値が「0」で第2の値が「1」の場合を以下で説明のために具体的に使用する。
【００４２】
任意選択的に、本発明では、帯域幅識別子およびチャネル結合識別子の両方を使用してデータ送信チャネルを示すことは、少なくとも10個の実施例を含む。
【００４３】
実施例1：チャネル結合識別子が第1の値であり、帯域幅識別子が第1の値である場合、データ送信チャネルは1次20MHzチャネルを含み、
チャネル結合識別子が第1の値であり、帯域幅識別子が第2の値である場合、データ送信チャネルは1次20MHzチャネルおよび2次20MHzチャネルを含み、
チャネル結合識別子が第1の値であり、帯域幅識別子が第3の値である場合、データ送信チャネルは1次20MHzチャネル、2次20MHzチャネル、および2次40MHzチャネルを含み、
チャネル結合識別子が第1の値であり、帯域幅識別子が第4の値である場合、データ送信チャネルは1次20MHzチャネル、2次20MHzチャネル、2次40MHzチャネル、および2次80MHzチャネルを含み、
チャネル結合識別子が第2の値であり、帯域幅識別子が第1の値である場合、データ送信チャネルは1次20MHzおよび2次40MHzチャネルを含み、
チャネル結合識別子が第2の値であり、帯域幅識別子が第2の値である場合、データ送信チャネルは1次20MHzチャネルおよび2次80MHzチャネルを含み、
チャネル結合識別子が第2の値であり、帯域幅識別子が第3の値である場合、データ送信チャネルは1次20MHzチャネル、2次20MHzチャネル、および2次80MHzチャネルを含み、または、
チャネル結合識別子が第2の値であり、帯域幅識別子が第4の値である場合、データ送信チャネルは1次20MHzチャネル、2次40MHzチャネルおよび2次80MHzチャネルを含む。
【００４４】
なお、帯域幅識別子（Bandwidth、略してBW）は、少なくとも2ビットを含み、以下では例として2ビットを使用して説明する。また、帯域幅識別子の第1の値、第2の値、第3の値、および第4の値の範囲は［00，01，10，11］である。本発明では、帯域幅識別子の値の具体的なマッピング関係は限定されていない。説明の便宜上、第1の値が「00」であり、第2の値が「01」であり、第3の値が「10」であり、および第4の値が「11」である場合について説明する。
【００４５】
具体的には、図11を使用して実施例1を具体的に説明する。
【００４６】
周波数領域の連続チャネルの場合：
【００４７】
CB＝0、BW＝00の場合、データ送信帯域幅は1次20MHzチャネル、すなわちチャネル0である。
【００４８】
CB＝0、BW＝01の場合、データ送信帯域幅は、1次20MHzチャネルおよび2次20MHzチャネル、すなわちチャネル0および1である。
【００４９】
CB＝0、BW＝10の場合、データ送信帯域幅は、1次20MHzチャネル、2次20MHzチャネル、および2次40MHzチャネル、すなわちチャネル0〜3である。
【００５０】
CB＝0、BW＝11の場合、データ送信帯域幅は、1次20MHzチャネル、2次20MHzチャネル、2次40MHzチャネル、すなわちチャネル0〜7である。
【００５１】
周波数領域の不連続チャネルの場合：
【００５２】
CB＝1、BW＝00の場合、データ送信帯域幅は、1次20MHzおよび2次40MHzチャネル、すなわちチャネル0、2、3である。
【００５３】
CB＝1、BW＝01の場合、データ送信帯域幅は、1次20MHzチャネルおよび2次80MHzチャネル、すなわちチャネル0および4〜7である。
【００５４】
CB＝1、BW＝10の場合、データ送信帯域幅は、1次20MHzチャネル、2次20MHzチャネル、および2次80MHzチャネル、すなわちチャネル0、1、および4〜7である。
【００５５】
CB＝1、BW＝11の場合、データ送信帯域幅は、1次20MHzチャネル、2次40MHzチャネル、および2次80MHzチャネル、すなわちチャネル0および2〜7である。
【００５６】
実施例2：
【００５７】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルの範囲は160MHzまたは（80＋80）MHzであり、この場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルの範囲は160MHzまたは（80＋80）MHzであり、この場合、データ送信チャネルは、1次20MHzチャネル、2次20MHzチャネルおよび2次80MHzチャネルを含む。
【００５８】
図12を参照して、実施例2におけるチャネル結合識別子と帯域幅識別子とのマッピング関係およびチャネルについて説明する。
【００５９】
BW＝00の場合、データ送信帯域幅は1次20MHzチャネル、すなわちチャネル0である。チャネル結合識別子の値は、0、1、または予約されていてもよい。
【００６０】
BW＝01の場合、データ送信帯域幅は、1次20MHzチャネルおよび2次20MHzチャネル、すなわちチャネル0および1である。チャネル結合識別子の値は、0、1、または予約されていてもよい。
【００６１】
BW＝10、CB＝0の場合、データ送信帯域幅は、1次20MHzチャネル、2次20MHzチャネル、および2次40MHzチャネル、すなわちチャネル0〜3である。
【００６２】
BW＝10、CB＝1の場合、データ送信帯域幅は、1次20MHzチャネルおよび2次40MHzチャネル、すなわちチャネル0、2、3である。
【００６３】
BW＝11、CB＝0の場合、データ送信帯域幅は、1次20MHzチャネル、2次20MHzチャネル、2次40MHzチャネル、および2次80MHzチャネル、すなわちチャネル0〜7である。
【００６４】
BW＝11、CB＝1の場合、データ送信帯域幅は、1次20MHzチャネル、2次20MHzチャネル、および2次80MHzチャネル、すなわちチャネル0、1、および4〜7である。
【００６５】
実施例3：
【００６６】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルの範囲は160MHzまたは（80＋80）MHzであり、この場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルの範囲は160MHzまたは（80＋80）MHzであり、この場合、データ送信チャネルは、1次20MHzチャネルおよび2次80MHzチャネルを含む。
【００６７】
図13を参照して、方法3におけるチャネル結合識別子と帯域幅識別子とのマッピング関係およびチャネルについて説明する。
【００６８】
BW＝00の場合、データ送信帯域幅は1次20MHzチャネル、すなわちチャネル0である。データ送信帯域幅が40MHz以下である場合、チャネル結合識別子の値は、0、1、または予約されていてもよい。
【００６９】
BW＝01の場合、データ送信帯域幅は、1次20MHzチャネルおよび2次20MHzチャネル、すなわちチャネル0および1である。データ送信帯域幅が40MHz以下である場合、チャネル結合識別子の値は、0、1、または予約されていてもよい。
【００７０】
BW＝10、CB＝0の場合、データ送信帯域幅は、1次20MHzチャネル、2次20MHzチャネル、および2次40MHzチャネル、すなわちチャネル0〜3である。
【００７１】
BW＝10、CB＝1の場合、データ送信帯域幅は、1次20MHzチャネルおよび2次40MHzチャネル、すなわちチャネル0、2、3である。
【００７２】
BW＝11、CB＝0の場合、データ送信帯域幅は、1次20MHzチャネル、2次20MHzチャネル、2次40MHzチャネル、および2次80MHzチャネル、すなわちチャネル0〜7である。
【００７３】
BW＝11、CB＝1の場合、データ送信帯域幅は、1次20MHzチャネルおよび2次80MHzチャネル、すなわちチャネル0および4〜7である。
【００７４】
実施例4：
【００７５】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルの範囲は160MHzまたは（80＋80）MHzであり、この場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルの範囲は160MHzまたは（80＋80）MHzであり、この場合、データ送信チャネルは、1次20MHzチャネル、2次40MHzチャネルおよび2次80MHzチャネルを含む。
【００７６】
図14を参照して、方法4におけるチャネル結合識別子と帯域幅識別子とのマッピング関係およびチャネルについて説明する。
【００７７】
BW＝00の場合、データ送信帯域幅は1次20MHzチャネル、すなわちチャネル0である。チャネル結合識別子の値は、0、1、または予約されていてもよい。
【００７８】
BW＝01の場合、データ送信帯域幅は、1次20MHzチャネルおよび2次20MHzチャネル、すなわちチャネル0および1である。チャネル結合識別子の値は、0、1、または予約されていてもよい。
【００７９】
BW＝10、CB＝0の場合、データ送信帯域幅は、1次20MHzチャネル、2次20MHzチャネル、および2次40MHzチャネル、すなわちチャネル0〜3である。
【００８０】
BW＝10、CB＝1の場合、データ送信帯域幅は、1次20MHzチャネルおよび2次40MHzチャネル、すなわちチャネル0、2、3である。
【００８１】
BW＝11、CB＝0の場合、データ送信帯域幅は、1次20MHzチャネル、2次20MHzチャネル、2次40MHzチャネル、および2次80MHzチャネル、すなわちチャネル0〜7である。
【００８２】
BW＝11、CB＝1の場合、データ送信帯域幅は、1次20MHzチャネル、2次40MHzチャネル、2次80MHzチャネル、すなわちチャネル0および2〜7である。
【００８３】
実施例5：
【００８４】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、または、
帯域幅識別子が第4の値である場合、データ送信チャネルは、1次20MHzチャネル、2次20MHzチャネル、2次40MHzチャネルおよび2次80MHzチャネルを含む。
【００８５】
図15を参照して、方法5におけるチャネル結合識別子と帯域幅識別子とのマッピング関係およびチャネルについて説明する。
【００８６】
BW＝00の場合、データ送信帯域幅は1次20MHzチャネル、すなわちチャネル0である。チャネル結合識別子の値は、0、1、または予約されていてもよい。
【００８７】
BW＝01の場合、データ送信帯域幅は、1次20MHzチャネルおよび2次20MHzチャネル、すなわちチャネル0および1である。チャネル結合識別子の値は、0、1、または予約されていてもよい。
【００８８】
BW＝10、CB＝0の場合、データ送信帯域幅は、1次20MHzチャネル、2次20MHzチャネル、および2次40MHzチャネル、すなわちチャネル0〜3である。
【００８９】
BW＝10、CB＝1の場合、データ送信帯域幅は、1次20MHzチャネルおよび2次40MHzチャネル、すなわちチャネル0、2、3である。
【００９０】
BW＝11の場合、データ送信帯域幅は、1次20MHzチャネル、2次20MHzチャネル、2次40MHzチャネル、および2次80MHzチャネル、すなわちチャネル0〜7である。チャネル結合識別子の値は、0、1、または予約されていてもよい。
【００９１】
実施例6：
【００９２】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値である場合、データ送信チャネルは1次20MHzチャネル、2次20MHzチャネル、および2次40MHzチャネルを含み、
帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは、1次20MHzチャネル、2次20MHzチャネルおよび2次80MHzチャネルを含む。
【００９３】
図16を参照して、方法6におけるチャネル結合識別子と帯域幅識別子とのマッピング関係およびチャネルについて説明する。
【００９４】
BW＝00の場合、データ送信帯域幅は1次20MHzチャネル、すなわちチャネル0である。チャネル結合識別子の値は、0、1、または予約されていてもよい。
【００９５】
BW＝01の場合、データ送信帯域幅は、1次20MHzチャネルおよび2次20MHzチャネル、すなわちチャネル0および1である。チャネル結合識別子の値は、0、1、または予約されていてもよい。
【００９６】
BW＝10の場合、データ送信帯域幅は、1次20MHzチャネル、2次20MHzチャネル、および2次40MHzチャネル、すなわちチャネル0〜3である。チャネル結合識別子の値は、0、1、または予約されていてもよい。
【００９７】
BW＝11、CB＝0の場合、データ送信帯域幅は、1次20MHzチャネル、2次40MHzチャネル、および2次80MHzチャネル、すなわちチャネル0〜7である。
【００９８】
BW＝11、CB＝1の場合、データ送信帯域幅は、1次20MHzチャネル、2次20MHzチャネル、および2次80MHzチャネル、すなわちチャネル0、1、および4〜7である。
【００９９】
実施例7：
【０１００】
実施例7では、以下に示す6つの帯域幅モードがある。
【０１０１】
モード1：1次20MHzチャネル。
【０１０２】
モード2：1次20MHzチャネルおよび2次20MHzチャネル。
【０１０３】
モード3：1次20MHzチャネルおよび2次40MHzチャネル。
【０１０４】
モード4：1次20MHzチャネル、2次20MHzチャネル、および2次40MHzチャネル。
【０１０５】
モード5：1次20MHzチャネルおよび2次80MHzチャネル、または、
1次20MHzチャネル、2次40MHzチャネル、および2次80MHzチャネル。
【０１０６】
モード6：1次20MHzチャネル、2次20MHzチャネル、および2次80MHzチャネル、または、
1次20MHzチャネル、2次20MHzチャネル、2次40MHzチャネル、および2次80MHzチャネルを含む。
【０１０７】
6つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表1に示す対応する方法が推奨される。表示方法とチャネルモードとの間で対応する他の方法も、この実施形態に適用可能である。
【０１０８】
【表１】
2019510400.tif 000003
【０１０９】
図17aおよび図17bから、各表示方法について、受信局は、固定位置からHE-SIG-B 1およびHE-SIG-B 2を取得できることが分かる（20MHzチャネルモードの場合、HE-SIG-B 1のみ存在し、HE-SIG-B 2は存在しない）。1つの表示が複数の帯域幅モードに対応する場合でも、HE-SIG-B 1およびHE-SIG-B 2の取得は影響を受けない。｛BW，CB｝＝｛2，0｝の場合、HE-SIG-B 1およびHE-SIG-B 2のいずれかを1次20MHzチャネルを使用して取得し、HE-SIG-Bの他の部分を2次40MHzの20MHzチャネルを使用して取得できる。特定の周波数が降順に配置されている場合、1次20MHzチャネルが奇数を使用して番号付けされた20MHzチャネル上にある場合（図17aに示す）、HE-SIG-Bの他の部分は、2次40MHzチャネルの偶数を使用して番号付けされた20MHzチャネルを使用して取得される。対照的に、1次20MHzチャネルが偶数を使用して番号付けされた20MHzチャネル上にある場合（図17bに示す）、HE-SIG-Bの他の部分は、2次40MHzチャネルの奇数を使用して番号付けされた20MHzチャネルを使用して取得される。
【０１１０】
｛BW，CB｝＝｛2，1｝の場合、1次20MHzチャネルおよび2次20MHzチャネルはHE-SIG-B 1およびHE-SIG-B 2を含み、2次40MHzチャネルもHE-SIG-B 1およびHE-SIG-B 2を含み、HE-SIG-B 1およびHE-SIG-B 2をどちらから取得するかは受信局が自ら決定することができる。
【０１１１】
この実施例におけるHE-SIG-B 1およびHE-SIG-B 2の説明は、本発明の他の実施形態にも適用可能であることに留意されたい。
【０１１２】
実施例8：
【０１１３】
この実施形態では、2次80MHzチャネルは2つの連続する40MHzチャネルに分割され、2つの40MHzチャネルは異なるルールに従って分類されてもよい。例えば、2つの40MHzチャネルは、周波数に応じて、上位40MHzチャネル（周波数がより高い40MHzチャネル）と下位40MHzチャネル（周波数がより低い40MHzチャネル）とに分類される。別の例では、2つの40MHzチャネルは、1次20MHzまでの距離に応じて、近い40MHzチャネルと遠い40MHzチャネルとに分類される。分類規則はこの特許解決策に限定されず、その表示原則は類似している。便宜上、上位40MHzチャネルおよび下位40MHzチャネルの例は、説明のための後続の実施形態の説明で使用される。
【０１１４】
実施例8では、図18aに示す以下の6つの帯域幅モードがある。
【０１１５】
モード1：1次20MHzチャネル。
【０１１６】
モード2：1次20MHzチャネルおよび2次20MHzチャネル。
【０１１７】
モード3：1次20MHzチャネルおよび2次40MHzチャネル。
【０１１８】
モード4：1次20MHzチャネル、2次20MHzチャネル、および2次40MHzチャネル。
【０１１９】
モード5：1次20MHzチャネルおよび2次80MHzの下位40MHzチャネル、または、
1次20MHzチャネル、2次40MHzチャネル、および2次80MHzの下位40MHzチャネル、または1次20MHzチャネルおよび2次80MHzチャネル、または1次20MHzチャネル、2次40MHzチャネル、および2次80MHzチャネル。
【０１２０】
モード6：1次20MHzチャネル、2次20MHzチャネル、および第2の80MHzの下位40MHzチャネル、または1次20MHzチャネル、2次20MHzチャネル、および2次80MHzの上位40MHzチャネル、または1次20MHzチャネル、2次20MHzチャネル、および2次80MHzチャネル、または1次20MHzチャネル、2次20MHzチャネル、2次40MHzチャネル、および2次80MHzの下位40MHzチャネル、または1次20MHzチャネル、2次20MHzチャネル、2次40MHzチャネル、および2次80MHzの上位40MHzチャネル、または1次20MHzチャネル、2次20MHzチャネル、2次40MHzチャネル、および2次80MHzチャネル。
【０１２１】
6つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表2に示す対応する方法が推奨される。表示方法とチャネルモードとの間で対応する他の方法も、この実施形態に適用可能である。
【０１２２】
【表２】
2019510400.tif 000004
【０１２３】
図18bは、別の実施例を示し、実施例は、以下の6つのチャネルモードを含む。
【０１２４】
モード1：1次20MHzチャネル。
【０１２５】
モード2：1次20MHzチャネルおよび2次20MHzチャネル。
【０１２６】
モード3：1次20MHzチャネルおよび2次40MHzチャネル。
【０１２７】
モード4：1次20MHzチャネル、2次20MHzチャネル、および2次40MHzチャネル。
【０１２８】
モード5：1次20MHzチャネルおよび2次80MHzの上位40MHzチャネル、または、
1次20MHzチャネル、2次40MHzチャネル、および2次80MHzの上位40MHzチャネル、または1次20MHzチャネルおよび2次80MHzチャネル、または1次20MHzチャネル、2次40MHzチャネル、および2次80MHzチャネル。
【０１２９】
モード6：1次20MHzチャネル、2次20MHzチャネル、および第2の80MHzの下位40MHzチャネル、または1次20MHzチャネル、2次20MHzチャネル、および2次80MHzの上位40MHzチャネル、または1次20MHzチャネル、2次20MHzチャネル、および2次80MHzチャネル、または1次20MHzチャネル、2次20MHzチャネル、2次40MHzチャネル、および2次80MHzの下位40MHzチャネル、または1次20MHzチャネル、2次20MHzチャネル、2次40MHzチャネル、および2次80MHzの上位40MHzチャネル、または1次20MHzチャネル、2次20MHzチャネル、2次40MHzチャネル、および2次80MHzチャネル。
【０１３０】
6つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表2に示す対応する方法が推奨される。表示方法とチャネルモードとの間で対応する他の方法も、この実施形態に適用可能である。
【０１３１】
【表３】
2019510400.tif 000005
【０１３２】
図18cは、別の実施例を示し、実施例は、以下の7つのチャネルモードを含む。
【０１３３】
モード1：1次20MHzチャネル。
【０１３４】
モード2：1次20MHzチャネルおよび2次20MHzチャネル。
【０１３５】
モード3：1次20MHzチャネルおよび2次40MHzチャネル。
【０１３６】
モード4：1次20MHzチャネル、2次20MHzチャネル、および2次40MHzチャネル。
【０１３７】
モード5：1次20MHzチャネルおよび2次80MHzの下位40MHzチャネル、または、
1次20MHzチャネル、2次40MHzチャネル、および2次80MHzの下位40MHzチャネル、または1次20MHzチャネルおよび2次80MHzチャネル、または1次20MHzチャネル、2次40MHzチャネル、および2次80MHzチャネル。
【０１３８】
モード6：1次20MHzチャネル、2次20MHzチャネル、および第2の80MHzの下位40MHzチャネル、または1次20MHzチャネル、2次20MHzチャネル、および2次80MHzの上位40MHzチャネル、または1次20MHzチャネル、2次20MHzチャネル、および2次80MHzチャネル、または1次20MHzチャネル、2次20MHzチャネル、2次40MHzチャネル、および2次80MHzの下位40MHzチャネル、または1次20MHzチャネル、2次20MHzチャネル、2次40MHzチャネル、および2次80MHzの上位40MHzチャネル、または1次20MHzチャネル、2次20MHzチャネル、2次40MHzチャネル、および2次80MHzチャネル。
【０１３９】
モード7：1次20MHzチャネルおよび2次80MHzの上位40MHzチャネル、または1次20MHzチャネル、2次40MHzチャネル、および2次80MHzの上位40MHzチャネル、または1次20MHzチャネルおよび2次80MHzチャネル、または1次20MHzチャネル、2次40MHzチャネル、および2次80MHzチャネル。
【０１４０】
7つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表4に示す対応する方法が記載されている。表示方法とチャネルモードとの間で対応する他の方法も、この実施形態に適用可能である。
【０１４１】
【表４】
2019510400.tif 000006
【０１４２】
図18dは、別の実施例を示し、実施例は、以下の8つのチャネルモードを含む。
【０１４３】
モード1：1次20MHzチャネル。
【０１４４】
モード2：1次20MHzチャネルおよび2次20MHzチャネル。
【０１４５】
モード3：1次20MHzチャネルおよび2次40MHzチャネル。
【０１４６】
モード4：1次20MHzチャネル、2次20MHzチャネル、および2次40MHzチャネル。
【０１４７】
モード5：1次20MHzチャネルおよび2次80MHzの下位40MHzチャネル、または、
1次20MHzチャネル、2次40MHzチャネル、および2次80MHzの下位40MHzチャネル、または1次20MHzチャネルおよび2次80MHzチャネル、または1次20MHzチャネル、2次40MHzチャネル、および2次80MHzチャネル。
【０１４８】
モード6：1次20MHzチャネル、2次20MHzチャネル、および第2の80MHzの下位40MHzチャネル、または1次20MHzチャネル、2次20MHzチャネル、および2次80MHzの上位40MHzチャネル、または1次20MHzチャネル、2次20MHzチャネル、および2次80MHzチャネル、または1次20MHzチャネル、2次20MHzチャネル、2次40MHzチャネル、および2次80MHzの下位40MHzチャネル、または1次20MHzチャネル、2次20MHzチャネル、2次40MHzチャネル、および2次80MHzの上位40MHzチャネル、または1次20MHzチャネル、2次20MHzチャネル、2次40MHzチャネル、および2次80MHzチャネル。
【０１４９】
モード7：1次20MHzチャネルおよび2次80MHzの上位40MHzチャネル、または1次20MHzチャネル、2次40MHzチャネル、および2次80MHzの上位40MHzチャネル、または1次20MHzチャネルおよび2次80MHzチャネル、または1次20MHzチャネル、2次40MHzチャネル、および2次80MHzチャネル。
【０１５０】
モード8：1次20MHzチャネル、2次40MHzチャネル、および2次80MHzの下位40MHzチャネル、または1次20MHzチャネル、2次40MHzチャネル、および2次80MHzの上位40MHzチャネル、または1次20MHzチャネル、2次40MHzチャネル、および2次80MHzチャネル。
【０１５１】
7つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表5に示す対応する方法が記載されている。表示方法とチャネルモードとの間で対応する他の方法も、この実施形態に適用可能である。
【０１５２】
【表５】
2019510400.tif 000007
【０１５３】
実施例9：
【０１５４】
この実施形態では、2次40MHzチャネルは2つの20MHzチャネルに分割される。2つの20MHzチャネルは、異なる規則に従って分類されてもよい。例えば、2つの20MHzチャネルは、周波数に応じて、上位20MHzチャネル（周波数がより高い20MHzチャネル）と下位20MHzチャネル（周波数がより低い20MHzチャネル）とに分類される。別の例では、2つの20MHzチャネルは、1次20MHzチャネルまでの距離に応じて、近い20MHzチャネルと遠い20MHzチャネルとに分類される。分類規則はこの特許解決策に限定されず、その表示原則は類似している。便宜上、上位20MHzチャネルおよび下位20MHzチャネルの例は、説明のための後続の実施形態の説明で使用される。実施例9では、図19に示す以下の6つの帯域幅モードがある。
【０１５５】
モード1：1次20MHzチャネル。
【０１５６】
モード2：1次20MHzチャネルおよび2次20MHzチャネル。
【０１５７】
モード3：1次20MHzチャネルおよび2次40MHzチャネル、または1次20MHzチャネルおよび2次40MHzチャネルの20MHzチャネル。
【０１５８】
具体的には、1次20MHzチャネルが、奇数を使用して番号付けされたチャネル上に周波数の降順にある場合、20MHzチャネルは、2次40MHzチャネルの偶数を使用して番号付けされた20MHzチャネルである。1次20MHzチャネルが、偶数を使用して番号付けされたチャネル上に周波数の降順にある場合、20MHzチャネルは、2次40MHzチャネルの奇数を使用して番号付けされた20MHzチャネルである。
【０１５９】
モード4：1次20MHzチャネル、2次20MHzチャネル、および2次40MHzの下位20MHzチャネル、または1次20MHzチャネル、2次20MHzチャネル、および2次40MHzの上位20MHzチャネル、または1次20MHzチャネル、2次20MHzチャネル、および2次40MHzチャネル。
【０１６０】
モード5：1次20MHzチャネルおよび2次80MHzチャネル、または1次20MHzチャネル、2次40MHzの下位20MHzチャネル、および2次80MHzチャネル、または1次20MHzチャネル、2次40MHzの上位20MHzチャネル、および2次80MHzチャネル、または1次20MHzチャネル、2次40MHzチャネル、および2次80MHzチャネル。
【０１６１】
モード6：1次20MHzチャネル、2次20MHzチャネル、および2次80MHzチャネル、または1次20MHzチャネル、2次20MHzチャネル、2次40MHzの下位20MHzチャネル、および2次80MHz、または1次20MHzチャネル、2次20MHzチャネル、2次40MHzの上位20MHzチャネル、および2次80MHzチャネル、または1次20MHzチャネル、2次20MHzチャネル、2次40MHzチャネル、および2次80MHzチャネル。
【０１６２】
6つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表6に示す対応する方法が記載されている。表示方法とチャネルモードとの間で対応する他の方法も、この実施形態に適用可能である。
【０１６３】
【表６】
2019510400.tif 000008
【０１６４】
実施例10：
【０１６５】
この実施形態では、2次40MHzチャネルは2つの20MHzチャネルに分割され、2次80MHzチャネルは2つの連続する40MHzチャネルに分割される。便宜上、分割された2つの20MHzチャネルおよび2つの40MHzチャネルを、それぞれ上位20MHzチャネル、下位20MHzチャネル、上位40MHzチャネル、および下位40MHzチャネルとする例が、説明のための後続の実施形態の説明で使用される。
【０１６６】
実施例10では、図20aに示す以下の6つの帯域幅モードがある。
【０１６７】
モード1：1次20MHzチャネル。
【０１６８】
モード2：1次20MHzチャネルおよび2次20MHzチャネル。
【０１６９】
モード3：1次20MHzチャネルおよび2次40MHzチャネル、または1次20MHzチャネルおよび2次40MHzチャネルの20MHzチャネル。具体的には、1次20MHzチャネルが、奇数を使用して番号付けされたチャネル上に周波数の降順にある場合、20MHzチャネルは、2次40MHzチャネルの偶数を使用して番号付けされた20MHzチャネルである。1次20MHzチャネルが、偶数を使用して番号付けされたチャネル上に周波数の降順にある場合、20MHzチャネルは、2次40MHzチャネルの奇数を使用して番号付けされた20MHzチャネルである。
【０１７０】
モード4：1次20MHzチャネル、2次20MHzチャネル、および2次40MHzの下位20MHzチャネル、または1次20MHzチャネル、2次20MHzチャネル、および2次40MHzの上位20MHzチャネル、または1次20MHzチャネル、2次20MHzチャネル、および2次40MHzチャネル。
【０１７１】
モード5：1次20MHzチャネルおよび2次80MHzの下位40MHzチャネル、または1次20MHzチャネル、2次40MHzの上位20MHzチャネル、および2次80MHzの下位40MHzチャネル、または1次20MHzチャネル、2次40MHzの下位20MHzチャネル、および2次80MHzの下位40MHzチャネル、または1次20MHzチャネルおよび2次80MHzチャネル、または20MHzチャネル、2次40MHzチャネル、および2次80MHzの下位40MHzチャネル、または1次20MHzチャネル、2次40MHzの上位20MHzチャネル、および2次80MHzチャネル、または1次20MHzチャネル、2次40MHzの下位20MHzチャネル、および2次80MHzチャネル、または1次20MHzチャネル、2次40MHzチャネル、および2次80MHzチャネル。
【０１７２】
モード6：1次20MHzチャネル、2次20MHzチャネル、および2次80MHzの下位40MHzチャネル、または1次20MHzチャネル、2次20MHzチャネル、2次40MHzの上位20MHzチャネル、および2次80MHzの下位40MHzチャネル、または1次20MHzチャネル、2次20MHzチャネル、2次40MHzの下位20MHzチャネル、および2次80MHzの下位40MHzチャネル、または1次20MHzチャネル、2次20MHzチャネル、および2次80MHzチャネル、または1次20MHzチャネル、2次20MHzチャネル、2次40MHzチャネル、および2次80MHzの下位40MHzチャネル、または1次20MHzチャネル、2次20MHzチャネル、2次40MHzの上位20MHzチャネル、および2次80MHzチャネル、または1次20MHzチャネル、2次20MHzチャネル、2次40MHzの下位20MHzチャネル、および2次80MHzチャネル、または1次20MHzチャネル、2次20MHzチャネル、2次40MHzチャネル、および2次80MHzチャネル、または1次20MHzチャネル、2次20MHzチャネル、および2次80MHzの上位40MHzチャネル、または1次20MHzチャネル、2次20MHzチャネル、2次40MHzの上位20MHzチャネル、および2次80MHzの上位40MHzチャネル、または1次20MHzチャネル、2次20MHzチャネル、2次40MHzの下位20MHzチャネル、および2次80MHzの上位40MHzチャネル、または1次20MHzチャネル、2次20MHzチャネル、2次40MHzチャネル、および2次80MHzの上位40MHzチャネル。
【０１７３】
6つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表7に示す対応する方法が記載されている。表示方法とチャネルモードとの間で対応する他の方法も、この実施形態に適用可能である。
【０１７４】
【表７】
2019510400.tif 000009
【０１７５】
図20bは、別の実施例を示し、実施例は、以下の6つのチャネルモードを含む。
【０１７６】
モード1：1次20MHzチャネル。
【０１７７】
モード2：1次20MHzチャネルおよび2次20MHzチャネル。
【０１７８】
モード3：1次20MHzチャネルおよび2次40MHzチャネル、または、
1次20MHzチャネルおよび2次40MHzチャネルの20MHzチャネル。
【０１７９】
具体的には、1次20MHzチャネルが、奇数を使用して番号付けされたチャネル上に周波数の降順にある場合、20MHzチャネルは、2次40MHzチャネルの偶数を使用して番号付けされた20MHzチャネルである。1次20MHzチャネルが、偶数を使用して番号付けされたチャネル上に周波数の降順にある場合、20MHzチャネルは、2次40MHzチャネルの奇数を使用して番号付けされた20MHzチャネルである。
【０１８０】
モード4：1次20MHzチャネル、2次20MHzチャネル、および2次40MHzの下位20MHzチャネル、または1次20MHzチャネル、2次20MHzチャネル、および2次40MHzの上位20MHzチャネル、または1次20MHzチャネル、2次20MHzチャネル、および2次40MHzチャネル。
【０１８１】
モード5：1次20MHzチャネルおよび2次80MHzの上位40MHzチャネル、または1次20MHzチャネル、2次40MHzの上位20MHzチャネル、および2次80MHzの上位40MHzチャネル、または1次20MHzチャネル、2次40MHzの下位20MHzチャネル、および2次80MHzの上位40MHzチャネル、または1次20MHzチャネルおよび2次80MHzチャネル、または1次20MHzチャネル、2次40MHzチャネル、および2次80MHzの上位40MHzチャネル、または1次20MHzチャネル、2次40MHzの上位20MHzチャネル、および2次80MHzチャネル、または1次20MHzチャネル、2次40MHzの下位20MHzチャネル、および2次80MHzチャネル、または1次20MHzチャネル、2次40MHzチャネル、および2次80MHzチャネル。
【０１８２】
モード6：1次20MHzチャネル、2次20MHzチャネル、および2次80MHzの下位40MHzチャネル、または1次20MHzチャネル、2次20MHzチャネル、2次40MHzの上位20MHzチャネル、および2次80MHzの下位40MHzチャネル、または1次20MHzチャネル、2次20MHzチャネル、2次40MHzの下位20MHzチャネル、および2次80MHzの下位40MHzチャネル、または1次20MHzチャネル、2次20MHzチャネル、および2次80MHzチャネル、または1次20MHzチャネル、2次20MHzチャネル、2次40MHzチャネル、および2次80MHzの下位40MHzチャネル、または1次20MHzチャネル、2次20MHzチャネル、2次40MHzの上位20MHzチャネル、および2次80MHzチャネル、または1次20MHzチャネル、2次20MHzチャネル、2次40MHzの下位20MHzチャネル、および2次80MHzチャネル、または1次20MHzチャネル、2次20MHzチャネル、2次40MHzチャネル、および2次80MHzチャネル、または1次20MHzチャネル、2次20MHzチャネル、および2次80MHzの上位40MHzチャネル、または1次20MHzチャネル、2次20MHzチャネル、2次40MHzの上位20MHzチャネル、および2次80MHzの上位40MHzチャネル、または1次20MHzチャネル、2次20MHzチャネル、2次40MHzの下位20MHzチャネル、および2次80MHzの上位40MHzチャネル、または1次20MHzチャネル、2次20MHzチャネル、2次40MHzチャネル、および2次80MHzの上位40MHzチャネル。
【０１８３】
6つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表8に示す対応する方法が記載されている。表示方法とチャネルモードとの間で対応する他の方法も、この実施形態に適用可能である。
【０１８４】
【表８】
2019510400.tif 000010
【０１８５】
図20cは、別の実施例を示し、実施例は、以下の7つのチャネルモードを含む。
【０１８６】
モード1：1次20MHzチャネル。
【０１８７】
モード2：1次20MHzチャネルおよび2次20MHzチャネル。
【０１８８】
モード3：1次20MHzチャネルおよび2次40MHzチャネル、または、
1次20MHzチャネルおよび2次40MHzチャネルの20MHzチャネル。具体的には、1次20MHzチャネルが、奇数を使用して番号付けされたチャネル上に周波数の降順にある場合、20MHzチャネルは、2次40MHzチャネルの偶数を使用して番号付けされた20MHzチャネルである。1次20MHzチャネルが、偶数を使用して番号付けされたチャネル上に周波数の降順にある場合、20MHzチャネルは、2次40MHzチャネルの奇数を使用して番号付けされた20MHzチャネルである。
【０１８９】
モード4：1次20MHzチャネル、2次20MHzチャネル、および2次40MHzの下位20MHzチャネル、または1次20MHzチャネル、2次20MHzチャネル、および2次40MHzの上位20MHzチャネル、または1次20MHzチャネル、2次20MHzチャネル、および2次40MHzチャネル。
【０１９０】
モード5：1次20MHzチャネルおよび2次80MHzの下位40MHzチャネル、または1次20MHzチャネル、2次40MHzの上位20MHzチャネル、および2次80MHzの下位40MHzチャネル、または1次20MHzチャネル、2次40MHzの下位20MHzチャネル、および2次80MHzの下位40MHzチャネル、または1次20MHzチャネルおよび2次80MHzチャネル、または1次20MHzチャネル、2次40MHzチャネル、および2次80MHzの下位40MHzチャネル、または1次20MHzチャネル、2次40MHzの上位20MHzチャネル、および2次80MHzチャネル、または1次20MHzチャネル、2次40MHzの下位20MHzチャネル、および2次80MHzチャネル、または1次20MHzチャネル、2次40MHzチャネル、および2次80MHzチャネル。
【０１９１】
モード6：1次20MHzチャネル、2次20MHzチャネル、および2次80MHzの下位40MHzチャネル、または1次20MHzチャネル、2次20MHzチャネル、2次40MHzの上位20MHzチャネル、および2次80MHzの下位40MHzチャネル、または1次20MHzチャネル、2次20MHzチャネル、2次40MHzの下位20MHzチャネル、および2次80MHzの下位40MHzチャネル、または1次20MHzチャネル、2次20MHzチャネル、および2次80MHzチャネル、または1次20MHzチャネル、2次20MHzチャネル、2次40MHzチャネル、および2次80MHzの下位40MHzチャネル、または1次20MHzチャネル、2次20MHzチャネル、2次40MHzの上位20MHzチャネル、および2次80MHzチャネル、または1次20MHzチャネル、2次20MHzチャネル、2次40MHzの下位20MHzチャネル、および2次80MHzチャネル、または1次20MHzチャネル、2次20MHzチャネル、2次40MHzチャネル、および2次80MHzチャネル、または1次20MHzチャネル、2次20MHzチャネル、および2次80MHzの上位40MHzチャネル、または1次20MHzチャネル、2次20MHzチャネル、2次40MHzの上位20MHzチャネル、および2次80MHzの上位40MHzチャネル、または1次20MHzチャネル、2次20MHzチャネル、2次40MHzの下位20MHzチャネル、および2次80MHzの上位40MHzチャネル、または1次20MHzチャネル、2次20MHzチャネル、2次40MHzチャネル、および2次80MHzの上位40MHzチャネル。
【０１９２】
モード7：1次20MHzチャネルおよび2次80MHzの上位40MHzチャネル、または1次20MHzチャネル、2次40MHzの上位20MHzチャネル、および2次80MHzの上位40MHzチャネル、または1次20MHzチャネル、2次40MHzの下位20MHzチャネル、および2次80MHzの上位40MHzチャネル、または1次20MHzチャネル、2次40MHzの下位20MHzチャネル、および2次80MHzの上位40MHzチャネル。
【０１９３】
7つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表9に示す対応する方法が記載されている。表示方法とチャネルモードとの間で対応する他の方法も、この実施形態に適用可能である。
【０１９４】
【表９】
2019510400.tif 000011
【０１９５】
図20dは、別の実施例を示し、実施例は、以下の8つのチャネルモードを含む。
【０１９６】
モード1：1次20MHzチャネル。
【０１９７】
モード2：1次20MHzチャネルおよび2次20MHzチャネル。
【０１９８】
モード3：1次20MHzチャネルおよび2次40MHzチャネル、または、
1次20MHzチャネルおよび2次40MHzチャネルの20MHzチャネル。
【０１９９】
具体的には、1次20MHzチャネルが、奇数を使用して番号付けされたチャネル上に周波数の降順にある場合、20MHzチャネルは、2次40MHzチャネルの偶数を使用して番号付けされた20MHzチャネルである。1次20MHzチャネルが、偶数を使用して番号付けされたチャネル上に周波数の降順にある場合、20MHzチャネルは、2次40MHzチャネルの奇数を使用して番号付けされた20MHzチャネルである。
【０２００】
モード4：1次20MHzチャネル、2次20MHzチャネル、および2次40MHzの下位20MHzチャネル、または1次20MHzチャネル、2次20MHzチャネル、および2次40MHzの上位20MHzチャネル、または1次20MHzチャネル、2次20MHzチャネル、および2次40MHzチャネル。
【０２０１】
モード5：1次20MHzチャネルおよび2次80MHzの下位40MHzチャネル、または1次20MHzチャネル、2次40MHzの上位20MHzチャネル、および2次80MHzの下位40MHzチャネル、または1次20MHzチャネル、2次40MHzの下位20MHzチャネル、および2次80MHzの下位40MHzチャネル、または1次20MHzチャネルおよび2次80MHzチャネル、または1次20MHzチャネル、2次40MHzチャネル、および2次80MHzの下位40MHzチャネル、または1次20MHzチャネル、2次40MHzの上位20MHzチャネル、および2次80MHzチャネル、または1次20MHzチャネル、2次40MHzの下位20MHzチャネル、および2次80MHzチャネル、または1次20MHzチャネル、2次40MHzチャネル、および2次80MHzチャネル。
【０２０２】
モード6：1次20MHzチャネル、2次20MHzチャネル、および2次80MHzの下位40MHzチャネル、または1次20MHzチャネル、2次20MHzチャネル、2次40MHzの上位20MHzチャネル、および2次80MHzの下位40MHzチャネル、または1次20MHzチャネル、2次20MHzチャネル、2次40MHzの下位20MHzチャネル、および2次80MHzの下位40MHzチャネル、または1次20MHzチャネル、2次20MHzチャネル、および2次80MHzチャネル、または1次20MHzチャネル、2次20MHzチャネル、2次40MHzチャネル、および2次80MHzの下位40MHzチャネル、または1次20MHzチャネル、2次20MHzチャネル、2次40MHzの上位20MHzチャネル、および2次80MHzチャネル、または1次20MHzチャネル、2次20MHzチャネル、2次40MHzの下位20MHzチャネル、および2次80MHzチャネル、または1次20MHzチャネル、2次20MHzチャネル、2次40MHzチャネル、および2次80MHzチャネル、または1次20MHzチャネル、2次20MHzチャネル、および2次80MHzの上位40MHzチャネル、または1次20MHzチャネル、2次20MHzチャネル、2次40MHzの上位20MHzチャネル、および2次80MHzの上位40MHzチャネル、または1次20MHzチャネル、2次20MHzチャネル、2次40MHzの下位20MHzチャネル、および2次80MHzの上位40MHzチャネル、または1次20MHzチャネル、2次20MHzチャネル、2次40MHzチャネル、および2次80MHzの上位40MHzチャネル。
【０２０３】
モード7：1次20MHzチャネルおよび2次80MHzの上位40MHzチャネル、または1次20MHzチャネル、2次40MHzの上位20MHzチャネル、および2次80MHzの上位40MHzチャネル、または1次20MHzチャネル、2次40MHzの下位20MHzチャネル、および2次80MHzの上位40MHzチャネル、または1次20MHzチャネル、2次40MHzの下位20MHzチャネル、および2次80MHzの上位40MHzチャネル。
【０２０４】
モード8：1次20MHzチャネルおよび2次40MHzチャネルの20MHzチャネル。具体的には、1次20MHzチャネルが、奇数を使用して番号付けされたチャネル上に周波数の降順にある場合、20MHzチャネルは、2次40MHzチャネルの奇数を使用して番号付けされた20MHzチャネルである。1次20MHzチャネルが、偶数を使用して番号付けされたチャネル上に周波数の降順にある場合、20MHzチャネルは、2次40MHzチャネルの偶数を使用して番号付けされた20MHzチャネルである。
【０２０５】
8つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表10に示す対応する方法が記載されている。表示方法とチャネルモードとの間で対応する他の方法も、この実施形態に適用可能である。
【０２０６】
【表１０】
2019510400.tif 000012
【０２０７】
本発明のこの実施形態は、無線ローカルエリアネットワーク（WLAN）においてチャネルを示すための方法を提供する。送信局は物理プロトコルデータユニット（PPDU）を生成および送信し、PPDUはプリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。このように、無線ローカルエリアネットワークにおける周波数領域の不連続チャネルが示され、利用可能なデータ送信チャネルが改善され、システムスループットが向上する。
【０２０８】
実施形態2
本発明の実施形態2は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。図21は、チャネルを示す方法の例示的なブロック図である。具体的な手順は次のとおりである。
【０２０９】
ステップ201：物理プロトコルデータユニット（PPDU）を生成し、ここでPPDUはプリアンブルフィールドおよびデータフィールドを含み、プリアンブルフィールドの高効率信号フィールド（HE-SIG-A）は、帯域幅識別子および2次20MHzチャネル識別子を含み、帯域幅識別子が、データ送信チャネルが40MHzよりも大きいことを示す場合、2次20MHzチャネル識別子は、2次20MHzチャネルが利用可能であるかどうかを示すために使用される。
【０２１０】
ステップ202：PPDUを送信する。
【０２１１】
具体的には、2次20MHzチャネル識別子は少なくとも1ビットを含み、以下では例として1ビットを使用して説明する。2次20MHzチャネル識別子が第1の値である場合、2次20MHzチャネルは利用不可能であり、または2次20MHzチャネル識別子が第2の値である場合、2次20MHzチャネルは利用可能である。
【０２１２】
なお、2次20MHzチャネル識別子の第1の値および第2の値は、本発明においては限定されない。第1の値は「0」であり、第2の値は「1」である。第1の値は「1」であり、第2の値は「0」である。上記の2つの場合は、どちらも本発明の保護範囲にある。説明の便宜上、第1の値が「0」で第2の値が「1」の場合を以下で説明のために具体的に使用する。
【０２１３】
具体的には、送信局は、帯域幅識別子と2次20MHzチャネル識別子とを使用してデータ送信チャネルを示す。
【０２１４】
帯域幅識別子が第1の値である場合、データ送信チャネルは1次20MHzチャネルを含み、
帯域幅識別子が第2の値である場合、データ送信チャネルは、1次20MHzチャネルおよび2次20MHzチャネルを含み、
帯域幅識別子が第3の値であり、2次20MHzチャネル識別子が第1の値である場合、データ送信チャネルは、1次20MHzチャネルおよび2次40MHzチャネルを含み、
帯域幅識別子が第3の値であり、2次20MHzチャネル識別子が第2の値である場合、データ送信チャネルは、1次20MHzチャネル、2次20MHzチャネル、および2次40MHzチャネルを含み、
帯域幅識別子が第4の値であり、2次20MHzチャネル識別子が第1の値である場合、データ送信チャネルの範囲は160MHzまたは（80＋80）MHzであり、データ送信チャネルは2次20MHzチャネルを含まない、すなわち1次20MHzチャネルおよび2次80MHzチャネルを含むか、または1次20MHzチャネル、2次40MHzチャネル、および2次80MHzチャネルを含み、または、
帯域幅識別子が第4の値であり、2次20MHzチャネル識別子が第2の値である場合、データ送信チャネルの帯域幅は160MHzまたは（80＋80）MHzであり、データ送信チャネルは2次20MHzチャネルを含む、すなわち、1次20MHzチャネル、2次20MHzチャネル、および2次80MHzチャネルを含み、または1次20MHzチャネル、2次20MHzチャネル、2次40MHzチャネル、および2次80MHzチャネルを含む。
【０２１５】
帯域幅識別子は少なくとも2ビットを含み、2次20MHzチャネル識別子は少なくとも1ビットを含むことに留意されたい。説明の便宜上、本実施形態では、帯域幅識別子が2ビットを含み、2次20MHzチャネル識別子が1ビットを含む例を使用して説明する。
【０２１６】
なお、帯域幅識別子の第1の値から第4の値の定義は、実施形態1において既に説明したとおりであり、その定義は以降の実施例にも適用可能であることに留意されたい。
【０２１７】
図22を参照して、2次20MHzチャネル識別子と帯域幅識別子とのマッピング関係およびチャネルについて説明する。
【０２１８】
BW＝00の場合、データ送信帯域幅は1次20MHzチャネル、すなわちチャネル0である。データ送信帯域幅が40MHz以下である場合、チャネル結合識別子の値は、0、1、または予約されていてもよい。
【０２１９】
BW＝01の場合、データ送信帯域幅は、1次20MHzチャネルおよび2次20MHzチャネル、すなわちチャネル0およびチャネル1である。データ送信帯域幅が40MHz以下である場合、チャネル結合識別子の値は、0、1、または予約されていてもよい。
【０２２０】
BW＝10、2次20MHzチャネル識別子＝0の場合、データ送信帯域幅は、1次20MHzチャネルおよび2次40MHzチャネル、すなわちチャネル0、チャネル2、チャネル3である。
【０２２１】
BW＝10、2次20MHzチャネル識別子＝1の場合、データ送信帯域幅は、1次20MHzチャネル、2次20MHzチャネル、2次40MHzチャネル、すなわちチャネル0〜3である。
【０２２２】
BW＝11、2次20MHzチャネル識別子＝0の場合、データ送信帯域幅は、1次20MHzチャネルおよび2次80MHzチャネル、すなわちチャネル0およびチャネル4〜7である。あるいは、データ送信帯域幅は、1次20MHzチャネル、2次40MHzチャネル、および2次80MHzチャネル、すなわち、チャネル0および2〜7である。
【０２２３】
BW＝11、2次20MHzチャネル識別子＝1の場合、データ送信帯域幅は、1次20MHzチャネル、2次20MHzチャネル、2次40MHzチャネル、2次80MHzチャネル、すなわちチャネル0〜7である。あるいは、データ送信帯域幅は、1次20MHzチャネル、2次20MHzチャネル、および2次80MHzチャネル、すなわち、チャネル0、1、4〜7である。
【０２２４】
本発明のこの実施形態は、無線ローカルエリアネットワーク（WLAN）においてチャネルを示すための方法を提供する。送信局は物理プロトコルデータユニット（PPDU）を生成および送信し、PPDUはプリアンブルフィールドおよびデータフィールドを含み、プリアンブルフィールドの高効率信号フィールド（HE-SIG-A）は、帯域幅識別子および2次20MHzチャネル識別子を含み、帯域幅識別子がデータ送信チャネルが40MHzよりも大きいことを示す場合、2次20MHzチャネル識別子は、2次20MHzチャネルが利用可能であるかどうかを示すために使用される。このように、無線ローカルエリアネットワークにおける周波数領域の不連続チャネルが示され、利用可能なデータ送信チャネルが改善され、システムスループットが向上する。
【０２２５】
実施形態3
本発明の実施形態3は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。
【０２２６】
この実施形態では、PPDU内の帯域幅識別子を使用してデータ送信チャネルが示され、帯域幅（BandWidth、略してBW）識別子は少なくとも2ビットを含む。
【０２２７】
図23を参照して、帯域幅識別子とチャネルとのマッピング関係について説明する。
【０２２８】
BW＝00の場合、現在のデータ送信チャネルが1次20MHzチャネルを含むことを示す。
【０２２９】
BW＝01の場合、現在のデータ送信チャネルが1次20MHzチャネルおよび2次20MHzチャネルを含むことを示す。
【０２３０】
BW＝10の場合、現在のデータ送信チャネルが1次20MHzチャネルおよび2次40MHzチャネルを含む、または1次20MHzチャネル、2次20MHzチャネル、および2次40MHzチャネルを含むことを示す。
【０２３１】
BW＝11の場合、現在のデータ送信チャネルが1次20MHzチャネルおよび2次80MHzチャネルを含む、または1次20MHzチャネル、2次20MHzチャネル、および2次80MHzチャネルを含む、または1次20MHzチャネル、2次40MHzチャネル、および2次80MHzチャネルを含む、または1次20MHzチャネル、2次20MHzチャネル、2次40MHzチャネル、および2次80MHzチャネルを含むことを示す。
【０２３２】
BW＝2の場合、HE-SIG-B 1およびHE-SIG-B 2のいずれかを1次20MHzチャネルを使用して取得し、HE-SIG-Bの他の部分を2次40MHzの20MHzチャネルを使用して取得できる。特定の周波数が降順に配置されている場合、1次20MHzチャネルが奇数を使用して番号付けされた20MHzチャネル上にある場合、HE-SIG-Bの他の部分は、2次40MHzチャネルの偶数を使用して番号付けされた20MHzチャネルを使用して取得される。対照的に、1次20MHzチャネルが偶数を使用して番号付けされた20MHzチャネル上にある場合、HE-SIG-Bの他の部分は、2次40MHzチャネルの奇数を使用して番号付けされた20MHzチャネルを使用して取得される。
【０２３３】
BW＝3の場合、HE-SIG-B 1およびHE-SIG-B 2のいずれかを1次20MHzチャネルを使用して取得し、HE-SIG-Bの他の部分を2次80MHzの20MHzチャネルを使用して取得できる。特定の周波数が降順に配置されている場合、1次20MHzチャネルが奇数を使用して番号付けされた20MHzチャネル上にある場合、HE-SIG-Bの他の部分は、2次80MHzチャネルの偶数を使用して番号付けされたあらゆる20MHzチャネルを使用して取得される。対照的に、1次20MHzチャネルが偶数を使用して番号付けされた20MHzチャネル上にある場合、HE-SIG-Bの他の部分は、2次40MHzチャネルの奇数を使用して番号付けされたあらゆる20MHzチャネルを使用して取得される。
【０２３４】
本発明のこの実施形態は、無線ローカルエリアネットワーク（WLAN）においてチャネルを示すための方法を提供する。送信局は物理プロトコルデータユニット（PPDU）を生成および送信し、PPDUはプリアンブルフィールドおよびデータフィールドを含み、プリアンブルフィールドの高効率信号フィールド（HE-SIG-A）は、帯域幅識別子を含む。このように、無線ローカルエリアネットワークにおける周波数領域の不連続チャネルが示され、利用可能なデータ送信チャネルが改善され、システムスループットが向上する。
【０２３５】
実施形態4
図24を参照すると、図24は、本発明の実施形態4による無線ローカルエリアネットワークにおけるチャネルを示す装置の概略ブロック図である。この装置は、例えば、アクセスポイント、または関連機能を実行する専用回路またはチップである。アクセスポイント1000は、プロセッサ1010、メモリ1020、ベースバンド回路1030、無線周波数回路1040、およびアンテナ1050を含む。フレーム送信装置は、図2に示すAPであってもよい。APは、STA1、STA2、およびSTA3と通信する。
【０２３６】
具体的には、プロセッサ1010は、アクセスポイント1000の動作を制御する。メモリ1020は、読み出し専用メモリおよびランダムアクセスメモリを含んでいてもよく、プロセッサ1010に命令およびデータを提供する。プロセッサは、汎用プロセッサ、デジタル信号プロセッサ、特定用途向け集積回路、フィールドプログラマブルゲートアレイ、または別のプログラマブル論理装置であってもよい。メモリ1020の一部は、不揮発性ランダムアクセスメモリ（NVRAM）をさらに含むことができる。ベースバンド回路1030は、送信ベースバンド信号を生成するか、または受信ベースバンド信号を復号するように構成される。無線周波数回路1040は、低周波のベースバンド信号を高周波のキャリア信号に変調し、かつアンテナ1050を使用して高周波のキャリア信号を送信するように構成される。無線周波数回路はまた、アンテナ1050によって受信した高周波信号を、低周波のキャリア信号に復調するように構成される。局1000の構成要素は、バス1060を使用して共に連結される。データバスに加えて、バスシステム1060は、電源バス、制御バス、およびステータス信号バスを含む。しかしながら、説明を分かり易くするために、図のさまざまなバスをバスシステム1060として示している。アクセスポイント構造の前述の説明は、後続の実施形態にも適用できることに留意されたい。
【０２３７】
ベースバンド回路1030は、物理プロトコルデータユニット（PPDU）を生成するように構成され、ここでPPDUはプリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。
【０２３８】
無線周波数回路1040は、PPDUを送信するように構成される。
【０２３９】
具体的には、チャネル結合識別子が第1の値である場合、データ送信チャネルは周波数領域において連続的であり、またはチャネル結合識別子が第2の値である場合、データ送信チャネルは周波数領域に複数の不連続チャネルを含む。
【０２４０】
任意選択的に、チャネルを示す装置は、帯域幅識別子およびチャネル結合識別子の両方を使用してデータ送信チャネルを示し、表示方法は具体的には以下のとおりである。
【０２４１】
方法1：
【０２４２】
チャネル結合識別子が第1の値であり、帯域幅識別子が第1の値である場合、データ送信チャネルは1次20MHzチャネルを含み、
チャネル結合識別子が第1の値であり、帯域幅識別子が第2の値である場合、データ送信チャネルは1次20MHzチャネルおよび2次20MHzチャネルを含み、
チャネル結合識別子が第1の値であり、帯域幅識別子が第3の値である場合、データ送信チャネルは1次20MHzチャネル、2次20MHzチャネル、および2次40MHzチャネルを含み、
チャネル結合識別子が第1の値であり、帯域幅識別子が第4の値である場合、データ送信チャネルは1次20MHzチャネル、2次20MHzチャネル、2次40MHzチャネル、および2次80MHzチャネルを含み、
チャネル結合識別子が第2の値であり、帯域幅識別子が第1の値である場合、データ送信チャネルは1次20MHzおよび2次40MHzチャネルを含み、
チャネル結合識別子が第2の値であり、帯域幅識別子が第2の値である場合、データ送信チャネルは1次20MHzチャネルおよび2次80MHzチャネルを含み、
チャネル結合識別子が第2の値であり、帯域幅識別子が第3の値である場合、データ送信チャネルは1次20MHzチャネル、2次20MHzチャネル、および2次80MHzチャネルを含み、または、
チャネル結合識別子が第2の値であり、帯域幅識別子が第4の値である場合、データ送信チャネルは1次20MHzチャネル、2次40MHzチャネルおよび2次80MHzチャネルを含む。
【０２４３】
方法2：
【０２４４】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは、1次20MHzチャネル、2次40MHzチャネル、および2次80MHzチャネルを含む。
【０２４５】
方法3：
【０２４６】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは、1次20MHzチャネルおよび2次80MHzチャネルを含む。
【０２４７】
方法4：
【０２４８】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは、1次20MHzチャネル、2次20MHzチャネル、および2次80MHzチャネルを含む。
【０２４９】
方法5：
【０２５０】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、または、
帯域幅識別子が第4の値である場合、データ送信チャネルは、1次20MHzチャネル、2次20MHzチャネル、2次40MHzチャネルおよび2次80MHzチャネルを含む。
【０２５１】
なお、方法1〜5のチャネルマッピング関係は図6〜図10に示されており、詳細な説明は実施形態1において既に行われていることに留意されたい。
【０２５２】
なお、実施形態1から実施形態3における他のチャネル表示方法は、実施形態4のチャネル表示装置にも適用されることに留意されたい。
【０２５３】
本発明のこの実施形態は、無線ローカルエリアネットワーク（WLAN）においてチャネルを示すための装置を提供する。ベースバンド回路は物理プロトコルデータユニット（PPDU）を生成し、PPDUはプリアンブルフィールドおよびデータフィールドを含み、プリアンブルフィールドの高効率信号フィールド（HE-SIG-A）は、帯域幅識別子および2次20MHzチャネル識別子を含み、帯域幅識別子がデータ送信チャネルが40MHzよりも大きいことを示す場合、2次20MHzチャネル識別子は、2次20MHzチャネルが利用可能であるかどうかを示すために使用される。このように、無線ローカルエリアネットワークにおける周波数領域の不連続チャネルが示され、利用可能なデータ送信チャネルが改善され、システムスループットが向上する。
【０２５４】
実施形態5
本発明の実施形態5は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。
【０２５５】
この実施形態では、PPDU内の帯域幅識別子を使用してデータ送信チャネルが示され、帯域幅（BandWidth、略してBW）識別子は少なくとも3ビットを含む。
【０２５６】
データ送信チャネルは、以下の8つのモードを含む。
【０２５７】
モード1：1次20MHzチャネル。
【０２５８】
モード2：1次20MHzチャネルおよび2次20MHzチャネル。
【０２５９】
モード3：1次20MHzチャネル、2次20MHzチャネル、および2次40MHzチャネルの少なくとも1つの20MHzチャネル。
【０２６０】
モード4：少なくとも1次20MHzチャネルおよび2次40MHzのチャネルの20MHzチャネルが含まれ、20MHzのチャネルの位置は、1次20MHzチャネルの位置と比較して反対のパリティであり、2次80MHzチャネルの20MHzチャネルは含まれない。
【０２６１】
ここで、反対のパリティとは、周波数の降順または昇順に、1つの20MHzチャネルが奇数を使用して番号付けされた20MHzチャネル上にあり、他の20MHzチャネルが偶数番号を使用して番号付けされた20MHzチャネル上にあることを意味する。
【０２６２】
モード5：少なくとも1次20MHzチャネル、2次20MHzチャネル、および2次80MHzチャネルの少なくとも1つの20MHzチャネルが含まれる。
【０２６３】
モード6：少なくとも1次20MHzチャネル、2次40MHzチャネルの20MHzチャネルおよび2次80MHzチャネルの少なくとも1つの20MHzチャネルが含まれ、2次40MHzチャネルの20MHzチャネルの位置は、1次20MHzチャネルの位置と比較して反対のパリティである。
【０２６４】
モード7：少なくとも1次20MHzチャネルおよび2つの20MHzチャネルの第1の20MHzチャネルが含まれ、2次80MHzチャネルの2つの20MHzチャネルの位置は、1次20MHzチャネルの位置と比較して反対のパリティである。
【０２６５】
モード8：少なくとも1次20MHzチャネルおよび2つの20MHzチャネルの第2の20MHzチャネルが含まれ、2次80MHzチャネルの2つの20MHzチャネルの位置は、1次20MHzチャネルの位置と比較して反対のパリティである。
【０２６６】
第1の20MHzチャネルおよび第2の20MHzチャネルは異なる方法を使用して定義することができ、これは本発明において限定的でない。例えば、第1の20MHzチャネルは、2つの20MHzチャネルのうち低い周波数を有する20MHzチャネルであり、2次80MHzチャネルの2つの20MHzチャネルの位置は、1次20MHzチャネルの位置と比較して反対のパリティであり、第2の20MHzチャネルは、2つの20MHzのチャネルのうち高い周波数を有する20MHzチャネルであり、2次80MHzチャネルの2つの20MHzチャネルの位置は、1次20MHzチャネルと比較して反対のパリティである。あるいは、逆の場合も適用可能である。別の例では、第1の20MHzチャネルは、2次80MHzチャネルの2つの20MHzチャネルのうち、1次20MHzチャネルへの周波数分離の割合が小さい20MHzチャネルであり、2つの20MHzチャネルの位置は第1の20MHzチャネルの位置と比較して反対のパリティであり、第2の20MHzチャネルは、2次80MHzの2つの20MHzチャネルのうち、1次20MHzチャネルへの周波数分離の割合が大きい20MHzチャネルであり、2つの20MHzチャネルの位置は、1次20MHzチャネルの位置と比較して反対のパリティである。あるいは、逆の場合も適用可能である。
【０２６７】
チャネルが、1次20MHzチャネルおよびその位置が1次20MHzチャネルと同じパリティである2次40MHzの20MHzチャネルである場合、モード3またはモード4が示されてもよいことに留意されたい。その結果、受信局は、1次20MHzチャネルでHE-SIG-Bの一部を受信すると、その位置が1次20MHzチャネルとは反対のパリティである2次20MHzチャネルまたは2次40MHzチャネルの20MHzチャネルでHE-SIG-Bの他の部分の受信を試みるが、受信は失敗する。HE-SIG-Bに関連する情報は、その位置が1次20MHzチャネルと比較して反対のパリティである20MHzチャネルまたは2次40MHzチャネルの20MHzでは送信されない。したがって、受信の失敗は情報損失をもたらさない。
【０２６８】
チャネルが1次20MHzチャネルおよび2次80MHzの少なくとも1つの20MHzチャネルを含み、その位置が1次20MHzチャネルと比較して反対のパリティである20MHzチャネルを含まない場合、モード5、6、7、または8が示されてもよいことに留意されたい。その結果、受信局は、1次20MHzチャネルでHE-SIG-Bの一部を受信すると、その位置が1次20MHzチャネルと比較すると反対のパリティであり、それがモードに示されている20MHzチャネルでHE-SIG-Bの他の部分の受信を試みるが、受信は失敗する。HE-SIG-Bに関する情報は、その位置が1次20MHzチャネルと比較して反対のパリティである20MHzチャネルでは送信されない。したがって、受信の失敗は情報損失をもたらさない。
【０２６９】
本発明では、帯域幅識別子と8つのモードとの対応関係は限定されず、以下の対応関係を選択することが好ましい。
【０２７０】
【表１１】
2019510400.tif 000013
【０２７１】
8つのモードとチャネルとの対応を表11に示す。
【０２７２】
【表１２Ａ】
2019510400.tif 000014
【表１２Ｂ】
2019510400.tif 000015
【表１２Ｃ】
2019510400.tif 000016
【表１２Ｄ】
2019510400.tif 000017
【０２７３】
表で使用されるチャネル識別子は、チャネルの論理識別子である。一般に、チャネル識別子0は1次20MHzチャネルを示し、チャネル識別子1は2次20MHzチャネルを示し、チャネル識別子2および3は2次40MHzチャネルを示し、チャネル識別子4〜7は2次80MHzチャネルを示す。チャネル識別子とチャネルとの間で頻繁に使用されるマッピング関係は上述のとおりである。チャネル識別子とチャネルとの間の別のマッピング関係もある。これは、本発明において限定的でない。
【０２７４】
以下の説明の便宜上、1次チャネル上のHE-SIG-BをHE-SIG-B1と称する。図6、図7、図8、図9に示すように、HE-SIG-B1は、1次チャネルと同じパリティのチャネルにコピーされ、HE-SIG-B1の共通部分は、1次20Mチャネルと、その位置が1次チャネルのパリティと同じである20MチャネルのRU割り当てシグナリングを含む。HE-SIG-B 2の共通部分は、その位置が1次チャネルと比較すると反対のパリティである20MチャネルのRU割り当てシグナリングを含み、複数の20Mチャネルにコピーされる。以下の説明では、各20MチャネルのRU割り当てシグナリングの長さがNビットであり、例として8ビットを使用するものとする。
【０２７５】
前述の8つのモードのそれぞれは、2つの情報を運ぶ。第1の情報は、HE-SIG-B 1の共通部分の長さおよびHE-SIG-B 2の共通部分の長さを受信ノードに示す（ここでHE-SIG-B 1の共通部分長さは、HE-SIG-B 2の共通部分の長さに等しい）。第2の情報は、受信ノードがHE-SIG-B 2をどの20Mチャネルで受信するかを示す。ここで、受信ノードは、1次20MチャネルでHE-SIG-B1を受信することになっていることに留意されたい。例えば、モード3は、HE-SIG-B 1の共通部分の長さおよびHE-SIG-B 2の共通部分の長さが共に16ビットであることを受信ノードに示し（ここでは20MチャネルのみのRU割り当てシグナリングの長さについての統計が収集される）、HE-SIG-B2は、論理識別子が1であるチャネルで受信される。別の例では、モード8は、HE-SIG-B 1の共通部分の長さおよびHE-SIG-B 2の共通部分の長さが共に32ビットであることを受信ノードに示し、HE-SIG-B 2は、論理識別子が7である20Mチャネルで受信される。したがって、上記8つのモードは、受信ノードがHE-SIG-B1およびHE-SIG-B2を正しく受信できることを示す。
【０２７６】
さらに、HE-SIG-B 20MチャネルのRU割り当てシグナリングには、特別なRU割り当てシグナリング、すなわち242（0）が存在し、これは、情報を送信でき、かつ20Mに対応する242個のサブキャリアがどの局のデータも送信しないことを示す。すなわち、20Mチャネルはデータ送信を行わない。
【０２７７】
各20MのHE-SIG-B 1およびHE-SIG-B2の共通部分に含まれるHE-SIG-AおよびRU割り当てシグナリングの8つのモードを参照すると、受信ノードは、データがどのチャネルで受信されたかを知ることができる。例えば、データ送信チャネルは（0 1 2）であり、送信ノードは物理層プリアンブルのHE-SIG-Aの帯域幅識別子ビットをモード3に設定するものとする。また、HE-SIG-B1は、チャネル0およびチャネル2のRU割り当てシグナリングを含み、HE-SIG-B2は、チャネル1およびチャネル3のRU割り当てシグナリングを含む。チャネル3のRU割り当てシグナリングは242（0）である。HE-SIG-Aを受信した後、受信機は、モード3が使用されることを帯域幅識別子ビットによって知る。すなわち、HE-SIG-B1の共通部分の長さおよびHE-SIG-B2の共通部分の長さは共に16ビットである。HE-SIG-B1は論理識別子が0（1次20Mチャネル）のチャネルで受信され、HE-SIG-B2は論理識別子が1のチャネルで受信される。論理識別子が3のチャネルのHE-SIG-B2に含まれるRU割り当てシグナリング242（0）を参照すると、データ送信チャネルが（0 1 2）であることが分かる。
【０２７８】
なお、表11の各モードに示す実際に使用されるチャネルは重複している。しかし、これは、受信ノードがHE-SIG-Bの共通部分の長さを学習すること、およびHE-SIG-B2がどの20Mチャネルで受信されたかを学習することに影響しない。したがって、前述のモード指示は、どの20Mチャネルでデータ送信が実行されているかを受信ノードに正確に伝えることができる。好ましい実施例では、重複している実際に使用されるチャネルは1つのモードでのみ使用されるため、すべてのモードで示される実際に使用されるチャネルは重複しない。例えば、重複しており、表11のモード3およびモード4で示される実際に使用されるチャネルが（0，1，3）、（0，1，2，3）、（0，2）であるケースについて検討する。重複を避けるために、前述の実際に使用されるチャネルの3つのケースは、モード3のみで使用され、モード4からは除かれる。前述のチャネル重複のケースは、別の実施形態にも適用可能であることに留意されたい。
【０２７９】
表11のチャネル識別子の異なる順序は、実際に使用されるチャネルに影響しないことに留意されたい。例えば、チャネル識別子（0，7，1，2）で示される実際に使用されるチャネルとチャネル識別子（0，1，2，7）とは同じである。
【０２８０】
本発明のこの実施形態は、無線ローカルエリアネットワーク（WLAN）においてチャネルを示す方法を提供する。送信局は物理プロトコルデータユニット（PPDU）を生成して送信し、PPDUはプリアンブルフィールドとデータフィールドを含み、プリアンブルフィールドの高効率信号フィールド（HE-SIG-A）は帯域幅識別子を含み、帯域幅識別子はデータ送信チャネルを示す。このように、無線ローカルエリアネットワークにおける周波数領域の不連続チャネルが示され、利用可能なデータ送信チャネルが改善され、システムスループットが向上する。
【０２８１】
実施形態6
本発明の実施形態6は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。
【０２８２】
この実施形態では、PPDU内の帯域幅識別子を使用してデータ送信チャネルが示され、帯域幅（BandWidth、略してBW）識別子は少なくとも3ビットを含む。
【０２８３】
データ送信チャネルは、以下の8つのモードを含む。
【０２８４】
モード1：1次20MHzチャネル。
【０２８５】
モード2：1次20MHzチャネルおよび2次20MHzチャネル。
【０２８６】
モード3：1次20MHzチャネル、2次20MHzチャネル、および2次40MHzチャネルの少なくとも1つの20MHzチャネル。
【０２８７】
モード4：少なくとも1次20MHzチャネルおよび2次40MHzのチャネルの20MHzチャネルが含まれ、20MHzのチャネルの位置は、1次20MHzチャネルの位置と比較して反対のパリティであり、2次80MHzチャネルの20MHzチャネルは含まれない。
【０２８８】
モード5：1次20MHzチャネルおよび2次40MHzチャネルの20MHzチャネルが含まれ、20MHzチャネルの位置は1次20MHzチャネルのパリティと同じである。
【０２８９】
モード6：少なくとも1次20MHzチャネル、2次20MHzチャネル、および2次80MHzチャネルの少なくとも1つの20MHzチャネルが含まれる。
【０２９０】
モード7：少なくとも1次20MHzチャネル、2次40MHzチャネルの20MHzチャネルおよび2次80MHzチャネルの少なくとも1つの20MHzチャネルが含まれ、2次40MHzチャネルの20MHzチャネルの位置は、1次20MHzチャネルの位置と比較して反対のパリティである。
【０２９１】
モード8：1次20MHzチャネル、2次40MHzチャネルの20MHzチャネルおよび2次80MHzチャネルの少なくとも1つの20MHzチャネルが含まれ、2次40MHzチャネルの20MHzチャネルの位置は、1次20MHzチャネルの位置と同じパリティである。
【０２９２】
本発明では、帯域幅識別子と8つのモードとの対応関係は限定されず、以下の対応関係が使用される。
【０２９３】
【表１３】
2019510400.tif 000018
【０２９４】
8つのモードとチャネルとの対応を表12に示す。
【０２９５】
【表１４Ａ】
2019510400.tif 000019
【表１４Ｂ】
2019510400.tif 000020
【表１４Ｃ】
2019510400.tif 000021
【０２９６】
表で使用されるチャネル識別子は、チャネルの論理識別子である。一般に、チャネル識別子0は1次20MHzチャネルを示し、チャネル識別子1は2次20MHzチャネルを示し、チャネル識別子2および3は2次40MHzチャネルを示し、チャネル識別子4〜7は2次80MHzチャネルを示す。チャネル識別子とチャネルとの間で頻繁に使用されるマッピング関係は上述のとおりである。チャネル識別子とチャネルとの間の別のマッピング関係もある。これは、本発明において限定的でない。
【０２９７】
表12のチャネル識別子の異なる順序は、実際に使用されるチャネルに影響しないことに留意されたい。例えば、チャネル識別子（0，7，1，2）で示される実際に使用されるチャネルとチャネル識別子（0，1，2，7）とは同じである。
【０２９８】
モード5およびモード8にはHE-SIG-Bが1つしかない。この場合、HE-SIG-Bは、すべての20MチャネルのRU割り当てシグナリングを含む。1つの情報、つまりHE-SIG-Bの長さのみが、モード5およびモード8で運ばれる。モード5およびモード8以外のモードでは、HE-SIG-B1およびHE-SIG-B2の共通部分に含まれるRU割り当てシグナリングは、実施形態5の送信方法および実施例5で使用される実施ステップ中のものと同様である。表中のモードに示す重複の場合の説明は、実施形態5中のものと同様であり、ここでの説明は省略する。
【０２９９】
本発明のこの実施形態は、無線ローカルエリアネットワーク（WLAN）においてチャネルを示す方法を提供する。送信局は物理プロトコルデータユニット（PPDU）を生成して送信し、PPDUはプリアンブルフィールドとデータフィールドを含み、プリアンブルフィールドの高効率信号フィールド（HE-SIG-A）は帯域幅識別子を含み、帯域幅識別子はデータ送信チャネルを示す。このように、無線ローカルエリアネットワークにおける周波数領域の不連続チャネルが示され、利用可能なデータ送信チャネルが改善され、システムスループットが向上する。
【０３００】
実施形態7
本発明の実施形態7は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。
【０３０１】
この実施形態では、PPDUのプリアンブルフィールドの高効率信号フィールド（HE-SIG-A）内の帯域幅識別子を使用してデータ送信チャネルが示され、帯域幅（BandWidth、略してBW）識別子は少なくとも3ビットを含む。
【０３０２】
データ送信チャネルは、以下の8つのモードを含む。
【０３０３】
モード1：1次20MHzチャネル。
【０３０４】
モード2：1次20MHzチャネルおよび2次20MHzチャネル。
【０３０５】
モード3：1次20MHzチャネル、2次20MHzチャネル、および2次40MHzチャネル。
【０３０６】
モード4：1次20MHzチャネル、2次20MHzチャネル、2次40MHzチャネル、および2次80MHzチャネル。
【０３０７】
モード5：1次20MHzチャネルおよび2次40MHzチャネルの20MHzチャネル、20MHzチャネルの位置は1次20MHzチャネルと比較すると反対のパリティである。
【０３０８】
モード6：1次20MHzチャネルおよび2次40MHzチャネル。
【０３０９】
モード7：1次20MHzチャネル、2次20MHzチャネル、および2次80MHzチャネル。
【０３１０】
モード8：1次20MHzチャネル、2次40MHzチャネル、および2次80MHzチャネル。
【０３１１】
本発明では、帯域幅識別子と8つのモードとの対応関係は限定されず、以下の対応関係が使用される。
【０３１２】
【表１５】
2019510400.tif 000022
【０３１３】
例えば、8つのモードとチャネルとの対応を図25に示す。
【０３１４】
本発明のこの実施形態は、無線ローカルエリアネットワーク（WLAN）においてチャネルを示す方法を提供する。送信局は物理プロトコルデータユニット（PPDU）を生成して送信し、PPDUはプリアンブルフィールドとデータフィールドを含み、プリアンブルフィールドの高効率信号フィールド（HE-SIG-A）は帯域幅識別子を含み、帯域幅識別子はデータ送信チャネルを示す。このように、無線ローカルエリアネットワークにおける周波数領域の不連続チャネルが示され、利用可能なデータ送信チャネルが改善され、システムスループットが向上する。
【０３１５】
実施形態8
本発明の実施形態8は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。
【０３１６】
この実施形態では、PPDUのプリアンブルフィールドの高効率信号フィールド（HE-SIG-A）内の帯域幅識別子を使用してデータ送信チャネルが示され、帯域幅（BandWidth、略してBW）識別子は少なくとも3ビットを含む。
【０３１７】
データ送信チャネルは、以下の8つのモードを含む。
【０３１８】
モード1：1次20MHzチャネル。
【０３１９】
モード2：1次20MHzチャネルおよび2次20MHzチャネル。
【０３２０】
モード3：1次20MHzチャネル、2次20MHzチャネル、および2次40MHzチャネル。
【０３２１】
モード4：1次20MHzチャネル、2次20MHzチャネル、2次40MHzチャネル、および2次80MHzチャネル。
【０３２２】
モード5：1次20MHzチャネルおよび2次40MHzチャネル。
【０３２３】
モード6：1次20MHzチャネル、2次20MHzチャネル、および2次40MHzチャネルの1つの20MHzチャネル。
【０３２４】
モード6は2つの実装を含むことに留意されたい。モード6における第1の実装は、1次20MHzチャネル、2次20MHzチャネル、およびその位置が2次40MHzチャネルの1次20MHzチャネルと同じパリティであるチャネルである。モード6における第2の実装は、1次20MHzチャネル、2次20MHzチャネル、およびその位置が2次40MHzチャネルの1次20MHzチャネルと比較すると反対のパリティであるチャネルである。
【０３２５】
モード7：1次20MHzチャネル、2次20MHzチャネル、および2次80MHzチャネル。
【０３２６】
モード8：1次20MHzチャネル、2次40MHzチャネル、および2次80MHzチャネル。
【０３２７】
本発明では、帯域幅識別子と8つのモードとの対応関係は限定されず、以下の対応関係が使用される。
【０３２８】
【表１６】
2019510400.tif 000023
【０３２９】
例えば、8つのモードとチャネルとの対応を図26または図27に示す。
【０３３０】
本発明のこの実施形態は、無線ローカルエリアネットワーク（WLAN）においてチャネルを示す方法を提供する。送信局は物理プロトコルデータユニット（PPDU）を生成して送信し、PPDUはプリアンブルフィールドとデータフィールドを含み、プリアンブルフィールドの高効率信号フィールド（HE-SIG-A）は帯域幅識別子を含み、帯域幅識別子はデータ送信チャネルを示す。このように、無線ローカルエリアネットワークにおける周波数領域の不連続チャネルが示され、利用可能なデータ送信チャネルが改善され、システムスループットが向上する。
【０３３１】
上記の実施形態は、本発明の技術的解決策を説明するためのものにすぎず、本発明を限定するものではない。本発明は、上記の実施形態を参照して詳細に説明されているが、当業者であれば、本発明の実施形態の技術的解決策の範囲から逸脱することなく、上記実施形態に記載された技術的解決策をさらに変更することができ、またはその技術的特徴の一部を同等物と置換することができる。
【符号の説明】
【０３３２】
1000  アクセスポイント、局
1010  プロセッサ
1020  メモリ
1030  ベースバンド回路
1040  無線周波数回路
1050  アンテナ
1060  バス、バスシステム
【図１】
2019510400.tif 000024
【図２】
2019510400.tif 000025
【図３ａ】
2019510400.tif 000026
【図３ｂ】
2019510400.tif 000027
【図４】
2019510400.tif 000028
【図５】
2019510400.tif 000029
【図６】
2019510400.tif 000030
【図７】
2019510400.tif 000031
【図８】
2019510400.tif 000032
【図９】
2019510400.tif 000033
【図１０】
2019510400.tif 000034
【図１１】
2019510400.tif 000035
【図１２】
2019510400.tif 000036
【図１３】
2019510400.tif 000037
【図１４】
2019510400.tif 000038
【図１５】
2019510400.tif 000039
【図１６】
2019510400.tif 000040
【図１７ａ】
2019510400.tif 000041
【図１７ｂ】
2019510400.tif 000042
【図１８ａ】
2019510400.tif 000043
【図１８ｂ】
2019510400.tif 000044
【図１８ｃ】
2019510400.tif 000045
【図１８ｄ】
2019510400.tif 000046
【図１９】
2019510400.tif 000047
【図２０ａ】
2019510400.tif 000048
【図２０ｂ】
2019510400.tif 000049
【図２０ｃ】
2019510400.tif 000050
【図２０ｄ】
2019510400.tif 000051
【図２１】
2019510400.tif 000052
【図２２】
2019510400.tif 000053
【図２３】
2019510400.tif 000054
【図２４】
2019510400.tif 000055
【図２５】
2019510400.tif 000056
【図２６】
2019510400.tif 000057
【図２７】
2019510400.tif 000058
【手続補正書】
【提出日】平成30年9月13日(2018.9.13)
【手続補正１】
【補正対象書類名】明細書
【補正対象項目名】全文
【補正方法】変更
【補正の内容】
【発明の詳細な説明】
【技術分野】
【０００１】
本出願は、2016年2月6日に中国特許庁に提出された「METHOD AND APPARATUS FOR INDICATING CHANNEL IN WIRELESS LOCAL AREA NETWORK」と題する中国特許出願第201610084191.3号、2016年3月7日に中国特許庁に提出された「METHOD AND APPARATUS FOR INDICATING CHANNEL IN WIRELESS LOCAL AREA NETWORK」と題する中国特許出願第201610128055.X号、および2016年5月24日に中国特許庁に提出された「METHOD AND APPARATUS FOR INDICATING CHANNEL IN WIRELESS LOCAL AREA NETWORK」と題する中国特許出願第201610353330.8号の優先権を主張するものであり、これらは参照によりその全体が本明細書に組み込まれる。
【０００２】
本発明は、通信技術の分野に関し、特に、無線ローカルエリアネットワークにおいてチャネルを示す方法および装置に関する。
【背景技術】
【０００３】
無線ローカルエリアネットワーク（Wireless Local Area Network、略してWLAN）標準が進化するにつれて、WLANシステムは、より高い帯域幅を使用することによってより高速となる。標準では、通常20MHzが基本帯域幅単位として使用される。802.11aでは20MHzの帯域幅が使用される。帯域幅は802.11nでは40MHzに広がり、802.11acでは80MHzおよび160MHzに広がる。帯域幅が20MHzより大きい場合、1つの20MHzチャネルは1次20MHzチャネルであり、残りの20MHzチャネルは2次チャネルである。現行の標準では、局がチャネルにアクセスするときには、1次20MHzチャネルを含める必要がある。つまり、1次20MHzチャネルが占有されている場合、他のチャネルがアイドル状態であってもそのチャネルは使用できない。現行の標準で定義されているチャネル帯域幅には、20MHz、40MHz、80MHz、および160（80＋80）MHzの4つのモードがある。
【０００４】
次世代のWLAN標準802.11axでは、集中的な導入シナリオが主に検討されており、検討の重点は、ピークスループットの上昇からスペクトル効率の向上に変わっている。例えば、図1に示すように、802.11nをサポートする局と802.11axをサポートする局が集中的に配置されるシナリオのように、異なるWLAN標準をサポートする局が集中的に共存するシナリオの場合、図1の各チャネルは20MHzの帯域幅を有し、802.11n局は20MHzの帯域幅を使用して送信を行い、802.11n局によって行われる狭帯域送信中にスペクトルが切断され、それにより802.11ax局が利用可能なチャネルが不連続になる。
【０００５】
しかし、既存のWLAN標準は、周波数領域における不連続なチャネルの表示には不十分である。
【発明の概要】
【課題を解決するための手段】
【０００６】
そこで、本発明は、周波数領域において不連続なチャネルを示すために、無線ローカルエリアネットワークにおいてチャネルを示す方法および装置を提供する。
【０００７】
一態様によれば、本発明は、無線ローカルエリアネットワーク（WLAN）においてチャネルを示す方法を提供する。チャネルを示す方法は、アクセスポイントと局との間のダウンリンクに適用される。チャネルを示す方法は、アクセスポイントによって実行され、アクセスポイントと複数の局との間のダウンリンクマルチユーザ送信シナリオに適用される。チャネルを示す方法では、まず、物理プロトコルデータユニット（PPDU）が生成される。PPDUは、プリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。その後、PPDUが送信される。
【０００８】
具体的には、チャネル結合識別子が第1の値である場合、データ送信チャネルは周波数領域において連続的であり、またはチャネル結合識別子が第2の値である場合、データ送信チャネルは周波数領域に複数の不連続チャネルを含む。
【０００９】
可能な実施例では、チャネル結合識別子が第1の値であり、帯域幅識別子が第1の値である場合、データ送信チャネルは1次20MHzチャネルを含み、チャネル結合識別子が第1の値であり、帯域幅識別子が第2の値である場合、データ送信チャネルは1次20MHzチャネルおよび2次20MHzチャネルを含み、チャネル結合識別子が第1の値であり、帯域幅識別子が第3の値である場合、データ送信チャネルは1次20MHzチャネル、2次20MHzチャネル、および2次40MHzチャネルを含み、チャネル結合識別子が第1の値であり、帯域幅識別子が第4の値である場合、データ送信チャネルは1次20MHzチャネル、2次20MHzチャネル、2次40MHzチャネル、および2次80MHzチャネルを含み、チャネル結合識別子が第2の値であり、帯域幅識別子が第1の値である場合、データ送信チャネルは1次20MHzおよび2次40MHzチャネルを含み、チャネル結合識別子が第2の値であり、帯域幅識別子が第2の値である場合、データ送信チャネルは1次20MHzチャネルおよび2次80MHzチャネルを含み、チャネル結合識別子が第2の値であり、帯域幅識別子が第3の値である場合、データ送信チャネルは1次20MHzチャネル、2次20MHzチャネル、および2次80MHzチャネルを含み、またはチャネル結合識別子が第2の値であり、帯域幅識別子が第4の値である場合、データ送信チャネルは1次20MHzチャネル、2次40MHzチャネルおよび2次80MHzチャネルを含む。
【００１０】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネル、2次40MHzチャネルおよび2次80MHzチャネルを含む。
【００１１】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネルおよび2次80MHzチャネルを含む。
【００１２】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネル、2次20MHzチャネルおよび2次80MHzチャネルを含む。
【００１３】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、または帯域幅識別子が第4の値である場合、データ送信チャネルは1次20MHzチャネル、2次20MHzチャネル、2次40MHzチャネルおよび2次80MHzチャネルを含む。
【００１４】
別の態様によれば、本発明は、無線ローカルエリアネットワーク（WLAN）においてチャネルを示す装置を提供する。チャネルを示す装置はアクセスポイントであり、アクセスポイントと複数の局との間のダウンリンクマルチユーザ送信シナリオに適用される。チャネルを示すための装置は、ベースバンド回路と無線周波数回路とを含む。ベースバンド回路は、物理プロトコルデータユニット（PPDU）を生成するように構成される。PPDUはプリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。無線周波数回路は、PPDUを送信するように構成される。
【００１５】
具体的には、チャネル結合識別子が第1の値である場合、データ送信チャネルは周波数領域において連続的であり、またはチャネル結合識別子が第2の値である場合、データ送信チャネルは周波数領域に複数の不連続チャネルを含む。
【００１６】
可能な実施例では、チャネル結合識別子が第1の値であり、帯域幅識別子が第1の値である場合、データ送信チャネルは1次20MHzチャネルを含み、チャネル結合識別子が第1の値であり、帯域幅識別子が第2の値である場合、データ送信チャネルは1次20MHzチャネルおよび2次20MHzチャネルを含み、チャネル結合識別子が第1の値であり、帯域幅識別子が第3の値である場合、データ送信チャネルは1次20MHzチャネル、2次20MHzチャネル、および2次40MHzチャネルを含み、チャネル結合識別子が第1の値であり、帯域幅識別子が第4の値である場合、データ送信チャネルは1次20MHzチャネル、2次20MHzチャネル、2次40MHzチャネル、および2次80MHzチャネルを含み、チャネル結合識別子が第2の値であり、帯域幅識別子が第1の値である場合、データ送信チャネルは1次20MHzおよび2次40MHzチャネルを含み、チャネル結合識別子が第2の値であり、帯域幅識別子が第2の値である場合、データ送信チャネルは1次20MHzチャネルおよび2次80MHzチャネルを含み、チャネル結合識別子が第2の値であり、帯域幅識別子が第3の値である場合、データ送信チャネルは1次20MHzチャネル、2次20MHzチャネル、および2次80MHzチャネルを含み、またはチャネル結合識別子が第2の値であり、帯域幅識別子が第4の値である場合、データ送信チャネルは1次20MHzチャネル、2次40MHzチャネルおよび2次80MHzチャネルを含む。
【００１７】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネル、2次40MHzチャネルおよび2次80MHzチャネルを含む。
【００１８】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネルおよび2次80MHzチャネルを含む。
【００１９】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または帯域幅識別子が第4の値であり、チャネル結合識別子が第2の値である場合、データ送信チャネルは1次20MHzチャネル、2次20MHzチャネルおよび2次80MHzチャネルを含む。
【００２０】
可能な実施例では、帯域幅識別子が第1の値である場合、データ送信チャネルは1次20MHzチャネルを含み、帯域幅識別子が第2の値である場合、データ送信チャネルは1次20MHzチャネルおよび2次20MHzチャネルを含み、帯域幅識別子が第3の値であり、チャネル結合識別子が第1の値である場合、データ送信チャネルは1次20MHzチャネル、2次20MHzチャネル、および2次40MHzチャネルを含み、帯域幅識別子が第3の値であり、チャネル結合識別子が第2の値である場合、データ送信チャネルは1次20MHzチャネルおよび2次40MHzチャネルを含み、または帯域幅識別子が第4の値である場合、データ送信チャネルは1次20MHzチャネル、2次20MHzチャネル、2次40MHzチャネルおよび2次80MHzチャネルを含む。
【００２１】
上述の解決策から、本発明の実施形態は、無線ローカルエリアネットワーク（WLAN）においてチャネルを示すための方法および装置を提供することが分かる。送信局は物理プロトコルデータユニット（PPDU）を生成および送信し、PPDUはプリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。このように、無線ローカルエリアネットワークにおける周波数領域の不連続チャネルが示され、利用可能なデータ送信チャネルが改善され、システムスループットが向上する。
【図面の簡単な説明】
【００２２】
【図１】802.11n局と802.11ax局とが混在するチャネル割り当て図である。
【図２】本発明によるシステムの適用シナリオ図である。
【図３ａ】本発明によるシステムのチャネル割り当て図である。
【図３ｂ】本発明によるシステムの別のチャネル割り当て図である。
【図４】本発明によるシステムの物理プロトコルデータユニットのフレーム構造を示す図である。
【図５】本発明によるシステムの物理プロトコルデータユニットのHE-SIG-Bのフレーム構造を示す図である。
【図６】物理プロトコルデータユニットのHE-SIG-Bのリソースユニットを20MHzの帯域幅に割り当てる図である。
【図７】物理プロトコルデータユニットのHE-SIG-Bのリソースユニットを40MHzの帯域幅に割り当てる図である。
【図８】物理プロトコルデータユニットのHE-SIG-Bのリソースユニットを80MHzの帯域幅に割り当てる図である。
【図９】物理プロトコルデータユニットのHE-SIG-Bのリソースユニットを160MHzの帯域幅に割り当てる図である。
【図１０】本発明の実施形態1による方法のフローチャートである。
【図１１】本発明の実施形態1による実施例1のチャネル表示図である。
【図１２】本発明の実施形態1による実施例2のチャネル表示図である。
【図１３】本発明の実施形態1による実施例3のチャネル表示図である。
【図１４】本発明の実施形態1による実施例4のチャネル表示図である。
【図１５】本発明の実施形態1による実施例5のチャネル表示図である。
【図１６】本発明の実施形態1による実施例6のチャネル表示図である。
【図１７ａ】本発明の実施形態1による実施例7の第1のチャネル表示図である。
【図１７ｂ】本発明の実施形態1による実施例7の第2のチャネル表示図である。
【図１８ａ】本発明の実施形態1による実施例8の第1のチャネル表示図である。
【図１８ｂ】本発明の実施形態1による実施例8の第2のチャネル表示図である。
【図１８ｃ】本発明の実施形態1による実施例8の第3のチャネル表示図である。
【図１８ｄ】本発明の実施形態1による実施例8の第4のチャネル表示図である。
【図１９】本発明の実施形態1による実施例9のチャネル表示図である。
【図２０ａ】本発明の実施形態1による実施例10の第1のチャネル表示図である。
【図２０ｂ】本発明の実施形態1による実施例10の第2のチャネル表示図である。
【図２０ｃ】本発明の実施形態1による実施例10の第3のチャネル表示図である。
【図２０ｄ】本発明の実施形態1による実施例10の第4のチャネル表示図である。
【図２１】本発明の実施形態2による方法のフローチャートである。
【図２２】本発明の実施形態2によるチャネル表示図である。
【図２３】本発明の実施形態3によるチャネル表示図である。
【図２４】本発明の実施形態4による装置を示す図である。
【図２５】本発明の実施形態7によるチャネル表示図である。
【図２６】本発明の実施形態8によるチャネル表示図1である。
【図２７】本発明の実施形態8によるチャネル表示図2である。
【発明を実施するための形態】
【００２３】
本発明の実施形態は、WLAN（Wireless Local Area Network、無線ローカルエリアネットワーク）に適用することができる。無線ローカルエリアネットワークは、複数の基本サービスセット（Basic Service Set、略してBSS）を含むことができる。基本サービスセット内のネットワークノードは、局（Station、略してSTA）であり、局はアクセスポイント（Access Point、略してAP）局および非アクセスポイント局（None Access Point Station、略して非AP STA）を含む。各基本サービスセットは、1つのAPおよびAPに関連する複数の非AP STAを含むことができる。
【００２４】
アクセスポイント（Access Point、略してAP）局は、無線アクセスポイント、ホットスポットなどとも呼ばれる。APは、モバイルユーザが有線ネットワークにアクセスするアクセスポイントであり、主に自宅や建物およびキャンパス内に配置される。一般的なカバレッジ半径は、数十または数百メートルである。もちろん、APは屋外に配置されてもよい。APは、有線ネットワークおよび無線ネットワークを接続するブリッジに相当し、主に、さまざまな無線ネットワーククライアントどうしを接続し、無線ネットワークをイーサネット（登録商標）に接続するように構成されている。現在、APが主に使用している標準は、IEEE（Institute of Electrical and Electronics Engineers、米国電気電子学会）802.11シリーズである。具体的には、APは、Wi-Fi（Wireless Fidelity、ワイヤレスフィデリティ）チップを有する端末装置またはネットワーク装置であってもよい。任意選択的に、APは、802.11ax標準をサポートする装置であってもよい。
【００２５】
非アクセスポイント局（None Access Point Station、略してNon-AP STA）は、無線通信チップ、無線センサ、または無線通信端末であってもよく、無線通信端末にはWi-Fi通信機能をサポートする携帯電話、Wi-Fi通信機能をサポートするタブレットコンピュータ、Wi-Fi通信機能をサポートするセットトップボックス、Wi-Fi通信機能をサポートするスマートテレビ、Wi-Fi通信機能をサポートするスマートウェアラブル装置、またはWi-Fi通信機能をサポートするコンピュータなどが含まれる。任意選択的に、局は802.11ax標準をサポートすることができる。
【００２６】
図2は、一般的なWLAN配置シナリオのシステムの概略図である。このシステムには、1つのAPと3つのSTAとが含まれる。APは、STA1、STA2、STA3と別個に通信する。APおよびSTA1〜3の各々は、第1の局または第2の局として使用されてもよい。
【００２７】
WLANにおけるチャネル分割が図3aに示され、チャネルに番号が付けられ、番号0〜7の各々が1つの20MHzチャネルを表すことに留意されたい。0チャネルは、1次20MHzチャネルを表す。1チャネルは、2次20MHzチャネルを表す。0チャネルおよび1チャネルは、1次40MHzチャネルを形成する。2チャネルおよび3チャネルは、第2の40MHzチャネルを形成する。0チャネル、1チャネル、2チャネル、および3チャネルは、1次80MHzチャネルを形成する。4チャネル、5チャネル、6チャネル、および7チャネルは、2次80MHzチャネルを形成する。4チャネルは5チャネルに隣接する。5チャネルは6チャネルに隣接する。6チャネルは7チャネルに隣接する。
【００２８】
現行のWLAN標準では、マルチチャネル合成ルールにおいて、1つの一意な20MHzチャネルは1次20MHzチャネルであり、1次20MHzチャネルの左または右の隣接20MHzチャネルは2次20MHzチャネルであることに留意されたい（左または右の20MHzチャネルがランダムに選択されてもよいが、一方のみが選択され得る。さらに、左のものは下にあるように記述されてもよく、右のものは上にあるように記述されてもよい。左または下にあるということは、周波数が1次20MHzチャネルの周波数よりも低く、右または上にあるということは、周波数が1次20MHzチャネルの周波数より高いことを示す）。1次20MHzチャネルおよび2次20MHzチャネルは、1次40MHzチャネルを形成する。1次40MHzチャネルの左または右に隣接する40MHzチャネルは、2次40MHzチャネルであり（左または右の40MHzがランダムに選択されてもよいが、一方のみが選択され得る）、1次40MHzチャネルおよび2次40MHzチャネルは、1次80MHzチャネルを形成する。1次80MHzチャネルの左または右の80MHzチャネルは、2次80MHzチャネルである（左または右の80MHzチャネルがランダムに選択されてもよいが、一方のみが選択され得る）。1次80MHzチャネルが2次80MHzチャネルに隣接する場合、1次80MHzチャネルおよび2次80MHzチャネルは160MHzチャネルを形成する。1次80MHzチャネルが2次80MHzチャネルに隣接しない場合、1次80MHzチャネルおよび2次80MHzチャネルは（80＋80）MHzチャネルを形成する。
【００２９】
前述の規則に基づいて、チャネル0〜7は、図3bに示す複数の方法で配置されてもよい。さらに、2次40MHzの2つの20MHzチャネルおよび2次80MHzの4つの20MHzチャネルは、左から右に、または右から左に番号を付けることができる。これは、本発明において限定的でない。説明の便宜上、本発明のすべての実施形態において、WLANにおけるチャネル分割のために、0チャネルが1次20MHzチャネルとして使用される。
【００３０】
本発明の実施形態におけるデータフレームは可能な802.11axデータフレームであり、WLAN内のデータフレームは一般にPPDU（Physical Protocol Data Unit、物理プロトコルデータユニット）である。図4に示すように、PPDUは、プリアンブルフィールドおよびデータフィールドを含み、プリアンブルフィールドは、レガシープリアンブルフィールドおよび高効率プリアンブルフィールドを含む。レガシープリアンブル（Legacy Preamble）フィールドは、既存のWLAN標準装置と互換性があり、L-STF（Legacy Short Training Field、レガシーショートトレーニングフィールド）、L-LTF（Legacy Long Training Field、レガシーロングトレーニングフィールド）、L-SIG（Legacy Signaling Field、レガシーシグナリングフィールド）、RL-SIG（Repeated Legacy Signaling Field、リピーテッドレガシーシグナリングフィールド）を含む。レガシープリアンブルフィールドの後に高効率信号フィールドA（High Efficiency Signal Field A、略してHE-SIG-A）、高効率信号フィールドB（High Efficiency Signal Field B、略してHE-SIG-B）、およびOther HE Preambleが続く。なお、Other HE Preambleは、1つのフィールドまたは複数のフィールドの組み合わせであり、特に特定のフィールドに限定されない。Other HE Preambleフィールドの後に、データフィールド（Data）が続く。さらに可能なWLAN標準では、標準名やフィールド名などは他の名称に置き換えられてもよく、本発明の保護範囲を限定するものではない。さらに、データフレームの説明は、後続の実施形態にも適用可能である。
【００３１】
HE-SIG-Bフィールドは、各20MHzチャネルで別々に符号化されることに留意されたい。符号化構造は図5に示されており、共通ブロックフィールドとユーザ固有フィールドとを含む。
【００３２】
共通ブロックフィールドは、周波数領域RU割り当て情報、MU-MIMOに割り当てられたRU、およびMU-MIMOに含まれるユーザ数など、リソース割り当てに関する情報を含む。ユーザ固有フィールドは、複数のユーザブロックフィールドを含む。各ユーザブロックフィールドは、2つの局のデータを分析するために必要な情報を含む。共通ブロックフィールドのRU割り当てシグナリングによって示されるユーザフィールドの量が奇数である場合、最後のユーザブロックフィールドは、1つの局のみに関する情報を含むことができる。
【００３３】
20MHzのPPDUについては、図6を参照されたい。図7に示すように、40MHzのPPDUの場合、同一の局データを有する20MHzで、局の共通ブロックフィールドおよびユーザ固有フィールドが送信される。
【００３４】
80MHzのPPDUについて、共通ブロックフィールドおよびユーザ固有フィールドの周波数マッピングを図8に示す。周波数によって上から下に配置される第1の20MHzチャネルおよび第3の20MHzチャネル上のHE-SIG-Bの内容は同じである。これらのチャネルで搬送される情報はHE-SIG-B1であり、HE-SIG-B1は、A242またはC242の少なくとも一部のサブキャリアを占有するすべての局のシグナリング情報を含む。同様に、周波数によって上から下に配置される第2の20MHzチャネルおよび第4の20MHzチャネル上のHE-SIG-Bの内容は同じである。これらのチャネルで搬送される情報はHE-SIG-B2であり、HE-SIG-B2は、B242またはD242の少なくとも一部のサブキャリアを占有するすべての局のシグナリング情報を含む。
【００３５】
160MHzのPPDUについて、共通ブロックフィールドおよびユーザ固有フィールドの周波数マッピングを図9に示す。周波数によって上から下に配置される第1の20MHzチャネルおよび第3の20MHzチャネル、第5の20MHzチャネル、および第7の20MHzチャネル上のHE-SIG-Bの内容は同じである。これらのチャネルで搬送される情報は、HE-SIG-B1であり、HE-SIG-B1は、A1-242、C1-242、A2-242、またはC2-242の少なくとも一部のサブキャリアを占めるすべての局のシグナリング情報を含む。同様に、周波数によって上から下に配置される第2の20MHzチャネル、第4の20MHzチャネル、第6の20MHzチャネル、および第8の20MHzチャネル上のHE-SIG-Bの内容は同じである。これらのチャネル上で搬送される情報は、HE-SIG-B2であり、HE-SIG-B2は、B1-242、D1-242、B2-242、またはD2-242の少なくとも一部のサブキャリアを占有するすべての局のシグナリング情報を含む。
【００３６】
説明の便宜上、PPDUの記述はすべての実施形態に適用可能である。
【００３７】
実施形態1
本発明の実施形態1は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。図10は、チャネルを示す方法の例示的なブロック図である。具体的な手順は次のとおりである。
【００３８】
ステップ101：物理プロトコルデータユニット（PPDU）を生成し、ここでPPDUはプリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。
【００３９】
ステップ102：PPDUを送信する。
【００４０】
具体的には、チャネル結合（Channel Bonding、略してCB）識別子は少なくとも1ビットを含み、以下では例として1ビットを使用して説明する。チャネル結合識別子が第1の値である場合、データ送信チャネルは周波数領域において連続的であり、またはチャネル結合識別子が第2の値である場合、データ送信チャネルは周波数領域に複数の不連続チャネルを含む。
【００４１】
なお、チャネル結合識別子の第1の値および第2の値は、本発明において限定されていない。第1の値は「0」であり、第2の値は「1」である。第1の値は「1」であり、第2の値は「0」である。上記の2つの場合は、どちらも本発明の保護範囲にある。説明の便宜上、第1の値が「0」で第2の値が「1」の場合を以下で説明のために具体的に使用する。
【００４２】
任意選択的に、本発明では、帯域幅識別子およびチャネル結合識別子の両方を使用してデータ送信チャネルを示すことは、少なくとも10個の実施例を含む。
【００４３】
実施例1：チャネル結合識別子が第1の値であり、帯域幅識別子が第1の値である場合、データ送信チャネルは1次20MHzチャネルを含み、
チャネル結合識別子が第1の値であり、帯域幅識別子が第2の値である場合、データ送信チャネルは1次20MHzチャネルおよび2次20MHzチャネルを含み、
チャネル結合識別子が第1の値であり、帯域幅識別子が第3の値である場合、データ送信チャネルは1次20MHzチャネル、2次20MHzチャネル、および2次40MHzチャネルを含み、
チャネル結合識別子が第1の値であり、帯域幅識別子が第4の値である場合、データ送信チャネルは1次20MHzチャネル、2次20MHzチャネル、2次40MHzチャネル、および2次80MHzチャネルを含み、
チャネル結合識別子が第2の値であり、帯域幅識別子が第1の値である場合、データ送信チャネルは1次20MHzおよび2次40MHzチャネルを含み、
チャネル結合識別子が第2の値であり、帯域幅識別子が第2の値である場合、データ送信チャネルは1次20MHzチャネルおよび2次80MHzチャネルを含み、
チャネル結合識別子が第2の値であり、帯域幅識別子が第3の値である場合、データ送信チャネルは1次20MHzチャネル、2次20MHzチャネル、および2次80MHzチャネルを含み、または、
チャネル結合識別子が第2の値であり、帯域幅識別子が第4の値である場合、データ送信チャネルは1次20MHzチャネル、2次40MHzチャネルおよび2次80MHzチャネルを含む。
【００４４】
なお、帯域幅（Bandwidth、BW）識別子は、少なくとも2ビットを含み、以下では例として2ビットを使用して説明する。また、帯域幅識別子の第1の値、第2の値、第3の値、および第4の値の範囲は［00，01，10，11］である。本発明では、帯域幅識別子の値の具体的なマッピング関係は限定されていない。説明の便宜上、第1の値が「00」であり、第2の値が「01」であり、第3の値が「10」であり、および第4の値が「11」である場合について説明する。
【００４５】
具体的には、図11を使用して実施例1を具体的に説明する。
【００４６】
周波数領域の連続チャネルの場合：
【００４７】
CB＝0、BW＝00の場合、データ送信チャネルは1次20MHzチャネル、すなわちチャネル0である。
【００４８】
CB＝0、BW＝01の場合、データ送信チャネルは、1次20MHzチャネルおよび2次20MHzチャネル、すなわちチャネル0および1を含む。
【００４９】
CB＝0、BW＝10の場合、データ送信チャネルは、1次20MHzチャネル、2次20MHzチャネル、および2次40MHzチャネル、すなわちチャネル0〜3を含む。
【００５０】
CB＝0、BW＝11の場合、データ送信チャネルは、1次20MHzチャネル、2次20MHzチャネル、2次40MHzチャネル、すなわちチャネル0〜7を含む。
【００５１】
周波数領域の不連続チャネルの場合：
【００５２】
CB＝1、BW＝00の場合、データ送信チャネルは、1次20MHzおよび2次40MHzチャネル、すなわちチャネル0、2、3を含む。
【００５３】
CB＝1、BW＝01の場合、データ送信チャネルは、1次20MHzチャネルおよび2次80MHzチャネル、すなわちチャネル0および4〜7を含む。
【００５４】
CB＝1、BW＝10の場合、データ送信チャネルは、1次20MHzチャネル、2次20MHzチャネル、および2次80MHzチャネル、すなわちチャネル0、1、および4〜7を含む。
【００５５】
CB＝1、BW＝11の場合、データ送信チャネルは、1次20MHzチャネル、2次40MHzチャネル、および2次80MHzチャネル、すなわちチャネル0および2〜7を含む。
【００５６】
実施例2：
【００５７】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルは160MHzまたは（80＋80）MHzであり、この場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは160MHzまたは（80＋80）MHzであり、この場合、データ送信チャネルは、1次20MHzチャネル、2次20MHzチャネルおよび2次80MHzチャネルを含む。
【００５８】
図12を参照して、実施例2におけるチャネル結合識別子と帯域幅識別子とのマッピング関係およびチャネルについて説明する。
【００５９】
BW＝00の場合、データ送信帯域幅は1次20MHzチャネル、すなわちチャネル0である。チャネル結合識別子の値は、0、1、または予約されていてもよい。
【００６０】
BW＝01の場合、データ送信帯域幅は、1次20MHzチャネルおよび2次20MHzチャネル、すなわちチャネル0および1である。チャネル結合識別子の値は、0、1、または予約されていてもよい。
【００６１】
BW＝10、CB＝0の場合、データ送信帯域幅は、1次20MHzチャネル、2次20MHzチャネル、および2次40MHzチャネル、すなわちチャネル0〜3である。
【００６２】
BW＝10、CB＝1の場合、データ送信帯域幅は、1次20MHzチャネルおよび2次40MHzチャネル、すなわちチャネル0、2、3である。
【００６３】
BW＝11、CB＝0の場合、データ送信帯域幅は、1次20MHzチャネル、2次20MHzチャネル、2次40MHzチャネル、および2次80MHzチャネル、すなわちチャネル0〜7である。
【００６４】
BW＝11、CB＝1の場合、データ送信帯域幅は、1次20MHzチャネル、2次20MHzチャネル、および2次80MHzチャネル、すなわちチャネル0、1、および4〜7である。
【００６５】
実施例3：
【００６６】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルは160MHzまたは（80＋80）MHzであり、この場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは160MHzまたは（80＋80）MHzであり、この場合、データ送信チャネルは、1次20MHzチャネルおよび2次80MHzチャネルを含む。
【００６７】
図13を参照して、実施例3におけるチャネル結合識別子と帯域幅識別子とのマッピング関係およびチャネルについて説明する。
【００６８】
BW＝00の場合、データ送信帯域幅は1次20MHzチャネル、すなわちチャネル0である。データ送信帯域幅が40MHz以下である場合、チャネル結合識別子の値は、0、1、または予約されていてもよい。
【００６９】
BW＝01の場合、データ送信帯域幅は、1次20MHzチャネルおよび2次20MHzチャネル、すなわちチャネル0および1である。データ送信帯域幅が40MHz以下である場合、チャネル結合識別子の値は、0、1、または予約されていてもよい。
【００７０】
BW＝10、CB＝0の場合、データ送信帯域幅は、1次20MHzチャネル、2次20MHzチャネル、および2次40MHzチャネル、すなわちチャネル0〜3である。
【００７１】
BW＝10、CB＝1の場合、データ送信帯域幅は、1次20MHzチャネルおよび2次40MHzチャネル、すなわちチャネル0、2、3である。
【００７２】
BW＝11、CB＝0の場合、データ送信帯域幅は、1次20MHzチャネル、2次20MHzチャネル、2次40MHzチャネル、および2次80MHzチャネル、すなわちチャネル0〜7である。
【００７３】
BW＝11、CB＝1の場合、データ送信帯域幅は、1次20MHzチャネルおよび2次80MHzチャネル、すなわちチャネル0および4〜7である。
【００７４】
実施例4：
【００７５】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルは160MHzまたは（80＋80）MHzであり、この場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは160MHzまたは（80＋80）MHzであり、この場合、データ送信チャネルは、1次20MHzチャネル、2次40MHzチャネルおよび2次80MHzチャネルを含む。
【００７６】
図14を参照して、方法4におけるチャネル結合識別子と帯域幅識別子とのマッピング関係およびチャネルについて説明する。
【００７７】
BW＝00の場合、データ送信帯域幅は1次20MHzチャネル、すなわちチャネル0である。チャネル結合識別子の値は、0、1、または予約されていてもよい。
【００７８】
BW＝01の場合、データ送信帯域幅は、1次20MHzチャネルおよび2次20MHzチャネル、すなわちチャネル0および1である。チャネル結合識別子の値は、0、1、または予約されていてもよい。
【００７９】
BW＝10、CB＝0の場合、データ送信帯域幅は、1次20MHzチャネル、2次20MHzチャネル、および2次40MHzチャネル、すなわちチャネル0〜3である。
【００８０】
BW＝10、CB＝1の場合、データ送信帯域幅は、1次20MHzチャネルおよび2次40MHzチャネル、すなわちチャネル0、2、3である。
【００８１】
BW＝11、CB＝0の場合、データ送信帯域幅は、1次20MHzチャネル、2次20MHzチャネル、2次40MHzチャネル、および2次80MHzチャネル、すなわちチャネル0〜7である。
【００８２】
BW＝11、CB＝1の場合、データ送信帯域幅は、1次20MHzチャネル、2次40MHzチャネル、2次80MHzチャネル、すなわちチャネル0および2〜7である。
【００８３】
実施例5：
【００８４】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、または、
帯域幅識別子が第4の値である場合、データ送信チャネルは、1次20MHzチャネル、2次20MHzチャネル、2次40MHzチャネルおよび2次80MHzチャネルを含む。
【００８５】
図15を参照して、方法5におけるチャネル結合識別子と帯域幅識別子とのマッピング関係およびチャネルについて説明する。
【００８６】
BW＝00の場合、データ送信帯域幅は1次20MHzチャネル、すなわちチャネル0である。チャネル結合識別子の値は、0、1、または予約されていてもよい。
【００８７】
BW＝01の場合、データ送信帯域幅は、1次20MHzチャネルおよび2次20MHzチャネル、すなわちチャネル0および1である。チャネル結合識別子の値は、0、1、または予約されていてもよい。
【００８８】
BW＝10、CB＝0の場合、データ送信帯域幅は、1次20MHzチャネル、2次20MHzチャネル、および2次40MHzチャネル、すなわちチャネル0〜3である。
【００８９】
BW＝10、CB＝1の場合、データ送信帯域幅は、1次20MHzチャネルおよび2次40MHzチャネル、すなわちチャネル0、2、3である。
【００９０】
BW＝11の場合、データ送信帯域幅は、1次20MHzチャネル、2次20MHzチャネル、2次40MHzチャネル、および2次80MHzチャネル、すなわちチャネル0〜7である。チャネル結合識別子の値は、0、1、または予約されていてもよい。
【００９１】
実施例6：
【００９２】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値である場合、データ送信チャネルは1次20MHzチャネル、2次20MHzチャネル、および2次40MHzチャネルを含み、
帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは、1次20MHzチャネル、2次20MHzチャネルおよび2次80MHzチャネルを含む。
【００９３】
図16を参照して、方法6におけるチャネル結合識別子と帯域幅識別子とのマッピング関係およびチャネルについて説明する。
【００９４】
BW＝00の場合、データ送信帯域幅は1次20MHzチャネル、すなわちチャネル0である。チャネル結合識別子の値は、0、1、または予約されていてもよい。
【００９５】
BW＝01の場合、データ送信帯域幅は、1次20MHzチャネルおよび2次20MHzチャネル、すなわちチャネル0および1である。チャネル結合識別子の値は、0、1、または予約されていてもよい。
【００９６】
BW＝10の場合、データ送信帯域幅は、1次20MHzチャネル、2次20MHzチャネル、および2次40MHzチャネル、すなわちチャネル0〜3である。チャネル結合識別子の値は、0、1、または予約されていてもよい。
【００９７】
BW＝11、CB＝0の場合、データ送信帯域幅は、1次20MHzチャネル、2次40MHzチャネル、および2次80MHzチャネル、すなわちチャネル0〜7である。
【００９８】
BW＝11、CB＝1の場合、データ送信帯域幅は、1次20MHzチャネル、2次20MHzチャネル、および2次80MHzチャネル、すなわちチャネル0、1、および4〜7である。
【００９９】
実施例7：
【０１００】
実施例7では、以下に示す6つの帯域幅モードがある。
【０１０１】
モード1：1次20MHzチャネル。
【０１０２】
モード2：1次20MHzチャネルおよび2次20MHzチャネル。
【０１０３】
モード3：1次20MHzチャネルおよび2次40MHzチャネル。
【０１０４】
モード4：1次20MHzチャネル、2次20MHzチャネル、および2次40MHzチャネル。
【０１０５】
モード5：1次20MHzチャネルおよび2次80MHzチャネル、または、
1次20MHzチャネル、2次40MHzチャネル、および2次80MHzチャネル。
【０１０６】
モード6：1次20MHzチャネル、2次20MHzチャネル、および2次80MHzチャネル、または、
1次20MHzチャネル、2次20MHzチャネル、2次40MHzチャネル、および2次80MHzチャネルを含む。
【０１０７】
6つのモードの表示方法については、BWフィールド（2ビット）およびCBフィールド（1ビット）の両方を使用して表示が行われる。表1に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表1に示す対応する方法が推奨される。表示方法とチャネルモードとの間で対応する他の方法も、この実施形態に適用可能である。
【０１０８】
【表１】
2019510400.tif 000059
【０１０９】
図17aおよび図17bから、各表示方法について、受信局は、固定位置からHE-SIG-B 1およびHE-SIG-B 2を取得できることが分かる（20MHzチャネルモードの場合、HE-SIG-B 1のみ存在し、HE-SIG-B 2は存在しない）。1つの表示方法が複数の帯域幅モードに対応する場合でも、HE-SIG-B 1およびHE-SIG-B 2の取得は影響を受けない。｛BW，CB｝＝｛2，0｝の場合、HE-SIG-B 1およびHE-SIG-B 2のいずれかを1次20MHzチャネルを使用して取得し、HE-SIG-Bの他の部分を2次40MHzの20MHzチャネルを使用して取得できる。特定の周波数が降順に配置されている場合、1次20MHzチャネルが奇数を使用して番号付けされた20MHzチャネル上にある場合（図17aに示す）、HE-SIG-Bの他の部分は、2次40MHzチャネルの偶数を使用して番号付けされた20MHzチャネルを使用して取得される。対照的に、1次20MHzチャネルが偶数を使用して番号付けされた20MHzチャネル上にある場合（図17bに示す）、HE-SIG-Bの他の部分は、2次40MHzチャネルの奇数を使用して番号付けされた20MHzチャネルを使用して取得される。
【０１１０】
｛BW，CB｝＝｛2，1｝の場合、1次20MHzチャネルおよび2次20MHzチャネルはHE-SIG-B 1およびHE-SIG-B 2を含み、2次40MHzチャネルもHE-SIG-B 1およびHE-SIG-B 2を含み、HE-SIG-B 1およびHE-SIG-B 2をどちらから取得するかは受信局が自ら決定することができる。
【０１１１】
この実施例におけるHE-SIG-B 1およびHE-SIG-B 2の説明は、本発明の他の実施形態にも適用可能であることに留意されたい。
【０１１２】
実施例8：
【０１１３】
この実施形態では、2次80MHzチャネルは2つの連続する40MHzチャネルに分割され、2つの40MHzチャネルは異なるルールに従って分類されてもよい。例えば、2つの40MHzチャネルは、周波数に応じて、上位40MHzチャネル（周波数がより高い40MHzチャネル）と下位40MHzチャネル（周波数がより低い40MHzチャネル）とに分類される。別の例では、2つの40MHzチャネルは、1次20MHzチャネルまでの距離に応じて、近い40MHzチャネルと遠い40MHzチャネルとに分類される。分類規則はこの特許解決策に限定されず、その表示原則は類似している。便宜上、上位40MHzチャネルおよび下位40MHzチャネルの例は、説明のための後続の実施形態の説明で使用される。
【０１１４】
実施例8では、図18aに示す以下の6つの帯域幅モードがある。
【０１１５】
モード1：1次20MHzチャネル。
【０１１６】
モード2：1次20MHzチャネルおよび2次20MHzチャネル。
【０１１７】
モード3：1次20MHzチャネルおよび2次40MHzチャネル。
【０１１８】
モード4：1次20MHzチャネル、2次20MHzチャネル、および2次40MHzチャネル。
【０１１９】
モード5：1次20MHzチャネルおよび2次80MHzチャネルの下位40MHzチャネル、または、
1次20MHzチャネル、2次40MHzチャネル、および2次80MHzチャネルの下位40MHzチャネル、または1次20MHzチャネルおよび2次80MHzチャネル、または1次20MHzチャネル、2次40MHzチャネル、および2次80MHzチャネル。
【０１２０】
モード6：1次20MHzチャネル、2次20MHzチャネル、および第2の80MHzチャネルの下位40MHzチャネル、または1次20MHzチャネル、2次20MHzチャネル、および2次80MHzチャネルの上位40MHzチャネル、または1次20MHzチャネル、2次20MHzチャネル、および2次80MHzチャネル、または1次20MHzチャネル、2次20MHzチャネル、2次40MHzチャネル、および2次80MHzチャネルの下位40MHzチャネル、または1次20MHzチャネル、2次20MHzチャネル、2次40MHzチャネル、および2次80MHzチャネルの上位40MHzチャネル、または1次20MHzチャネル、2次20MHzチャネル、2次40MHzチャネル、および2次80MHzチャネル。
【０１２１】
6つのモードの表示方法については、BWフィールド（2ビット）およびCBフィールド（1ビット）の両方を使用して表示が行われる。表2に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表2に示す対応する方法が推奨される。表示方法とチャネルモードとの間で対応する他の方法も、この実施形態に適用可能である。
【０１２２】
【表２】
2019510400.tif 000060
【０１２３】
図18bは、別の実施例を示し、実施例は、以下の6つのチャネルモードを含む。
【０１２４】
モード1：1次20MHzチャネル。
【０１２５】
モード2：1次20MHzチャネルおよび2次20MHzチャネル。
【０１２６】
モード3：1次20MHzチャネルおよび2次40MHzチャネル。
【０１２７】
モード4：1次20MHzチャネル、2次20MHzチャネル、および2次40MHzチャネル。
【０１２８】
モード5：1次20MHzチャネルおよび2次80MHzチャネルの上位40MHzチャネル、または、
1次20MHzチャネル、2次40MHzチャネル、および2次80MHzチャネルの上位40MHzチャネル、または1次20MHzチャネルおよび2次80MHzチャネル、または1次20MHzチャネル、2次40MHzチャネル、および2次80MHzチャネル。
【０１２９】
モード6：1次20MHzチャネル、2次20MHzチャネル、および第2の80MHzチャネルの下位40MHzチャネル、または1次20MHzチャネル、2次20MHzチャネル、および2次80MHzチャネルの上位40MHzチャネル、または1次20MHzチャネル、2次20MHzチャネル、および2次80MHzチャネル、または1次20MHzチャネル、2次20MHzチャネル、2次40MHzチャネル、および2次80MHzチャネルの下位40MHzチャネル、または1次20MHzチャネル、2次20MHzチャネル、2次40MHzチャネル、および2次80MHzチャネルの上位40MHzチャネル、または1次20MHzチャネル、2次20MHzチャネル、2次40MHzチャネル、および2次80MHzチャネル。
【０１３０】
6つのモードの表示方法については、BWフィールド（2ビット）およびCBフィールド（1ビット）の両方を使用して表示が行われる。表3に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表3に示す対応する方法が推奨される。表示方法とチャネルモードとの間で対応する他の方法も、この実施形態に適用可能である。
【０１３１】
【表３】
2019510400.tif 000061
【０１３２】
図18cは、別の実施例を示し、実施例は、以下の7つのチャネルモードを含む。
【０１３３】
モード1：1次20MHzチャネル。
【０１３４】
モード2：1次20MHzチャネルおよび2次20MHzチャネル。
【０１３５】
モード3：1次20MHzチャネルおよび2次40MHzチャネル。
【０１３６】
モード4：1次20MHzチャネル、2次20MHzチャネル、および2次40MHzチャネル。
【０１３７】
モード5：1次20MHzチャネルおよび2次80MHzチャネルの下位40MHzチャネル、または、
1次20MHzチャネル、2次40MHzチャネル、および2次80MHzチャネルの下位40MHzチャネル、または1次20MHzチャネルおよび2次80MHzチャネル、または1次20MHzチャネル、2次40MHzチャネル、および2次80MHzチャネル。
【０１３８】
モード6：1次20MHzチャネル、2次20MHzチャネル、および第2の80MHzチャネルの下位40MHzチャネル、または1次20MHzチャネル、2次20MHzチャネル、および2次80MHzチャネルの上位40MHzチャネル、または1次20MHzチャネル、2次20MHzチャネル、および2次80MHzチャネル、または1次20MHzチャネル、2次20MHzチャネル、2次40MHzチャネル、および2次80MHzチャネルの下位40MHzチャネル、または1次20MHzチャネル、2次20MHzチャネル、2次40MHzチャネル、および2次80MHzチャネルの上位40MHzチャネル、または1次20MHzチャネル、2次20MHzチャネル、2次40MHzチャネル、および2次80MHzチャネル。
【０１３９】
モード7：1次20MHzチャネルおよび2次80MHzチャネルの上位40MHzチャネル、または1次20MHzチャネル、2次40MHzチャネル、および2次80MHzチャネルの上位40MHzチャネル、または1次20MHzチャネルおよび2次80MHzチャネル、または1次20MHzチャネル、2次40MHzチャネル、および2次80MHzチャネル。
【０１４０】
7つのモードの表示方法については、BWフィールド（2ビット）およびCBフィールド（1ビット）の両方を使用して表示が行われる。表4に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表4に示す対応する方法が記載されている。表示方法とチャネルモードとの間で対応する他の方法も、この実施形態に適用可能である。
【０１４１】
【表４】
2019510400.tif 000062
【０１４２】
図18dは、別の実施例を示し、実施例は、以下の8つのチャネルモードを含む。
【０１４３】
モード1：1次20MHzチャネル。
【０１４４】
モード2：1次20MHzチャネルおよび2次20MHzチャネル。
【０１４５】
モード3：1次20MHzチャネルおよび2次40MHzチャネル。
【０１４６】
モード4：1次20MHzチャネル、2次20MHzチャネル、および2次40MHzチャネル。
【０１４７】
モード5：1次20MHzチャネルおよび2次80MHzチャネルの下位40MHzチャネル、または、
1次20MHzチャネル、2次40MHzチャネル、および2次80MHzチャネルの下位40MHzチャネル、または1次20MHzチャネルおよび2次80MHzチャネル、または1次20MHzチャネル、2次40MHzチャネル、および2次80MHzチャネル。
【０１４８】
モード6：1次20MHzチャネル、2次20MHzチャネル、および第2の80MHzチャネルの下位40MHzチャネル、または1次20MHzチャネル、2次20MHzチャネル、および2次80MHzチャネルの上位40MHzチャネル、または1次20MHzチャネル、2次20MHzチャネル、および2次80MHzチャネル、または1次20MHzチャネル、2次20MHzチャネル、2次40MHzチャネル、および2次80MHzチャネルの下位40MHzチャネル、または1次20MHzチャネル、2次20MHzチャネル、2次40MHzチャネル、および2次80MHzチャネルの上位40MHzチャネル、または1次20MHzチャネル、2次20MHzチャネル、2次40MHzチャネル、および2次80MHzチャネル。
【０１４９】
モード7：1次20MHzチャネルおよび2次80MHzチャネルの上位40MHzチャネル、または1次20MHzチャネル、2次40MHzチャネル、および2次80MHzチャネルの上位40MHzチャネル、または1次20MHzチャネルおよび2次80MHzチャネル、または1次20MHzチャネル、2次40MHzチャネル、および2次80MHzチャネル。
【０１５０】
モード8：1次20MHzチャネル、2次40MHzチャネル、および2次80MHzチャネルの下位40MHzチャネル、または1次20MHzチャネル、2次40MHzチャネル、および2次80MHzチャネルの上位40MHzチャネル、または1次20MHzチャネル、2次40MHzチャネル、および2次80MHzチャネル。
【０１５１】
8つのモードの表示方法については、BWフィールド（2ビット）およびCBフィールド（1ビット）の両方を使用して表示が行われる。表5に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表5に示す対応する方法が記載されている。表示方法とチャネルモードとの間で対応する他の方法も、この実施形態に適用可能である。
【０１５２】
【表５】
2019510400.tif 000063
【０１５３】
実施例9：
【０１５４】
この実施形態では、2次40MHzチャネルは2つの20MHzチャネルに分割される。2つの20MHzチャネルは、異なる規則に従って分類されてもよい。例えば、2つの20MHzチャネルは、周波数に応じて、上位20MHzチャネル（周波数がより高い20MHzチャネル）と下位20MHzチャネル（周波数がより低い20MHzチャネル）とに分類される。別の例では、2つの20MHzチャネルは、1次20MHzチャネルまでの距離に応じて、近い20MHzチャネルと遠い20MHzチャネルとに分類される。分類規則はこの特許解決策に限定されず、その表示原則は類似している。便宜上、上位20MHzチャネルおよび下位20MHzチャネルの例は、説明のための後続の実施形態の説明で使用される。実施例9では、図19に示す以下の6つの帯域幅モードがある。
【０１５５】
モード1：1次20MHzチャネル。
【０１５６】
モード2：1次20MHzチャネルおよび2次20MHzチャネル。
【０１５７】
モード3：1次20MHzチャネルおよび2次40MHzチャネル、または1次20MHzチャネルおよび2次40MHzチャネルの20MHzチャネル。
【０１５８】
具体的には、1次20MHzチャネルが、奇数を使用して番号付けされたチャネル上に周波数の降順にある場合、20MHzチャネルは、2次40MHzチャネルの偶数を使用して番号付けされた20MHzチャネルである。1次20MHzチャネルが、偶数を使用して番号付けされたチャネル上に周波数の降順にある場合、20MHzチャネルは、2次40MHzチャネルの奇数を使用して番号付けされた20MHzチャネルである。
【０１５９】
モード4：1次20MHzチャネル、2次20MHzチャネル、および2次40MHzチャネルの下位20MHzチャネル、または1次20MHzチャネル、2次20MHzチャネル、および2次40MHzチャネルの上位20MHzチャネル、または1次20MHzチャネル、2次20MHzチャネル、および2次40MHzチャネル。
【０１６０】
モード5：1次20MHzチャネルおよび2次80MHzチャネル、または1次20MHzチャネル、2次40MHzチャネルの下位20MHzチャネル、および2次80MHzチャネル、または1次20MHzチャネル、2次40MHzチャネルの上位20MHzチャネル、および2次80MHzチャネル、または1次20MHzチャネル、2次40MHzチャネル、および2次80MHzチャネル。
【０１６１】
モード6：1次20MHzチャネル、2次20MHzチャネル、および2次80MHzチャネル、または1次20MHzチャネル、2次20MHzチャネル、2次40MHzチャネルの下位20MHzチャネル、および2次80MHz、または1次20MHzチャネル、2次20MHzチャネル、2次40MHzチャネルの上位20MHzチャネル、および2次80MHzチャネル、または1次20MHzチャネル、2次20MHzチャネル、2次40MHzチャネル、および2次80MHzチャネル。
【０１６２】
6つのモードの表示方法については、BWフィールド（2ビット）およびCBフィールド（1ビット）の両方を使用して表示が行われる。表6に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表6に示す対応する方法が記載されている。表示方法とチャネルモードとの間で対応する他の方法も、この実施形態に適用可能である。
【０１６３】
【表６】
2019510400.tif 000064
【０１６４】
実施例10：
【０１６５】
この実施形態では、2次40MHzチャネルは2つの20MHzチャネルに分割され、2次80MHzチャネルは2つの連続する40MHzチャネルに分割される。便宜上、分割された2つの20MHzチャネルおよび2つの40MHzチャネルを、それぞれ上位20MHzチャネル、下位20MHzチャネル、上位40MHzチャネル、および下位40MHzチャネルとする例が、説明のための後続の実施形態の説明で使用される。
【０１６６】
実施例10では、図20aに示す以下の6つの帯域幅モードがある。
【０１６７】
モード1：1次20MHzチャネル。
【０１６８】
モード2：1次20MHzチャネルおよび2次20MHzチャネル。
【０１６９】
モード3：1次20MHzチャネルおよび2次40MHzチャネル、または1次20MHzチャネルおよび2次40MHzチャネルの20MHzチャネル。具体的には、1次20MHzチャネルが、奇数を使用して番号付けされたチャネル上に周波数の降順にある場合、20MHzチャネルは、2次40MHzチャネルの偶数を使用して番号付けされた20MHzチャネルである。1次20MHzチャネルが、偶数を使用して番号付けされたチャネル上に周波数の降順にある場合、20MHzチャネルは、2次40MHzチャネルの奇数を使用して番号付けされた20MHzチャネルである。
【０１７０】
モード4：1次20MHzチャネル、2次20MHzチャネル、および2次40MHzチャネルの下位20MHzチャネル、または1次20MHzチャネル、2次20MHzチャネル、および2次40MHzチャネルの上位20MHzチャネル、または1次20MHzチャネル、2次20MHzチャネル、および2次40MHzチャネル。
【０１７１】
モード5：1次20MHzチャネルおよび2次80MHzチャネルの下位40MHzチャネル、または1次20MHzチャネル、2次40MHzチャネルの上位20MHzチャネル、および2次80MHzチャネルの下位40MHzチャネル、または1次20MHzチャネル、2次40MHzチャネルの下位20MHzチャネル、および2次80MHzチャネルの下位40MHzチャネル、または1次20MHzチャネルおよび2次80MHzチャネル、または1次20MHzチャネル、2次40MHzチャネル、および2次80MHzチャネルの下位40MHzチャネル、または1次20MHzチャネル、2次40MHzチャネルの上位20MHzチャネル、および2次80MHzチャネル、または1次20MHzチャネル、2次40MHzチャネルの下位20MHzチャネル、および2次80MHzチャネル、または1次20MHzチャネル、2次40MHzチャネル、および2次80MHzチャネル。
【０１７２】
モード6：1次20MHzチャネル、2次20MHzチャネル、および2次80MHzチャネルの下位40MHzチャネル、または1次20MHzチャネル、2次20MHzチャネル、2次40MHzチャネルの上位20MHzチャネル、および2次80MHzチャネルの下位40MHzチャネル、または1次20MHzチャネル、2次20MHzチャネル、2次40MHzチャネルの下位20MHzチャネル、および2次80MHzチャネルの下位40MHzチャネル、または1次20MHzチャネル、2次20MHzチャネル、および2次80MHzチャネル、または1次20MHzチャネル、2次20MHzチャネル、2次40MHzチャネル、および2次80MHzチャネルの下位40MHzチャネル、または1次20MHzチャネル、2次20MHzチャネル、2次40MHzチャネルの上位20MHzチャネル、および2次80MHzチャネル、または1次20MHzチャネル、2次20MHzチャネル、2次40MHzチャネルの下位20MHzチャネル、および2次80MHzチャネル、または1次20MHzチャネル、2次20MHzチャネル、2次40MHzチャネル、および2次80MHzチャネル、または1次20MHzチャネル、2次20MHzチャネル、および2次80MHzチャネルの上位40MHzチャネル、または1次20MHzチャネル、2次20MHzチャネル、2次40MHzチャネルの上位20MHzチャネル、および2次80MHzチャネルの上位40MHzチャネル、または1次20MHzチャネル、2次20MHzチャネル、2次40MHzチャネルの下位20MHzチャネル、および2次80MHzチャネルの上位40MHzチャネル、または1次20MHzチャネル、2次20MHzチャネル、2次40MHzチャネル、および2次80MHzチャネルの上位40MHzチャネル。
【０１７３】
6つのモードの表示方法については、BWフィールド（2ビット）およびCBフィールド（1ビット）の両方を使用して表示が行われる。表7に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表7に示す対応する方法が記載されている。表示方法とチャネルモードとの間で対応する他の方法も、この実施形態に適用可能である。
【０１７４】
【表７】
2019510400.tif 000065
【０１７５】
図20bは、別の実施例を示し、実施例は、以下の6つのチャネルモードを含む。
【０１７６】
モード1：1次20MHzチャネル。
【０１７７】
モード2：1次20MHzチャネルおよび2次20MHzチャネル。
【０１７８】
モード3：1次20MHzチャネルおよび2次40MHzチャネル、または、
1次20MHzチャネルおよび2次40MHzチャネルの20MHzチャネル。
【０１７９】
具体的には、1次20MHzチャネルが、奇数を使用して番号付けされたチャネル上に周波数の降順にある場合、20MHzチャネルは、2次40MHzチャネルの偶数を使用して番号付けされた20MHzチャネルである。1次20MHzチャネルが、偶数を使用して番号付けされたチャネル上に周波数の降順にある場合、20MHzチャネルは、2次40MHzチャネルの奇数を使用して番号付けされた20MHzチャネルである。
【０１８０】
モード4：1次20MHzチャネル、2次20MHzチャネル、および2次40MHzチャネルの下位20MHzチャネル、または1次20MHzチャネル、2次20MHzチャネル、および2次40MHzチャネルの上位20MHzチャネル、または1次20MHzチャネル、2次20MHzチャネル、および2次40MHzチャネル。
【０１８１】
モード5：1次20MHzチャネルおよび2次80MHzチャネルの上位40MHzチャネル、または1次20MHzチャネル、2次40MHzチャネルの上位20MHzチャネル、および2次80MHzチャネルの上位40MHzチャネル、または1次20MHzチャネル、2次40MHzチャネルの下位20MHzチャネル、および2次80MHzチャネルの上位40MHzチャネル、または1次20MHzチャネルおよび2次80MHzチャネル、または1次20MHzチャネル、2次40MHzチャネル、および2次80MHzチャネルの上位40MHzチャネル、または1次20MHzチャネル、2次40MHzチャネルの上位20MHzチャネル、および2次80MHzチャネル、または1次20MHzチャネル、2次40MHzチャネルの下位20MHzチャネル、および2次80MHzチャネル、または1次20MHzチャネル、2次40MHzチャネル、および2次80MHzチャネル。
【０１８２】
モード6：1次20MHzチャネル、2次20MHzチャネル、および2次80MHzチャネルの下位40MHzチャネル、または1次20MHzチャネル、2次20MHzチャネル、2次40MHzチャネルの上位20MHzチャネル、および2次80MHzチャネルの下位40MHzチャネル、または1次20MHzチャネル、2次20MHzチャネル、2次40MHzチャネルの下位20MHzチャネル、および2次80MHzチャネルの下位40MHzチャネル、または1次20MHzチャネル、2次20MHzチャネル、および2次80MHzチャネル、または1次20MHzチャネル、2次20MHzチャネル、2次40MHzチャネル、および2次80MHzチャネルの下位40MHzチャネル、または1次20MHzチャネル、2次20MHzチャネル、2次40MHzチャネルの上位20MHzチャネル、および2次80MHzチャネル、または1次20MHzチャネル、2次20MHzチャネル、2次40MHzチャネルの下位20MHzチャネル、および2次80MHzチャネル、または1次20MHzチャネル、2次20MHzチャネル、2次40MHzチャネル、および2次80MHzチャネル、または1次20MHzチャネル、2次20MHzチャネル、および2次80MHzチャネルの上位40MHzチャネル、または1次20MHzチャネル、2次20MHzチャネル、2次40MHzチャネルの上位20MHzチャネル、および2次80MHzチャネルの上位40MHzチャネル、または1次20MHzチャネル、2次20MHzチャネル、2次40MHzチャネルの下位20MHzチャネル、および2次80MHzチャネルの上位40MHzチャネル、または1次20MHzチャネル、2次20MHzチャネル、2次40MHzチャネル、および2次80MHzチャネルの上位40MHzチャネル。
【０１８３】
6つのモードの表示方法については、BWフィールド（2ビット）およびCBフィールド（1ビット）の両方を使用して表示が行われる。表8に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表8に示す対応する方法が記載されている。表示方法とチャネルモードとの間で対応する他の方法も、この実施形態に適用可能である。
【０１８４】
【表８】
2019510400.tif 000066
【０１８５】
図20cは、別の実施例を示し、実施例は、以下の7つのチャネルモードを含む。
【０１８６】
モード1：1次20MHzチャネル。
【０１８７】
モード2：1次20MHzチャネルおよび2次20MHzチャネル。
【０１８８】
モード3：1次20MHzチャネルおよび2次40MHzチャネル、または、
1次20MHzチャネルおよび2次40MHzチャネルの20MHzチャネル。具体的には、1次20MHzチャネルが、奇数を使用して番号付けされたチャネル上に周波数の降順にある場合、20MHzチャネルは、2次40MHzチャネルの偶数を使用して番号付けされた20MHzチャネルである。1次20MHzチャネルが、偶数を使用して番号付けされたチャネル上に周波数の降順にある場合、20MHzチャネルは、2次40MHzチャネルの奇数を使用して番号付けされた20MHzチャネルである。
【０１８９】
モード4：1次20MHzチャネル、2次20MHzチャネル、および2次40MHzチャネルの下位20MHzチャネル、または1次20MHzチャネル、2次20MHzチャネル、および2次40MHzチャネルの上位20MHzチャネル、または1次20MHzチャネル、2次20MHzチャネル、および2次40MHzチャネル。
【０１９０】
モード5：1次20MHzチャネルおよび2次80MHzチャネルの下位40MHzチャネル、または1次20MHzチャネル、2次40MHzチャネルの上位20MHzチャネル、および2次80MHzチャネルの下位40MHzチャネル、または1次20MHzチャネル、2次40MHzチャネルの下位20MHzチャネル、および2次80MHzチャネルの下位40MHzチャネル、または1次20MHzチャネルおよび2次80MHzチャネル、または1次20MHzチャネル、2次40MHzチャネル、および2次80MHzチャネルの下位40MHzチャネル、または1次20MHzチャネル、2次40MHzチャネルの上位20MHzチャネル、および2次80MHzチャネル、または1次20MHzチャネル、2次40MHzチャネルの下位20MHzチャネル、および2次80MHzチャネル、または1次20MHzチャネル、2次40MHzチャネル、および2次80MHzチャネル。
【０１９１】
モード6：1次20MHzチャネル、2次20MHzチャネル、および2次80MHzチャネルの下位40MHzチャネル、または1次20MHzチャネル、2次20MHzチャネル、2次40MHzチャネルの上位20MHzチャネル、および2次80MHzチャネルの下位40MHzチャネル、または1次20MHzチャネル、2次20MHzチャネル、2次40MHzチャネルの下位20MHzチャネル、および2次80MHzチャネルの下位40MHzチャネル、または1次20MHzチャネル、2次20MHzチャネル、および2次80MHzチャネル、または1次20MHzチャネル、2次20MHzチャネル、2次40MHzチャネル、および2次80MHzチャネルの下位40MHzチャネル、または1次20MHzチャネル、2次20MHzチャネル、2次40MHzチャネルの上位20MHzチャネル、および2次80MHzチャネル、または1次20MHzチャネル、2次20MHzチャネル、2次40MHzチャネルの下位20MHzチャネル、および2次80MHzチャネル、または1次20MHzチャネル、2次20MHzチャネル、2次40MHzチャネル、および2次80MHzチャネル、または1次20MHzチャネル、2次20MHzチャネル、および2次80MHzチャネルの上位40MHzチャネル、または1次20MHzチャネル、2次20MHzチャネル、2次40MHzチャネルの上位20MHzチャネル、および2次80MHzチャネルの上位40MHzチャネル、または1次20MHzチャネル、2次20MHzチャネル、2次40MHzチャネルの下位20MHzチャネル、および2次80MHzチャネルの上位40MHzチャネル、または1次20MHzチャネル、2次20MHzチャネル、2次40MHzチャネル、および2次80MHzチャネルの上位40MHzチャネル。
【０１９２】
モード7：1次20MHzチャネルおよび2次80MHzチャネルの上位40MHzチャネル、または1次20MHzチャネル、2次40MHzチャネルの上位20MHzチャネル、および2次80MHzチャネルの上位40MHzチャネル、または1次20MHzチャネル、2次40MHzチャネルの下位20MHzチャネル、および2次80MHzチャネルの上位40MHzチャネル、または1次20MHzチャネル、2次40MHzチャネルの下位20MHzチャネル、および2次80MHzチャネルの上位40MHzチャネル。
【０１９３】
7つのモードの表示方法については、BWフィールド（2ビット）およびCBフィールド（1ビット）の両方を使用して表示が行われる。表9に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表9に示す対応する方法が記載されている。表示方法とチャネルモードとの間で対応する他の方法も、この実施形態に適用可能である。
【０１９４】
【表９】
2019510400.tif 000067
【０１９５】
図20dは、別の実施例を示し、実施例は、以下の8つのチャネルモードを含む。
【０１９６】
モード1：1次20MHzチャネル。
【０１９７】
モード2：1次20MHzチャネルおよび2次20MHzチャネル。
【０１９８】
モード3：1次20MHzチャネルおよび2次40MHzチャネル、または、
1次20MHzチャネルおよび2次40MHzチャネルの20MHzチャネル。
【０１９９】
具体的には、1次20MHzチャネルが、奇数を使用して番号付けされたチャネル上に周波数の降順にある場合、20MHzチャネルは、2次40MHzチャネルの偶数を使用して番号付けされた20MHzチャネルである。1次20MHzチャネルが、偶数を使用して番号付けされたチャネル上に周波数の降順にある場合、20MHzチャネルは、2次40MHzチャネルの奇数を使用して番号付けされた20MHzチャネルである。
【０２００】
モード4：1次20MHzチャネル、2次20MHzチャネル、および2次40MHzチャネルの下位20MHzチャネル、または1次20MHzチャネル、2次20MHzチャネル、および2次40MHzチャネルの上位20MHzチャネル、または1次20MHzチャネル、2次20MHzチャネル、および2次40MHzチャネル。
【０２０１】
モード5：1次20MHzチャネルおよび2次80MHzチャネルの下位40MHzチャネル、または1次20MHzチャネル、2次40MHzチャネルの上位20MHzチャネル、および2次80MHzチャネルの下位40MHzチャネル、または1次20MHzチャネル、2次40MHzチャネルの下位20MHzチャネル、および2次80MHzチャネルの下位40MHzチャネル、または1次20MHzチャネルおよび2次80MHzチャネル、または1次20MHzチャネル、2次40MHzチャネル、および2次80MHzチャネルの下位40MHzチャネル、または1次20MHzチャネル、2次40MHzチャネルの上位20MHzチャネル、および2次80MHzチャネル、または1次20MHzチャネル、2次40MHzチャネルの下位20MHzチャネル、および2次80MHzチャネル、または1次20MHzチャネル、2次40MHzチャネル、および2次80MHzチャネル。
【０２０２】
モード6：1次20MHzチャネル、2次20MHzチャネル、および2次80MHzチャネルの下位40MHzチャネル、または1次20MHzチャネル、2次20MHzチャネル、2次40MHzチャネルの上位20MHzチャネル、および2次80MHzチャネルの下位40MHzチャネル、または1次20MHzチャネル、2次20MHzチャネル、2次40MHzチャネルの下位20MHzチャネル、および2次80MHzチャネルの下位40MHzチャネル、または1次20MHzチャネル、2次20MHzチャネル、および2次80MHzチャネル、または1次20MHzチャネル、2次20MHzチャネル、2次40MHzチャネル、および2次80MHzチャネルの下位40MHzチャネル、または1次20MHzチャネル、2次20MHzチャネル、2次40MHzチャネルの上位20MHzチャネル、および2次80MHzチャネル、または1次20MHzチャネル、2次20MHzチャネル、2次40MHzチャネルの下位20MHzチャネル、および2次80MHzチャネル、または1次20MHzチャネル、2次20MHzチャネル、2次40MHzチャネル、および2次80MHzチャネル、または1次20MHzチャネル、2次20MHzチャネル、および2次80MHzチャネルの上位40MHzチャネル、または1次20MHzチャネル、2次20MHzチャネル、2次40MHzチャネルの上位20MHzチャネル、および2次80MHzチャネルの上位40MHzチャネル、または1次20MHzチャネル、2次20MHzチャネル、2次40MHzチャネルの下位20MHzチャネル、および2次80MHzチャネルの上位40MHzチャネル、または1次20MHzチャネル、2次20MHzチャネル、2次40MHzチャネル、および2次80MHzチャネルの上位40MHzチャネル。
【０２０３】
モード7：1次20MHzチャネルおよび2次80MHzチャネルの上位40MHzチャネル、または1次20MHzチャネル、2次40MHzチャネルの上位20MHzチャネル、および2次80MHzチャネルの上位40MHzチャネル、または1次20MHzチャネル、2次40MHzチャネルの下位20MHzチャネル、および2次80MHzチャネルの上位40MHzチャネル、または1次20MHzチャネル、2次40MHzチャネルの下位20MHzチャネル、および2次80MHzチャネルの上位40MHzチャネル。
【０２０４】
モード8：1次20MHzチャネルおよび2次40MHzチャネルの20MHzチャネル。具体的には、1次20MHzチャネルが、奇数を使用して番号付けされたチャネル上に周波数の降順にある場合、20MHzチャネルは、2次40MHzチャネルの奇数を使用して番号付けされた20MHzチャネルである。1次20MHzチャネルが、偶数を使用して番号付けされたチャネル上に周波数の降順にある場合、20MHzチャネルは、2次40MHzチャネルの偶数を使用して番号付けされた20MHzチャネルである。
【０２０５】
8つのモードの表示方法については、BWフィールド（2ビット）およびCBフィールド（1ビット）の両方を使用して表示が行われる。表10に示すように、｛BW，CB｝は｛0，0｝、｛0，1｝、｛1，0｝、｛1，1｝、｛2，0｝、｛2，1｝、｛3，0｝、および｛3，1｝の計8種類の表示方法がある。原理的には、各チャネルモードについて、8つの表示方法から重複なく1つ以上の表示方法がランダムに選択されてもよい。この実施形態では、表10に示す対応する方法が記載されている。表示方法とチャネルモードとの間で対応する他の方法も、この実施形態に適用可能である。
【０２０６】
【表１０】
2019510400.tif 000068
【０２０７】
本発明のこの実施形態は、無線ローカルエリアネットワーク（WLAN）においてチャネルを示すための方法を提供する。送信局は物理プロトコルデータユニット（PPDU）を生成および送信し、PPDUはプリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。このように、無線ローカルエリアネットワークにおける周波数領域の不連続チャネルが示され、利用可能なデータ送信チャネルが改善され、システムスループットが向上する。
【０２０８】
実施形態2
本発明の実施形態2は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。図21は、チャネルを示す方法の例示的なブロック図である。具体的な手順は次のとおりである。
【０２０９】
ステップ201：物理プロトコルデータユニット（PPDU）を生成し、ここでPPDUはプリアンブルフィールドおよびデータフィールドを含み、プリアンブルフィールドの高効率信号フィールド（HE-SIG-A）は、帯域幅識別子および2次20MHzチャネル識別子を含み、帯域幅識別子が、データ送信チャネルの帯域幅が40MHzよりも大きいことを示す場合、2次20MHzチャネル識別子は、2次20MHzチャネルが利用可能であるかどうかを示すために使用される。
【０２１０】
ステップ202：PPDUを送信する。
【０２１１】
具体的には、2次20MHzチャネル識別子は少なくとも1ビットを含み、以下では例として1ビットを使用して説明する。2次20MHzチャネル識別子が第1の値である場合、2次20MHzチャネルは利用不可能であり、または2次20MHzチャネル識別子が第2の値である場合、2次20MHzチャネルは利用可能である。
【０２１２】
なお、2次20MHzチャネル識別子の第1の値および第2の値は、本発明においては限定されない。第1の値は「0」であり、第2の値は「1」である。第1の値は「1」であり、第2の値は「0」である。上記の2つの場合は、どちらも本発明の保護範囲にある。説明の便宜上、第1の値が「0」で第2の値が「1」の場合を以下で説明のために具体的に使用する。
【０２１３】
具体的には、送信局は、帯域幅識別子と2次20MHzチャネル識別子とを使用してデータ送信チャネルを示す。
【０２１４】
帯域幅識別子が第1の値である場合、データ送信チャネルは1次20MHzチャネルを含み、
帯域幅識別子が第2の値である場合、データ送信チャネルは、1次20MHzチャネルおよび2次20MHzチャネルを含み、
帯域幅識別子が第3の値であり、2次20MHzチャネル識別子が第1の値である場合、データ送信チャネルは、1次20MHzチャネルおよび2次40MHzチャネルを含み、
帯域幅識別子が第3の値であり、2次20MHzチャネル識別子が第2の値である場合、データ送信チャネルは、1次20MHzチャネル、2次20MHzチャネル、および2次40MHzチャネルを含み、
帯域幅識別子が第4の値であり、2次20MHzチャネル識別子が第1の値である場合、データ送信チャネルは160MHzまたは（80＋80）MHzであり、データ送信チャネルは2次20MHzチャネルを含まない、すなわち1次20MHzチャネルおよび2次80MHzチャネルを含むか、または1次20MHzチャネル、2次40MHzチャネル、および2次80MHzチャネルを含み、または、
帯域幅識別子が第4の値であり、2次20MHzチャネル識別子が第2の値である場合、データ送信チャネルの帯域幅は160MHzまたは（80＋80）MHzであり、データ送信チャネルは2次20MHzチャネルを含む、すなわち、1次20MHzチャネル、2次20MHzチャネル、および2次80MHzチャネルを含み、または1次20MHzチャネル、2次20MHzチャネル、2次40MHzチャネル、および2次80MHzチャネルを含む。
【０２１５】
帯域幅識別子は少なくとも2ビットを含み、2次20MHzチャネル識別子は少なくとも1ビットを含むことに留意されたい。説明の便宜上、本実施形態では、帯域幅識別子が2ビットを含み、2次20MHzチャネル識別子が1ビットを含む例を使用して説明する。
【０２１６】
なお、帯域幅識別子の第1の値から第4の値の定義は、実施形態1において既に説明したとおりであり、その定義は以降の実施例にも適用可能であることに留意されたい。
【０２１７】
図22を参照して、2次20MHzチャネル識別子と帯域幅識別子とのマッピング関係およびチャネルについて説明する。
【０２１８】
BW＝00の場合、データ送信チャネルは1次20MHzチャネル、すなわちチャネル0である。データ送信帯域幅が40MHz以下である場合、チャネル結合識別子の値は、0、1、または予約されていてもよい。
【０２１９】
BW＝01の場合、データ送信チャネルは、1次20MHzチャネルおよび2次20MHzチャネル、すなわちチャネル0およびチャネル1を含む。データ送信帯域幅が40MHz以下である場合、チャネル結合識別子の値は、0、1、または予約されていてもよい。
【０２２０】
BW＝10、2次20MHzチャネル識別子＝0の場合、データ送信チャネルは、1次20MHzチャネルおよび2次40MHzチャネル、すなわちチャネル0、チャネル2、チャネル3を含む。
【０２２１】
BW＝10、2次20MHzチャネル識別子＝1の場合、データ送信チャネルは、1次20MHzチャネル、2次20MHzチャネル、2次40MHzチャネル、すなわちチャネル0〜3を含む。
【０２２２】
BW＝11、2次20MHzチャネル識別子＝0の場合、データ送信チャネルは、1次20MHzチャネルおよび2次80MHzチャネル、すなわちチャネル0およびチャネル4〜7を含む。あるいは、データ送信チャネルは、1次20MHzチャネル、2次40MHzチャネル、および2次80MHzチャネル、すなわち、チャネル0および2〜7を含む。
【０２２３】
BW＝11、2次20MHzチャネル識別子＝1の場合、データ送信チャネルは、1次20MHzチャネル、2次20MHzチャネル、2次40MHzチャネル、2次80MHzチャネル、すなわちチャネル0〜7を含む。あるいは、データ送信チャネルは、1次20MHzチャネル、2次20MHzチャネル、および2次80MHzチャネル、すなわち、チャネル0、1、4〜7を含む。
【０２２４】
本発明のこの実施形態は、無線ローカルエリアネットワーク（WLAN）においてチャネルを示すための方法を提供する。送信局は物理プロトコルデータユニット（PPDU）を生成および送信し、PPDUはプリアンブルフィールドおよびデータフィールドを含み、プリアンブルフィールドの高効率信号フィールド（HE-SIG-A）は、帯域幅識別子および2次20MHzチャネル識別子を含み、帯域幅識別子がデータ送信チャネルが40MHzよりも大きいことを示す場合、2次20MHzチャネル識別子は、2次20MHzチャネルが利用可能であるかどうかを示すために使用される。このように、無線ローカルエリアネットワークにおける周波数領域の不連続チャネルが示され、利用可能なデータ送信チャネルが改善され、システムスループットが向上する。
【０２２５】
実施形態3
本発明の実施形態3は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。
【０２２６】
この実施形態では、PPDU内の帯域幅識別子を使用してデータ送信チャネルが示され、帯域幅（BW）識別子は少なくとも2ビットを含む。
【０２２７】
図23を参照して、帯域幅識別子とチャネルとのマッピング関係について説明する。
【０２２８】
BW＝00の場合、現在のデータ送信チャネルが1次20MHzチャネルを含むことを示す。
【０２２９】
BW＝01の場合、現在のデータ送信チャネルが1次20MHzチャネルおよび2次20MHzチャネルを含むことを示す。
【０２３０】
BW＝10の場合、現在のデータ送信チャネルが1次20MHzチャネルおよび2次40MHzチャネルを含む、または1次20MHzチャネル、2次20MHzチャネル、および2次40MHzチャネルを含むことを示す。
【０２３１】
BW＝11の場合、現在のデータ送信チャネルが1次20MHzチャネルおよび2次80MHzチャネルを含む、または1次20MHzチャネル、2次20MHzチャネル、および2次80MHzチャネルを含む、または1次20MHzチャネル、2次40MHzチャネル、および2次80MHzチャネルを含む、または1次20MHzチャネル、2次20MHzチャネル、2次40MHzチャネル、および2次80MHzチャネルを含むことを示す。
【０２３２】
BW＝2の場合、HE-SIG-B 1およびHE-SIG-B 2のいずれかを1次20MHzチャネルを使用して取得し、HE-SIG-Bの他の部分を2次40MHzの20MHzチャネルを使用して取得できる。特定の周波数が降順に配置されている場合、1次20MHzチャネルが奇数を使用して番号付けされた20MHzチャネル上にある場合、HE-SIG-Bの他の部分は、2次40MHzチャネルの偶数を使用して番号付けされた20MHzチャネルを使用して取得される。対照的に、1次20MHzチャネルが偶数を使用して番号付けされた20MHzチャネル上にある場合、HE-SIG-Bの他の部分は、2次40MHzチャネルの奇数を使用して番号付けされた20MHzチャネルを使用して取得される。
【０２３３】
BW＝3の場合、HE-SIG-B 1およびHE-SIG-B 2のいずれかを1次20MHzチャネルを使用して取得し、HE-SIG-Bの他の部分を2次80MHzの20MHzチャネルを使用して取得できる。特定の周波数が降順に配置されている場合、1次20MHzチャネルが奇数を使用して番号付けされた20MHzチャネル上にある場合、HE-SIG-Bの他の部分は、2次80MHzチャネルの偶数を使用して番号付けされたあらゆる20MHzチャネルを使用して取得される。対照的に、1次20MHzチャネルが偶数を使用して番号付けされた20MHzチャネル上にある場合、HE-SIG-Bの他の部分は、2次80MHzチャネルの奇数を使用して番号付けされたあらゆる20MHzチャネルを使用して取得される。
【０２３４】
本発明のこの実施形態は、無線ローカルエリアネットワーク（WLAN）においてチャネルを示すための方法を提供する。送信局は物理プロトコルデータユニット（PPDU）を生成および送信し、PPDUはプリアンブルフィールドおよびデータフィールドを含み、プリアンブルフィールドの高効率信号フィールド（HE-SIG-A）は、帯域幅識別子を含む。このように、無線ローカルエリアネットワークにおける周波数領域の不連続チャネルが示され、利用可能なデータ送信チャネルが改善され、システムスループットが向上する。
【０２３５】
実施形態4
図24を参照すると、図24は、本発明の実施形態4による無線ローカルエリアネットワークにおけるチャネルを示す装置の概略ブロック図である。この装置は、例えば、アクセスポイント、または関連機能を実行する専用回路またはチップである。アクセスポイント1000は、プロセッサ1010、メモリ1020、ベースバンド回路1030、無線周波数回路1040、およびアンテナ1050を含む。装置は、図2に示すAPであってもよい。APは、STA1、STA2、およびSTA3と通信する。
【０２３６】
具体的には、プロセッサ1010は、アクセスポイント1000の動作を制御する。メモリ1020は、読み出し専用メモリおよびランダムアクセスメモリを含んでいてもよく、プロセッサ1010に命令およびデータを提供する。プロセッサは、汎用プロセッサ、デジタル信号プロセッサ、特定用途向け集積回路、フィールドプログラマブルゲートアレイ、または別のプログラマブル論理装置であってもよい。メモリ1020の一部は、不揮発性ランダムアクセスメモリ（NVRAM）をさらに含むことができる。ベースバンド回路1030は、送信ベースバンド信号を生成するか、または受信ベースバンド信号を復号するように構成される。無線周波数回路1040は、低周波のベースバンド信号を高周波のキャリア信号に変調し、かつアンテナ1050を使用して高周波のキャリア信号を送信するように構成される。無線周波数回路はまた、アンテナ1050によって受信した高周波信号を、低周波のキャリア信号に復調するように構成される。アクセスポイント1000の構成要素は、バスシステム1060を使用して共に連結される。データバスに加えて、バスシステム1060は、電源バス、制御バス、およびステータス信号バスを含む。しかしながら、説明を分かり易くするために、図のさまざまなバスをバスシステム1060として示している。アクセスポイント構造の前述の説明は、後続の実施形態にも適用できることに留意されたい。
【０２３７】
ベースバンド回路1030は、物理プロトコルデータユニット（PPDU）を生成するように構成され、ここでPPDUはプリアンブルフィールドおよびデータフィールドを含み、プリアンブルフィールドの高効率信号フィールド（HE-SIG-A）は、帯域幅識別子およびチャネル結合識別子を含み、チャネル結合識別子は、データ送信チャネルが周波数領域において連続的であるかどうかを示すために使用される。
【０２３８】
無線周波数回路1040は、PPDUを送信するように構成される。
【０２３９】
具体的には、チャネル結合識別子が第1の値である場合、データ送信チャネルは周波数領域において連続的であり、またはチャネル結合識別子が第2の値である場合、データ送信チャネルは周波数領域に複数の不連続チャネルを含む。
【０２４０】
任意選択的に、チャネルを示す装置は、帯域幅識別子およびチャネル結合識別子の両方を使用してデータ送信チャネルを示し、表示方法は具体的には以下のとおりである。
【０２４１】
方法1：
【０２４２】
チャネル結合識別子が第1の値であり、帯域幅識別子が第1の値である場合、データ送信チャネルは1次20MHzチャネルを含み、
チャネル結合識別子が第1の値であり、帯域幅識別子が第2の値である場合、データ送信チャネルは1次20MHzチャネルおよび2次20MHzチャネルを含み、
チャネル結合識別子が第1の値であり、帯域幅識別子が第3の値である場合、データ送信チャネルは1次20MHzチャネル、2次20MHzチャネル、および2次40MHzチャネルを含み、
チャネル結合識別子が第1の値であり、帯域幅識別子が第4の値である場合、データ送信チャネルは1次20MHzチャネル、2次20MHzチャネル、2次40MHzチャネル、および2次80MHzチャネルを含み、
チャネル結合識別子が第2の値であり、帯域幅識別子が第1の値である場合、データ送信チャネルは1次20MHzおよび2次40MHzチャネルを含み、
チャネル結合識別子が第2の値であり、帯域幅識別子が第2の値である場合、データ送信チャネルは1次20MHzチャネルおよび2次80MHzチャネルを含み、
チャネル結合識別子が第2の値であり、帯域幅識別子が第3の値である場合、データ送信チャネルは1次20MHzチャネル、2次20MHzチャネル、および2次80MHzチャネルを含み、または、
チャネル結合識別子が第2の値であり、帯域幅識別子が第4の値である場合、データ送信チャネルは1次20MHzチャネル、2次40MHzチャネルおよび2次80MHzチャネルを含む。
【０２４３】
方法2：
【０２４４】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは、1次20MHzチャネル、2次40MHzチャネル、および2次80MHzチャネルを含む。
【０２４５】
方法3：
【０２４６】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは、1次20MHzチャネルおよび2次80MHzチャネルを含む。
【０２４７】
方法4：
【０２４８】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、
帯域幅識別子が第4の値であり、チャネル結合識別子が第1の値である場合、データ送信チャネルは、1次20MHzチャネル、2次20MHzチャネル、2次40MHzチャネル、および2次80MHzチャネルを含み、または、
帯域幅識別子が第4の値であり、チャネル結合識別子が第2の値である場合、データ送信チャネルは、1次20MHzチャネル、2次20MHzチャネル、および2次80MHzチャネルを含む。
【０２４９】
方法5：
【０２５０】
帯域幅識別子が第1の値である場合、データ送信チャネルは1次20MHzチャネルを含み、
帯域幅識別子が第2の値である場合、データ送信チャネルは1次20MHzチャネルおよび2次20MHzチャネルを含み、
帯域幅識別子が第3の値であり、チャネル結合識別子が第1の値である場合、データ送信チャネルは1次20MHzチャネル、2次20MHzチャネル、および2次40MHzチャネルを含み、
帯域幅識別子が第3の値であり、チャネル結合識別子が第2の値である場合、データ送信チャネルは1次20MHzチャネルおよび2次40MHzチャネルを含み、または、
帯域幅識別子が第4の値である場合、データ送信チャネルは、1次20MHzチャネル、2次20MHzチャネル、2次40MHzチャネルおよび2次80MHzチャネルを含む。
【０２５１】
なお、方法1〜5のチャネルマッピング関係は図6〜図10に示されており、詳細な説明は実施形態1において既に行われていることに留意されたい。
【０２５２】
なお、実施形態1から実施形態3における他のチャネル表示方法は、実施形態4のチャネル表示装置にも適用されることに留意されたい。
【０２５３】
本発明のこの実施形態は、無線ローカルエリアネットワーク（WLAN）においてチャネルを示すための装置を提供する。ベースバンド回路は物理プロトコルデータユニット（PPDU）を生成し、PPDUはプリアンブルフィールドおよびデータフィールドを含み、プリアンブルフィールドの高効率信号フィールド（HE-SIG-A）は、帯域幅識別子および2次20MHzチャネル識別子を含み、帯域幅識別子がデータ送信チャネルが40MHzよりも大きいことを示す場合、2次20MHzチャネル識別子は、2次20MHzチャネルが利用可能であるかどうかを示すために使用される。このように、無線ローカルエリアネットワークにおける周波数領域の不連続チャネルが示され、利用可能なデータ送信チャネルが改善され、システムスループットが向上する。
【０２５４】
実施形態5
本発明の実施形態5は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。
【０２５５】
この実施形態では、PPDU内の帯域幅識別子を使用してデータ送信チャネルが示され、帯域幅（BW）識別子は少なくとも3ビットを含む。
【０２５６】
データ送信チャネルは、以下の8つのモードを含む。
【０２５７】
モード1：1次20MHzチャネル。
【０２５８】
モード2：1次20MHzチャネルおよび2次20MHzチャネル。
【０２５９】
モード3：1次20MHzチャネル、2次20MHzチャネル、および2次40MHzチャネルの少なくとも1つの20MHzチャネル。
【０２６０】
モード4：少なくとも1次20MHzチャネルおよび2次40MHzのチャネルの20MHzチャネルが含まれ、20MHzのチャネルの位置は、1次20MHzチャネルの位置と比較して反対のパリティであり、2次80MHzチャネルの20MHzチャネルは含まれない。
【０２６１】
ここで、反対のパリティとは、周波数の降順または昇順に、1つの20MHzチャネルが奇数を使用して番号付けされた20MHzチャネル上にあり、他の20MHzチャネルが偶数番号を使用して番号付けされた20MHzチャネル上にあることを意味する。
【０２６２】
モード5：少なくとも1次20MHzチャネル、2次20MHzチャネル、および2次80MHzチャネルの少なくとも1つの20MHzチャネルが含まれる。
【０２６３】
モード6：少なくとも1次20MHzチャネル、2次40MHzチャネルの20MHzチャネルおよび2次80MHzチャネルの少なくとも1つの20MHzチャネルが含まれ、2次40MHzチャネルの20MHzチャネルの位置は、1次20MHzチャネルの位置と比較して反対のパリティである。
【０２６４】
モード7：少なくとも1次20MHzチャネルおよび2つの20MHzチャネルの第1の20MHzチャネルが含まれ、2次80MHzチャネルの2つの20MHzチャネルの位置は、1次20MHzチャネルの位置と比較して反対のパリティである。
【０２６５】
モード8：少なくとも1次20MHzチャネルおよび2つの20MHzチャネルの第2の20MHzチャネルが含まれ、2次80MHzチャネルの2つの20MHzチャネルの位置は、1次20MHzチャネルの位置と比較して反対のパリティである。
【０２６６】
第1の20MHzチャネルおよび第2の20MHzチャネルは異なる方法を使用して定義することができ、これは本発明において限定的でない。例えば、第1の20MHzチャネルは、2つの20MHzチャネルのうち低い周波数を有する20MHzチャネルであり、2次80MHzチャネルの2つの20MHzチャネルの位置は、1次20MHzチャネルの位置と比較して反対のパリティであり、第2の20MHzチャネルは、2つの20MHzのチャネルのうち高い周波数を有する20MHzチャネルであり、2次80MHzチャネルの2つの20MHzチャネルの位置は、1次20MHzチャネルと比較して反対のパリティである。あるいは、逆の場合も適用可能である。別の例では、第1の20MHzチャネルは、2次80MHzチャネルの2つの20MHzチャネルのうち、1次20MHzチャネルへの周波数分離の割合が小さい20MHzチャネルであり、2つの20MHzチャネルの位置は第1の20MHzチャネルの位置と比較して反対のパリティであり、第2の20MHzチャネルは、2次80MHzの2つの20MHzチャネルのうち、1次20MHzチャネルへの周波数分離の割合が大きい20MHzチャネルであり、2つの20MHzチャネルの位置は、1次20MHzチャネルの位置と比較して反対のパリティである。あるいは、逆の場合も適用可能である。
【０２６７】
チャネルが、1次20MHzチャネルおよびその位置が1次20MHzチャネルと同じパリティである2次40MHzの20MHzチャネルである場合、モード3またはモード4が示されてもよいことに留意されたい。その結果、受信局は、1次20MHzチャネルでHE-SIG-Bの一部を受信すると、その位置が1次20MHzチャネルとは反対のパリティである2次20MHzチャネルまたは2次40MHzチャネルの20MHzチャネルでHE-SIG-Bの他の部分の受信を試みるが、受信は失敗する。HE-SIG-Bに関連する情報は、その位置が1次20MHzチャネルと比較して反対のパリティである20MHzチャネルまたは2次40MHzチャネルの20MHzでは送信されない。したがって、受信の失敗は情報損失をもたらさない。
【０２６８】
チャネルが1次20MHzチャネルおよび2次80MHzの少なくとも1つの20MHzチャネルを含み、その位置が1次20MHzチャネルと比較して反対のパリティである20MHzチャネルを含まない場合、モード5、6、7、または8が示されてもよいことに留意されたい。その結果、受信局は、1次20MHzチャネルでHE-SIG-Bの一部を受信すると、その位置が1次20MHzチャネルと比較すると反対のパリティであり、それがモードに示されている20MHzチャネルでHE-SIG-Bの他の部分の受信を試みるが、受信は失敗する。HE-SIG-Bに関する情報は、その位置が1次20MHzチャネルと比較して反対のパリティである20MHzチャネルでは送信されない。したがって、受信の失敗は情報損失をもたらさない。
【０２６９】
本発明では、帯域幅識別子と8つのモードとの対応関係は限定されず、以下の対応関係を選択することが好ましい。
【０２７０】
【表１１】
2019510400.tif 000069
【０２７１】
8つのモードとチャネルとの対応を表11に示す。
【０２７２】
【表１２Ａ】
2019510400.tif 000070
【表１２Ｂ】
2019510400.tif 000071
【表１２Ｃ】
2019510400.tif 000072
【表１２Ｄ】
2019510400.tif 000073
【０２７３】
表で使用されるチャネル識別子は、チャネルの論理識別子である。一般に、チャネル識別子0は1次20MHzチャネルを示し、チャネル識別子1は2次20MHzチャネルを示し、チャネル識別子2および3は2次40MHzチャネルを示し、チャネル識別子4〜7は2次80MHzチャネルを示す。チャネル識別子とチャネルとの間で頻繁に使用されるマッピング関係は上述のとおりである。チャネル識別子とチャネルとの間の別のマッピング関係もある。これは、本発明において限定的でない。
【０２７４】
以下の説明の便宜上、1次チャネル上のHE-SIG-BをHE-SIG-B1と称する。図6、図7、図8、図9に示すように、HE-SIG-B1は、1次チャネルと同じパリティのチャネルにコピーされ、HE-SIG-B1の共通部分は、1次20MHzチャネルと、その位置が1次チャネルのパリティと同じである20MHzチャネルのRU割り当てシグナリングを含む。HE-SIG-B 2の共通部分は、その位置が1次20MHzチャネルと比較すると反対のパリティである20MHzチャネルのRU割り当てシグナリングを含み、複数の20MHzチャネルにコピーされる。以下の説明では、各20MHzチャネルのRU割り当てシグナリングの長さがNビットであり、例として8ビットを使用するものとする。
【０２７５】
前述の8つのモードのそれぞれは、2つの情報を運ぶ。第1の情報は、HE-SIG-B 1の共通部分の長さおよびHE-SIG-B 2の共通部分の長さを受信ノードに示す（ここでHE-SIG-B 1の共通部分長さは、HE-SIG-B 2の共通部分の長さに等しい）。第2の情報は、受信ノードがHE-SIG-B 2をどの20MHzチャネルで受信するかを示す。ここで、受信ノードは、1次20MHzチャネルでHE-SIG-B1を受信することになっていることに留意されたい。例えば、モード3は、HE-SIG-B 1の共通部分の長さおよびHE-SIG-B 2の共通部分の長さが共に16ビットであることを受信ノードに示し（ここでは20MHzチャネルのみのRU割り当てシグナリングの長さについての統計が収集される）、HE-SIG-B2は、論理識別子が1であるチャネルで受信される。別の例では、モード8は、HE-SIG-B 1の共通部分の長さおよびHE-SIG-B 2の共通部分の長さが共に32ビットであることを受信ノードに示し、HE-SIG-B 2は、論理識別子が7である20MHzチャネルで受信される。したがって、上記8つのモードは、受信ノードがHE-SIG-B1およびHE-SIG-B2を正しく受信できることを示す。
【０２７６】
さらに、HE-SIG-B 20MHzチャネルのRU割り当てシグナリングには、特別なRU割り当てシグナリング、すなわち242（0）が存在し、これは、情報を送信でき、かつ20MHzチャネルに対応する242個のサブキャリアがどの局のデータも送信しないことを示す。すなわち、20MHzチャネルはデータ送信を行わない。
【０２７７】
各20MHzのHE-SIG-B 1およびHE-SIG-B2の共通部分に含まれるHE-SIG-AおよびRU割り当てシグナリングの8つのモードを参照すると、受信ノードは、データがどのチャネルで受信されたかを知ることができる。例えば、データ送信チャネルは（0 1 2）であり、送信ノードは物理層プリアンブルのHE-SIG-Aの帯域幅識別子ビットをモード3に設定するものとする。また、HE-SIG-B1は、チャネル0およびチャネル2のRU割り当てシグナリングを含み、HE-SIG-B2は、チャネル1およびチャネル3のRU割り当てシグナリングを含む。チャネル3のRU割り当てシグナリングは242（0）である。HE-SIG-Aを受信した後、受信機は、モード3が使用されることを帯域幅識別子ビットによって知る。すなわち、HE-SIG-B1の共通部分の長さおよびHE-SIG-B2の共通部分の長さは共に16ビットである。HE-SIG-B1は論理識別子が0（1次20MHzチャネル）のチャネルで受信され、HE-SIG-B2は論理識別子が1のチャネルで受信される。論理識別子が3のチャネルのHE-SIG-B2に含まれるRU割り当てシグナリング242（0）を参照すると、データ送信チャネルが（0 1 2）であることが分かる。
【０２７８】
なお、表11の各モードに示す実際に使用されるチャネルは重複している。しかし、これは、受信ノードがHE-SIG-Bの共通部分の長さを学習すること、およびHE-SIG-B2がどの20MHzチャネルで受信されたかを学習することに影響しない。したがって、前述のモード指示は、どの20MHzチャネルでデータ送信が実行されているかを受信ノードに正確に伝えることができる。一実施例では、重複している実際に使用されるチャネルは1つのモードでのみ使用されるため、すべてのモードで示される実際に使用されるチャネルは重複しない。例えば、重複しており、表11のモード3およびモード4で示される実際に使用されるチャネルが（0，1，3）、（0，1，2，3）、（0，2）であるケースについて検討する。重複を避けるために、前述の実際に使用されるチャネルの3つのケースは、モード3のみで使用され、モード4からは除かれる。前述のチャネル重複のケースは、別の実施形態にも適用可能であることに留意されたい。
【０２７９】
表11のチャネル識別子の異なる順序は、実際に使用されるチャネルに影響しないことに留意されたい。例えば、チャネル識別子（0，7，1，2）で示される実際に使用されるチャネルとチャネル識別子（0，1，2，7）とは同じである。
【０２８０】
本発明のこの実施形態は、無線ローカルエリアネットワーク（WLAN）においてチャネルを示す方法を提供する。送信局は物理プロトコルデータユニット（PPDU）を生成して送信し、PPDUはプリアンブルフィールドとデータフィールドを含み、プリアンブルフィールドの高効率信号フィールド（HE-SIG-A）は帯域幅識別子を含み、帯域幅識別子はデータ送信チャネルを示す。このように、無線ローカルエリアネットワークにおける周波数領域の不連続チャネルが示され、利用可能なデータ送信チャネルが改善され、システムスループットが向上する。
【０２８１】
実施形態6
本発明の実施形態6は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。
【０２８２】
この実施形態では、PPDU内の帯域幅識別子を使用してデータ送信チャネルが示され、帯域幅（BW）識別子は少なくとも3ビットを含む。
【０２８３】
データ送信チャネルは、以下の8つのモードを含む。
【０２８４】
モード1：1次20MHzチャネル。
【０２８５】
モード2：1次20MHzチャネルおよび2次20MHzチャネル。
【０２８６】
モード3：1次20MHzチャネル、2次20MHzチャネル、および2次40MHzチャネルの少なくとも1つの20MHzチャネル。
【０２８７】
モード4：少なくとも1次20MHzチャネルおよび2次40MHzのチャネルの20MHzチャネルが含まれ、20MHzのチャネルの位置は、1次20MHzチャネルの位置と比較して反対のパリティであり、2次80MHzチャネルの20MHzチャネルは含まれない。
【０２８８】
モード5：1次20MHzチャネルおよび2次40MHzチャネルの20MHzチャネルが含まれ、20MHzチャネルの位置は1次20MHzチャネルのパリティと同じである。
【０２８９】
モード6：少なくとも1次20MHzチャネル、2次20MHzチャネル、および2次80MHzチャネルの少なくとも1つの20MHzチャネルが含まれる。
【０２９０】
モード7：少なくとも1次20MHzチャネル、2次40MHzチャネルの20MHzチャネルおよび2次80MHzチャネルの少なくとも1つの20MHzチャネルが含まれ、2次40MHzチャネルの20MHzチャネルの位置は、1次20MHzチャネルの位置と比較して反対のパリティである。
【０２９１】
モード8：1次20MHzチャネル、2次40MHzチャネルの20MHzチャネルおよび2次80MHzチャネルの少なくとも1つの20MHzチャネルが含まれ、2次40MHzチャネルの20MHzチャネルの位置は、1次20MHzチャネルの位置と同じパリティである。
【０２９２】
本発明では、帯域幅識別子と8つのモードとの対応関係は限定されず、以下の対応関係が使用される。
【０２９３】
【表１３】
2019510400.tif 000074
【０２９４】
8つのモードとチャネルとの対応を表12に示す。
【０２９５】
【表１４Ａ】
2019510400.tif 000075
【表１４Ｂ】
2019510400.tif 000076
【表１４Ｃ】
2019510400.tif 000077
【０２９６】
表で使用されるチャネル識別子は、チャネルの論理識別子である。一般に、チャネル識別子0は1次20MHzチャネルを示し、チャネル識別子1は2次20MHzチャネルを示し、チャネル識別子2および3は2次40MHzチャネルを示し、チャネル識別子4〜7は2次80MHzチャネルを示す。チャネル識別子とチャネルとの間で頻繁に使用されるマッピング関係は上述のとおりである。チャネル識別子とチャネルとの間の別のマッピング関係もある。これは、本発明において限定的でない。
【０２９７】
表12のチャネル識別子の異なる順序は、実際に使用されるチャネルに影響しないことに留意されたい。例えば、チャネル識別子（0，7，1，2）で示される実際に使用されるチャネルとチャネル識別子（0，1，2，7）とは同じである。
【０２９８】
モード5およびモード8にはHE-SIG-Bが1つしかない。この場合、HE-SIG-Bは、すべての20MチャネルのRU割り当てシグナリングを含む。1つの情報、つまりHE-SIG-Bの長さのみが、モード5およびモード8で運ばれる。モード5およびモード8以外のモードでは、HE-SIG-B1およびHE-SIG-B2の共通部分に含まれるRU割り当てシグナリングは、実施形態5の送信方法のものと同様である。表中のモードに示す重複の場合の説明は、実施形態5中のものと同様であり、ここでの説明は省略する。
【０２９９】
本発明のこの実施形態は、無線ローカルエリアネットワーク（WLAN）においてチャネルを示す方法を提供する。送信局は物理プロトコルデータユニット（PPDU）を生成して送信し、PPDUはプリアンブルフィールドとデータフィールドを含み、プリアンブルフィールドの高効率信号フィールド（HE-SIG-A）は帯域幅識別子を含み、帯域幅識別子はデータ送信チャネルを示す。このように、無線ローカルエリアネットワークにおける周波数領域の不連続チャネルが示され、利用可能なデータ送信チャネルが改善され、システムスループットが向上する。
【０３００】
実施形態7
本発明の実施形態7は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。
【０３０１】
この実施形態では、PPDUのプリアンブルフィールドの高効率信号フィールド（HE-SIG-A）内の帯域幅識別子を使用してデータ送信チャネルが示され、帯域幅（BW）識別子は少なくとも3ビットを含む。
【０３０２】
データ送信チャネルは、以下の8つのモードを含む。
【０３０３】
モード1：1次20MHzチャネル。
【０３０４】
モード2：1次20MHzチャネルおよび2次20MHzチャネル。
【０３０５】
モード3：1次20MHzチャネル、2次20MHzチャネル、および2次40MHzチャネル。
【０３０６】
モード4：1次20MHzチャネル、2次20MHzチャネル、2次40MHzチャネル、および2次80MHzチャネル。
【０３０７】
モード5：1次20MHzチャネルおよび2次40MHzチャネルの20MHzチャネル、20MHzチャネルの位置は1次20MHzチャネルと比較すると反対のパリティである。
【０３０８】
モード6：1次20MHzチャネルおよび2次40MHzチャネル。
【０３０９】
モード7：1次20MHzチャネル、2次20MHzチャネル、および2次80MHzチャネル。
【０３１０】
モード8：1次20MHzチャネル、2次40MHzチャネル、および2次80MHzチャネル。
【０３１１】
本発明では、帯域幅識別子と8つのモードとの対応関係は限定されず、以下の対応関係が使用される。
【０３１２】
【表１５】
2019510400.tif 000078
【０３１３】
例えば、8つのモードとチャネルとの対応を図25に示す。
【０３１４】
本発明のこの実施形態は、無線ローカルエリアネットワーク（WLAN）においてチャネルを示す方法を提供する。送信局は物理プロトコルデータユニット（PPDU）を生成して送信し、PPDUはプリアンブルフィールドとデータフィールドを含み、プリアンブルフィールドの高効率信号フィールド（HE-SIG-A）は帯域幅識別子を含み、帯域幅識別子はデータ送信チャネルを示す。このように、無線ローカルエリアネットワークにおける周波数領域の不連続チャネルが示され、利用可能なデータ送信チャネルが改善され、システムスループットが向上する。
【０３１５】
実施形態8
本発明の実施形態8は、WLANに適用され、チャネルを示す方法を提供する。この方法は、例えば図2のAPおよびSTA1〜STA3のような局に適用することができる。局は、例えば802.11ax標準のような次世代WLAN標準をサポートすることができる。
【０３１６】
この実施形態では、PPDUのプリアンブルフィールドの高効率信号フィールド（HE-SIG-A）内の帯域幅識別子を使用してデータ送信チャネルが示され、帯域幅（BW）識別子は少なくとも3ビットを含む。
【０３１７】
データ送信チャネルは、以下の8つのモードを含む。
【０３１８】
モード1：1次20MHzチャネル。
【０３１９】
モード2：1次20MHzチャネルおよび2次20MHzチャネル。
【０３２０】
モード3：1次20MHzチャネル、2次20MHzチャネル、および2次40MHzチャネル。
【０３２１】
モード4：1次20MHzチャネル、2次20MHzチャネル、2次40MHzチャネル、および2次80MHzチャネル。
【０３２２】
モード5：1次20MHzチャネルおよび2次40MHzチャネル。
【０３２３】
モード6：1次20MHzチャネル、2次20MHzチャネル、および2次40MHzチャネルの1つの20MHzチャネル。
【０３２４】
モード6は2つの実装を含むことに留意されたい。モード6における第1の実装は、1次20MHzチャネル、2次20MHzチャネル、およびその位置が2次40MHzチャネルの1次20MHzチャネルと同じパリティであるチャネルである。モード6における第2の実装は、1次20MHzチャネル、2次20MHzチャネル、およびその位置が2次40MHzチャネルの1次20MHzチャネルと比較すると反対のパリティであるチャネルである。
【０３２５】
モード7：1次20MHzチャネル、2次20MHzチャネル、および2次80MHzチャネル。
【０３２６】
モード8：1次20MHzチャネル、2次40MHzチャネル、および2次80MHzチャネル。
【０３２７】
本発明では、帯域幅識別子と8つのモードとの対応関係は限定されず、以下の対応関係が使用される。
【０３２８】
【表１６】
2019510400.tif 000079
【０３２９】
例えば、8つのモードとチャネルとの対応を図26または図27に示す。
【０３３０】
本発明のこの実施形態は、無線ローカルエリアネットワーク（WLAN）においてチャネルを示す方法を提供する。送信局は物理プロトコルデータユニット（PPDU）を生成して送信し、PPDUはプリアンブルフィールドとデータフィールドを含み、プリアンブルフィールドの高効率信号フィールド（HE-SIG-A）は帯域幅識別子を含み、帯域幅識別子はデータ送信チャネルを示す。このように、無線ローカルエリアネットワークにおける周波数領域の不連続チャネルが示され、利用可能なデータ送信チャネルが改善され、システムスループットが向上する。
【０３３１】
上記の実施形態は、本発明の技術的解決策を説明するためのものにすぎず、本発明を限定するものではない。本発明は、上記の実施形態を参照して詳細に説明されているが、当業者であれば、本発明の実施形態の技術的解決策の範囲から逸脱することなく、上記実施形態に記載された技術的解決策をさらに変更することができ、またはその技術的特徴の一部を同等物と置換することができる。
【符号の説明】
【０３３２】
1000  アクセスポイント、局
1010  プロセッサ
1020  メモリ
1030  ベースバンド回路
1040  無線周波数回路
1050  アンテナ
1060  バス、バスシステム
【手続補正２】
【補正対象書類名】特許請求の範囲
【補正対象項目名】全文
【補正方法】変更
【補正の内容】
【特許請求の範囲】
【請求項１】
無線ローカルエリアネットワーク（WLAN）においてチャネルを示す方法であって、
物理プロトコルデータユニット（PPDU）を生成するステップであって、前記PPDUがプリアンブルフィールドおよびデータフィールドを含み、前記プリアンブルフィールドの高効率信号フィールド（HE-SIG-A）が帯域幅識別子を含み、前記帯域幅識別子がデータ送信チャネルを示すために使用され、前記帯域幅識別子が少なくとも3ビットを含む、ステップと、
前記PPDUを送信するステップと
を含む方法。
【請求項２】
前記帯域幅識別子が第1の値であり、前記第1の値は前記データ送信チャネルの第1のモードを示し、
前記第1のモードには、少なくとも1次20MHzチャネルおよび2次40MHzチャネルの20MHzチャネルが含まれ、前記2次40MHzチャネルの前記20MHzチャネルの位置は、前記1次20MHzチャネルの位置と比較して反対のパリティであり、2次80MHzチャネルの20MHzチャネルは含まれない、請求項1に記載の方法。
【請求項３】
前記第1のモードには、前記1次20MHzチャネルおよび前記2次40MHzチャネルが含まれ、前記2次80MHzチャネルの20MHzチャネルは含まれない、請求項2に記載の方法。
【請求項４】
前記第1の値の前記少なくとも3ビットが100である、請求項3に記載の方法。
【請求項５】
前記帯域幅識別子が第2の値であり、前記第2の値は前記データ送信チャネルの第2のモードを示し、
前記第2のモードには、1次20MHzチャネル、2次20MHzチャネル、および2次40MHzチャネルの少なくとも1つの20MHzチャネルが含まれる、請求項1に記載の方法。
【請求項６】
前記第2のモードには、前記1次20MHzチャネル、前記2次20MHzチャネル、および前記2次40MHzチャネルの1つの20MHzチャネルが含まれる、請求項5に記載の方法。
【請求項７】
前記第2の値の前記少なくとも3ビットが101である、請求項6に記載の方法。
【請求項８】
前記帯域幅識別子が第3の値であり、前記第3の値は前記データ送信チャネルの第3のモードを示し、
前記第3のモードには、少なくとも1次20MHzチャネル、2次40MHzチャネルの20MHzチャネル、および2次80MHzチャネルの少なくとも1つの20MHzチャネルが含まれ、前記2次40MHzチャネルの前記20MHzチャネルの位置は、前記1次20MHzチャネルの位置と比較して反対のパリティである、請求項1に記載の方法。
【請求項９】
前記第3のモードには、前記1次20MHzチャネル、前記2次40MHzチャネル、および前記2次80MHzチャネルの少なくとも1つの20MHzチャネルが含まれる、請求項8に記載の方法。
【請求項１０】
前記帯域幅識別子が第4の値であり、前記第4の値は前記データ送信チャネルの第4のモードを示し、
前記第4のモードには、少なくとも1次20MHzチャネル、2次20MHzチャネル、および2次80MHzチャネルの少なくとも1つの20MHzチャネルが含まれる、請求項1に記載の方法。
【請求項１１】
前記データ送信チャネルが周波数領域において不連続である、請求項1に記載の方法。
【請求項１２】
無線ローカルエリアネットワーク（WLAN）においてチャネルを示す装置であって、
物理プロトコルデータユニット（PPDU）を生成するように構成されたベースバンド回路であって、前記PPDUがプリアンブルフィールドおよびデータフィールドを含み、前記プリアンブルフィールドの高効率信号フィールド（HE-SIG-A）が帯域幅識別子を含み、前記帯域幅識別子がデータ送信チャネルを示すために使用され、前記帯域幅識別子が少なくとも3ビットを含む、ベースバンド回路と、
前記PPDUを送信するように構成された無線周波数回路と
を含む装置。
【請求項１３】
前記帯域幅識別子が第1の値であり、前記第1の値は前記データ送信チャネルの第1のモードを示し、
前記第1のモードには、少なくとも1次20MHzチャネルおよび2次40MHzチャネルの20MHzチャネルが含まれ、前記2次40MHzチャネルの前記20MHzチャネルの位置は、前記1次20MHzチャネルの位置と比較して反対のパリティであり、2次80MHzチャネルの20MHzチャネルは含まれない、請求項12に記載の装置。
【請求項１４】
前記第1のモードには、前記1次20MHzチャネルおよび前記2次40MHzチャネルが含まれ、前記2次80MHzチャネルの20MHzチャネルは含まれない、請求項13に記載の装置。
【請求項１５】
前記第1の値の前記少なくとも3ビットが100である、請求項14に記載の装置。
【請求項１６】
前記帯域幅識別子が第2の値であり、前記第2の値は前記データ送信チャネルの第2のモードを示し、
前記第2のモードには、1次20MHzチャネル、2次20MHzチャネル、および2次40MHzチャネルの少なくとも1つの20MHzチャネルが含まれる、請求項12に記載の装置。
【請求項１７】
前記第2のモードには、前記1次20MHzチャネル、前記2次20MHzチャネル、および前記2次40MHzチャネルの1つの20MHzチャネルが含まれる、請求項16に記載の装置。
【請求項１８】
前記第2の値の前記少なくとも3ビットが101である、請求項17に記載の装置。
【請求項１９】
前記帯域幅識別子が第3の値であり、前記第3の値は前記データ送信チャネルの第3のモードを示し、
前記第3のモードには、少なくとも1次20MHzチャネル、2次40MHzチャネルの20MHzチャネル、および2次80MHzチャネルの少なくとも1つの20MHzチャネルが含まれ、前記2次40MHzチャネルの前記20MHzチャネルの位置は、前記1次20MHzチャネルの位置と比較して反対のパリティである、請求項12に記載の装置。
【請求項２０】
前記第3のモードには、前記1次20MHzチャネル、前記2次40MHzチャネル、および前記2次80MHzチャネルの少なくとも1つの20MHzチャネルが含まれる、請求項19に記載の装置。
【請求項２１】
前記帯域幅識別子が第4の値であり、前記第4の値は前記データ送信チャネルの第4のモードを示し、
前記第4のモードには、少なくとも1次20MHzチャネル、2次20MHzチャネル、および2次80MHzチャネルの少なくとも1つの20MHzチャネルが含まれる、請求項12に記載の装置。
【請求項２２】
前記データ送信チャネルが周波数領域において不連続である、請求項12に記載の装置。
【請求項２３】
コンピュータに請求項1から11のいずれか一項に記載の方法を実行させるプログラム。
【請求項２４】
プログラムを記録したコンピュータ読み取り可能な記録媒体であって、
前記プログラムは、実行されたとき、コンピュータに請求項1から11のいずれか一項に記載の方法を実行させる、コンピュータ読み取り可能な記録媒体。
【国際調査報告】
2019510400.tif 000080
2019510400.tif 000081
2019510400.tif 000082
2019510400.tif 000083